(57)【要約】  各画素領域には、走査信号線（２）を挟むように第１および第２副画素領域が設けられ、上記第１副画素領域と対向基板の該第１副画素領域に対応する部分とを含むように第１副画素が構成されるとともに、上記第２副画素領域と対向基板の該第２副画素領域に対応する部分とを含むように第２副画素が構成され、第１副画素に第１配向規制構造物が設けられるとともに、第２副画素に第２配向規制構造物が設けられており、隣接する２つの画素の一方（５５ｘ）に設けられた第１配向規制構造物（Ｌ１・Ｓ１〜４）の形状は、上記２つの画素のもう一方（５５ｙ）に設けられた第１配向規制構造物（Ｌ１１・Ｓ１１〜１４）を１８０°回転させて得られる形状である。こうすれば、各画素（５５ｘ・５５ｙ）に複数の配向領域を形成することが可能な液晶パネルにおいて、走査信号線（２）沿いの配向乱れによる視野角特性の悪化を抑えることができる。
2008078438.tif 000002
【特許請求の範囲】
【請求項１】
画素領域、該画素領域を横切る走査信号線、およびデータ信号線を有するアクティブマトリクス基板と、これに対向する対向基板と、これら両基板間に配された液晶層とを備え、該画素領域と対向基板の該画素領域に対応する部分とを含むように画素が構成された液晶パネルであって、
各画素領域には、走査信号線を挟むように第１および第２副画素領域が設けられ、
上記第１副画素領域と対向基板の該第１副画素領域に対応する部分とを含むように第１副画素が構成されるとともに、上記第２副画素領域と対向基板の該第２副画素領域に対応する部分とを含むように第２副画素が構成され、第１副画素に第１配向規制構造物が設けられるとともに、第２副画素に第２配向規制構造物が設けられており、
隣接する２つの画素の一方に設けられた第１配向規制構造物の形状は、上記２つの画素のもう一方に設けられた第１配向規制構造物を１８０°回転させて得られる形状であることを特徴とする液晶パネル。
【請求項２】
上記第１配向規制構造物をパネル面に平行でかつ走査信号線を含む平面に投影した場合に、第１副画素領域の中央を通って該走査信号線に垂直な直線に対して非対称な形状になるとともに第１副画素領域の中央を通って該走査信号線に平行な直線に対して対称な形状になり、上記第２配向規制構造物をパネル面に平行でかつ走査信号線を含む平面に投影した場合に、第２副画素領域の中央を通って該走査信号線に垂直な直線に対して非対称な形状になるとともに第２副画素領域の中央を通って該走査信号線に平行な直線に対して対称な形状になることを特徴とする請求項１記載の液晶パネル。
【請求項３】
各画素において、第１副画素は表示時の明画素に対応し、第２副画素は表示時の暗画素に対応することを特徴とする請求項１記載の液晶パネル。
【請求項４】
上記隣接する２つの画素は、同色の画素であることを特徴とする請求項１記載の液晶パネル。
【請求項５】
同一のデータ信号線に接続する第１および第２のトランジスタを備え、
上記第１副画素領域には第１の画素電極が設けられるとともに、第２副画素領域には第２の画素電極が設けられ、
上記第１の画素電極が第１のトランジスタに接続され、上記第２の画素電極が第２のトランジスタに接続されていることを特徴とする請求項１記載の液晶パネル。
【請求項６】
上記第１配向規制構造物には、対向基板に設けられたリブ、第１の画素電極に形成されたスリット、および対向基板の共通電極に形成されたスリットの少なくとも１つが含まれており、上記第２配向規制構造物に、対向基板に設けられたリブ、第２の画素電極に形成されたスリット、および対向基板の共通電極に形成されたスリットの少なくとも１つが含まれていることを特徴とする請求項５記載の液晶パネル。
【請求項７】
隣接する２つの画素の一方に設けられた第２配向規制構造物の形状は、上記２つの画素のもう一方に設けられた第２配向規制構造物を１８０°回転させて得られる形状であることを特徴とする請求項１記載の液晶パネル。
【請求項８】
各画素において、第１および第２配向規制構造物の形状が同じであることを特徴とする請求項１記載の液晶パネル。
【請求項９】
上記隣接する２つの画素の一方に設けられた第１配向規制構造物によって、該画素の第１副画素には、走査信号線に沿う部分に複数の配向が形成可能であり、該隣接する２つの画素のもう一方に設けられた第１配向規制構造物によって、該画素の第１副画素には、走査信号線に沿う部分に複数の配向が形成可能であることを特徴とする請求項１記載の液晶パネル。
【請求項１０】
赤、緑、青に対応する、走査信号線に沿う方向に並んだ３つの画素を１つの画素群として、該方向に隣接する２つの画素群に含まれる２つの同色の画素について、一方の画素に設けられた第１配向規制構造物の形状は、もう一方の画素に設けられた第１配向規制構造物を１８０°回転させて得られる形状であることを特徴とする請求項１記載の液晶パネル。
【請求項１１】
走査信号線に沿う方向を行方向として、上記第１副画素領域は行方向に沿った２つの端部を有する形状であり、上記第１配向規制構造物には、行方向に視て、第１副画素領域の上記２つの端部それぞれと重なるとともに両端部間で屈折するＶ字の形状をなす上記リブ、第１の画素電極に形成され、行方向に視て上記Ｖ字の形状をなすスリット、および上記共通電極に形成され、行方向に視て上記Ｖ字の形状をなすスリットの少なくとも１つが含まれていることを特徴とする請求項６記載の液晶パネル。
【請求項１２】
第１の画素電極あるいは第１のトランジスタに接続する容量電極と保持容量を形成する第１の保持容量配線と、第２の画素電極あるいは第２のトランジスタに接続する容量電極と保持容量を形成する第２の保持容量配線とを備えることを特徴とする請求項４記載の液晶パネル。
【請求項１３】
第１のトランジスタのドレイン電極は、第１のドレイン引き出し配線と第１のコンタクトホールとを介して第１の画素電極に接続されるとともに、第２のトランジスタのドレイン電極は、第２のドレイン引き出し配線と第２のコンタクトホールとを介して第２の画素電極に接続され、
上記第１のドレイン引き出し配線の少なくとも一部が、第１配向規制構造物に重なるとともに、上記第２のドレイン引き出し配線の少なくとも一部が、第２配向規制構造物に重なることを特徴とする請求項４記載の液晶パネル。
【請求項１４】
上記第１のコンタクトホールの少なくとも一部が第１配向規制構造物に重なるとともに、上記第２のコンタクトホールの少なくとも一部が第２配向規制構造物に重なることを特徴とする請求項１３記載の液晶パネル。
【請求項１５】
第１の保持容量配線からは第１の画素電極と重なるように第１の保持容量配線延伸部が延伸するとともに、第２の保持容量配線からは第２の画素電極と重なるように第２の保持容量配線延伸部が延伸し、
上記第１の保持容量配線延伸部の少なくとも一部が第１配向規制構造物に重なるとともに、上記第２保持容量配線延伸部の少なくとも一部が第２配向規制構造物に重なることを特徴とする請求項１２記載の液晶パネル。
【請求項１６】
第１のトランジスタのドレイン電極は、第１のドレイン引き出し配線と第１のコンタクトホールとを介して第１の画素電極に接続されるとともに、第２のトランジスタのドレイン電極は、第２のドレイン引き出し配線と第２のコンタクトホールとを介して第２の画素電極に接続され、
第１のドレイン引き出し配線は、上記第１の保持容量配線延伸部と重なる第１の重畳部を有するとともに、第２のドレイン引き出し配線は、上記第２の保持容量配線延伸部と重なる第２の重畳部を有することを特徴とする請求項１５記載の液晶パネル。
【請求項１７】
第１配向規制構造物には、上記第１の画素電極に形成されたスリットが含まれるとともに、第２配向規制構造物には、上記第２の画素電極に形成されたスリットが含まれ、
上記第１の重畳部と第１のドレイン電極との間に上記第１のコンタクトホールが形成されるとともに、上記第２の重畳部と第２のドレイン電極との間に上記第２のコンタクトホールが形成され、
上記第１のドレイン引き出し配線は、第１のドレイン電極と第１のコンタクトホールとの間にいずれかのスリットと重なる部分を有するとともに、上記第２のドレイン引き出し配線は、第２のドレイン電極と第２のコンタクトホールとの間にいずれかのスリットと重なる部分を有することを特徴とする請求項１６記載の液晶パネル。
【請求項１８】
第１のトランジスタのドレイン電極は、第１のドレイン引き出し配線と１以上のコンタクトホールとを介して第１の画素電極に接続されるとともに、第２のトランジスタのドレイン電極は、第２のドレイン引き出し配線と１以上のコンタクトホールとを介して第２の画素電極に接続され、
上記第１のドレイン引き出し配線にはコンタクトホールと交差する刳り貫き部が形成されるとともに、上記第２のドレイン引き出し配線にもコンタクトホールと交差する刳り貫き部が形成されていることを特徴とする請求項４記載の液晶パネル。
【請求項１９】
データ信号線に沿う方向を列方向、走査信号線に沿う方向を行方向として、
上記第１のドレイン引き出し配線には２つのコンタクトホールそれぞれに対応して延伸形状の刳り貫き部が２つ形成されるとともに、一方の刳り貫き部の延伸方向が列方向であってもう一方の刳り貫き部の延伸方向が行方向であり、
上記第２のドレイン引き出し配線には２つのコンタクトホールそれぞれに対応して延伸形状の刳り貫き部が２つ形成されるとともに、その一方の刳り貫き部の延伸方向が列方向であって、もう一方の刳り貫き部の延伸方向が行方向であることを特徴とする請求項１８記載の液晶パネル。
【請求項２０】
画素領域、走査信号線およびデータ信号線を有するアクティブマトリクス基板とこれに対向する対向基板とこれら両基板間に配された液晶層とを備え、上記画素領域と対向基板の該画素領域に対応する部分とを含むように画素が構成されるとともに、該画素に配向規制構造物が設けられた液晶パネルであって、
各画素には、上記配向規制構造物によって、この画素を挟むように配された２本の走査信号線の一方に沿う部分に第１および第２の配向が形成可能であるとともに、上記２本の走査信号線のもう一方に沿う部分に第３および第４の配向が形成可能であり、かつ、隣接する２つの画素の一方に設けられた上記配向規制構造物の形状は、該２つの画素のもう一方に設けられた配向規制構造物を１８０°回転させて得られる形状であることを特徴とする液晶パネル。
【請求項２１】
上記配向規制構造物をパネル面に平行でかつ走査信号線を含む平面に投影した場合に、画素領域の中央を通って該走査信号線に垂直な直線に対して非対称な形状になるとともに画素領域の中央を通って該走査信号線に平行な直線に対して対称な形状になることを特徴とする請求項２０記載の液晶パネル。
【請求項２２】
上記配向規制構造物の一部が、各画素における上記２本の走査信号線の一方に沿う部分と、上記２本の走査信号線のもう一方に沿う部分とに位置することを特徴とする請求項２０記載の液晶パネル。
【請求項２３】
上記隣接する２つの画素は、同色の画素であることを特徴とする請求項２０記載の液晶パネル。
【請求項２４】
上記２本の走査信号線である第１および第２の走査信号線はともに、これらによって挟まれる画素に対応して設けられていることを特徴とする請求項２０記載の液晶パネル。
【請求項２５】
データ信号線および第１の走査信号線に接続する第１のトランジスタと、このデータ信号線および第２の走査信号線に接続する第２のトランジスタとを備え、
上記画素領域には、１つあるいは電気的に接続された複数の透明電極からなる第１の画素電極と、１つあるいは電気的に接続された複数の透明電極からなる第２の画素電極とが設けられ、
上記第１の画素電極が第１のトランジスタに接続され、上記第２の画素電極が第２のトランジスタに接続されていることを特徴とする請求項２４記載の液晶パネル。
【請求項２６】
上記配向規制構造物には、対向基板に設けられたリブ、透明電極の間隙、透明電極に形成されたスリット、および対向基板の共通電極に形成されたスリットの少なくとも１つが含まれていることを特徴とする請求項２５記載の液晶パネル。
【請求項２７】
走査信号線に沿う方向を行方向として、
上記配向規制構造物には、行方向に視てＶ字形状をなす上記リブ、行方向に視てＶ字形状をなす上記間隙、透明電極に形成され、行方向に視てＶ字形状をなす上記スリット、および対向基板の共通電極に形成され、行方向に視てＶ字形状をなす上記スリットの少なくとも１つが含まれていることを特徴とする請求項２６記載の液晶パネル。
【請求項２８】
上記２本の走査信号線の一方である第１の走査信号線は、該２本の走査信号線で挟まれる第１の画素に対応して設けられ、上記２本の走査信号線のもう一方である第２の走査信号線は、上記第１の画素に隣接する第２の画素に対応して設けられていることを特徴とする請求項２０記載の液晶パネル。
【請求項２９】
第１の画素は第１の走査信号線に接続するトランジスタを備え、該トランジスタは第１の画素の画素領域に設けられた画素電極に接続され、
第２の画素は第２の走査信号線に接続するトランジスタを備え、該トランジスタは第２の画素の画素領域に設けられた画素電極に接続されていることを特徴とする請求項２８記載の液晶パネル。
【請求項３０】
上記配向規制構造物には、対向基板に設けられたリブ、画素電極に形成されたスリット、および対向基板の共通電極に形成されたスリットの少なくとも１つが含まれていることを特徴とする請求項２９記載の液晶パネル。
【請求項３１】
走査信号線に沿う方向を行方向として、
各画素に設けられた配向規制構造物には、行方向に視てＶ字形状をなす上記リブ、画素電極に形成され、行方向に視てＶ字形状をなす上記スリット、および対向基板の共通電極に形成され、行方向に視てＶ字形状をなす上記スリットの少なくとも１つが含まれていることを特徴とする請求項３０記載の液晶パネル。
【請求項３２】
第２の走査信号線と第１の画素に設けられた画素電極とが重なる部分を有し、第２の走査信号線が第１の画素の保持容量配線として機能することを特徴とする請求項２９記載の液晶パネル。
【請求項３３】
画素領域、該画素領域を横切る走査信号線、およびデータ信号線を有するアクティブマトリクス基板と、これに対向する対向基板と、これら両基板間に配された液晶層とを備え、該画素領域と対向基板の該画素領域に対応する部分とを含むように画素が構成された液晶パネルであって、
各画素領域には、走査信号線を挟むように第１および第２副画素領域が設けられ、
上記第１副画素領域と対向基板の該第１副画素領域に対応する部分とを含むように第１副画素が構成されるとともに、上記第２副画素領域と対向基板の該第２副画素領域に対応する部分とを含むように第２副画素が構成され、第１副画素に第１配向規制構造物が設けられるとともに、第２副画素に第２配向規制構造物が設けられており、
赤、緑、青に対応する、走査信号線に沿う方向に並んだ３つの画素を１つの画素群として、上記方向に隣接する２つの画素群に含まれる２つの同色の画素について、一方の画素に設けられた第１配向規制構造物の形状は、もう一方の画素に設けられた第１配向規制構造物を１８０°回転させて得られる形状であることを特徴とする液晶パネル。
【請求項３４】
請求項１、２０、３３のいずれか１項に記載の液晶パネルを備えることを特徴とする液晶表示装置。
【請求項３５】
走査信号線とデータ信号線との交差する位置にスイッチング素子を介して画素が配設されたアクティブマトリクス基板、及び対向基板を有する液晶表示装置であって、
上記画素には、該画素を第１副画素と第２副画素とに２分割するように走査信号線が設けられており、
上記第１副画素及び第２副画素には、平面「＞」形状又は平面「＜」形状の配向規制構造物がそれぞれ形成されていると共に、
互いに隣接する２画素単位では、第１副画素及び第２副画素の少なくとも一方において上記平面「＞」形状の配向規制構造物と該配向規制構造物を１８０度回転した平面「＜」形状の配向規制構造物とが組み合わされていることを特徴とする液晶表示装置。
【請求項３６】
走査信号線とデータ信号線と保持容量配線と、上記走査信号線とデータ信号線との交差する位置に配設されたスイッチング素子とを備えたアクティブマトリクス基板、及び対向基板を有する液晶表示装置であって、
行方向の保持容量配線と列方向のデータ信号線とで囲まれた領域に１画素が形成され、
上記画素には、該画素を第１副画素と第２副画素とに２分割するように走査信号線が設けられており、
上記第１副画素及び第２副画素には、平面「＞」形状又は平面「＜」形状の配向規制構造物がそれぞれ形成されていると共に、
互いに隣接する２画素単位では、第１副画素及び第２副画素の少なくとも一方において上記平面「＞」形状の配向規制構造物と該配向規制構造物を１８０度回転した平面「＜」形状の配向規制構造物とが組み合わされていることを特徴とする液晶表示装置。
【請求項３７】
前記第１副画素は、スイッチング素子である第１トランジスタのドレイン電極に接続される第１副画素電極を有する一方、第２副画素は、スイッチング素子である第２トランジスタのドレイン電極に接続される第２副画素電極を有すると共に、
上記第１副画素電極の電位及び第２副画素電極の電位は、それぞれ個別に制御されていることを特徴とする請求項３５記載の液晶表示装置。
【請求項３８】
前記第１副画素は、スイッチング素子である第１トランジスタのドレイン電極に接続される第１副画素電極を有する一方、第２副画素は、スイッチング素子である第２トランジスタのドレイン電極に接続される第２副画素電極を有すると共に、
上記第１副画素は、上記第１副画素電極と、該第１副画素電極の端部側に配された前記保持容量配線である第１保持容量配線との間に第１保持容量を形成する一方、上記第２副画素は上記第２副画素電極と該第２副画素電極の端部側に配された前記保持容量配線である第２保持容量配線との間に第２保持容量を形成すると共に、
上記各保持容量配線を個別に電位制御することにより、上記第１副画素電極の電位及び第２副画素電極の電位をそれぞれ個別に制御する保持容量配線電圧制御部が設けられていることを特徴とする請求項３６記載の液晶表示装置。
【請求項３９】
ある中間調表示状態において、各保持容量配線信号は、前記第１副画素と第２副画素とが輝度差を生じるように制御され、上記第１副画素の輝度が第２副画素の輝度よりも高いことを特徴とする請求項３６記載の液晶表示装置。
【請求項４０】
ある中間調表示状態において前記第２副画素よりも輝度が高い前記第１副画素において、互いに隣接する２画素単位では、前記平面「＞」形状の配向規制構造物と該配向規制構造物を１８０度回転した平面「＜」形状の配向規制構造物とが組み合わされていることを特徴とする請求項３９記載の液晶表示装置。
【請求項４１】
１画素における第１副画素及び第２副画素の前記配向規制構造物は、平面「＞」形状を繰り返した平面２連「＞」形状又は平面「＜」形状を繰り返した平面２連「＜」形状に形成されていると共に、
互いに隣接する２画素単位では、上記平面２連「＞」形状の配向規制構造物と、該配向規制構造物を１８０度回転した平面２連「＜」形状の配向規制構造物とが組み合わされていることを特徴とする請求項３５記載の液晶表示装置。
【請求項４２】
走査信号線とデータ信号線との交差する位置にスイッチング素子を介して画素が配設されたアクティブマトリクス基板、及び対向基板を有する液晶表示装置であって、
上記画素には、該画素を第１副画素と第２副画素とに２分割するように走査信号線が設けられており、
上記第１副画素及び第２副画素には、平面「＞」形状又は平面「＜」形状の配向規制構造物がそれぞれ形成されていると共に、
上記画素は、赤、緑、青に対応する画素群からなる１絵素を構成し、
互いに隣接する上記絵素同士では、上記平面「＞」形状の配向規制構造物と該配向規制構造物を１８０度回転した平面「＜」形状の配向規制構造物とが組み合わされていることを特徴とする液晶表示装置。
【請求項４３】
走査信号線とデータ信号線と保持容量配線と、上記走査信号線とデータ信号線との交差する位置に配設されたスイッチング素子とを備えたアクティブマトリクス基板、及び対向基板を有する液晶表示装置であって、
行方向の保持容量配線と列方向のデータ信号線とで囲まれた領域に１画素が形成され、
上記画素には、該画素を第１副画素及び第２副画素に２分割するように走査信号線が設けられており、
上記第１副画素及び第２副画素には、平面「＞」形状又は平面「＜」形状の配向規制構造物がそれぞれ形成されていると共に、
上記画素は、赤、緑、青に対応する画素群からなる１絵素を構成し、
互いに隣接する上記絵素同士では、上記平面「＞」形状の配向規制構造物と該配向規制構造物を１８０度回転した平面「＜」形状の配向規制構造物とが組み合わされていることを特徴とする液晶表示装置。
【請求項４４】
走査信号線とデータ信号線との交差する位置にスイッチング素子を介して画素が配設されたアクティブマトリクス基板、及び対向基板を有する液晶表示装置であって、
上記画素には、該画素を第１副画素と第２副画素とに２分割するように走査信号線が設けられており、
上記第１副画素及び第２副画素には、平面「＞」形状又は平面「＜」形状の配向規制構造物がそれぞれ形成されていると共に、
上記画素は、赤、緑、青に対応する画素群からなる１絵素を構成し、
互いに隣接する上記１絵素の同色画素同士では、上記平面「＞」形状の配向規制構造物と該配向規制構造物を１８０度回転した平面「＜」形状の配向規制構造物とが組み合わされていることを特徴とする液晶表示装置。
【請求項４５】
走査信号線とデータ信号線と保持容量配線と、上記走査信号線とデータ信号線との交差する位置に配設されたスイッチング素子とを備えたアクティブマトリクス基板、及び対向基板を有する液晶表示装置であって、
行方向の保持容量配線と列方向のデータ信号線とで囲まれた領域に１画素が形成され、
上記画素には、該画素を第１副画素及び第２副画素に２分割するように走査信号線が設けられており、
上記第１副画素及び第２副画素には、平面「＞」形状又は平面「＜」形状の配向規制構造物がそれぞれ形成されていると共に、
上記画素は、赤、緑、青に対応する画素群からなる１絵素を構成し、
互いに隣接する上記１絵素の同色画素同士では、上記平面「＞」形状の配向規制構造物と該配向規制構造物を１８０度回転した平面「＜」形状の配向規制構造物とが組み合わされていることを特徴とする液晶表示装置。
【請求項４６】
前記第１副画素は、スイッチング素子である第１トランジスタのドレイン電極に接続される第１副画素電極を有する一方、第２副画素は、スイッチング素子である第２トランジスタのドレイン電極に接続される第２副画素電極を有すると共に、
上記第１副画素及び第２副画素に設けられた各ドレイン電極は、それぞれドレイン引き出し配線を介して第１副画素電極又は第２副画素電極に接続されていると共に、
上記少なくとも１つの画素のドレイン引き出し配線は、前記配向規制構造物と重畳して配設されていることを特徴とする請求項３５記載の液晶表示装置。
【請求項４７】
前記保持容量配線は、画素側に延びる保持容量配線延伸部を有すると共に、
上記保持容量配線延伸部は、前記配向規制構造物と重畳して配設されていることを特徴とする請求項３６記載の液晶表示装置。
【請求項４８】
前記第１副画素は、スイッチング素子である第１トランジスタのドレイン電極に接続される第１副画素電極を有する一方、第２副画素は、スイッチング素子である第２トランジスタのドレイン電極に接続される第２副画素電極を有すると共に、
上記第１副画素及び第２副画素に設けられた各ドレイン電極は、それぞれドレイン引き出し配線を介して第１副画素電極又は第２副画素電極に接続されており、
上記少なくとも１つの画素のドレイン引き出し配線は、前記配向規制構造物と重畳して配設されていると共に、
前記保持容量配線は、画素側に延びる保持容量配線延伸部を有し、
上記保持容量配線延伸部は、前記配向規制構造物と重畳して配設されていることを特徴とする請求項３６記載の液晶表示装置。
【請求項４９】
前記第１副画素は、スイッチング素子である第１トランジスタのドレイン電極に接続される第１副画素電極を有する一方、第２副画素は、スイッチング素子である第２トランジスタのドレイン電極に接続される第２副画素電極を有すると共に、
上記第１副画素及び第２副画素に設けられた各ドレイン電極は、それぞれドレイン引き出し配線を介して第１副画素電極又は第２副画素電極に接続されていると共に、
前記保持容量配線は、上記ドレイン引き出し配線側に延びる保持容量配線延伸部を有し、かつ上記保持容量配線延伸部は、上記ドレイン引き出し配線と絶縁膜を介して重畳する重畳部を有すると共に、
上記重畳部は、絶縁膜の貫通により上記ドレイン引き出し配線と保持容量配線延伸部との接続が可能となっていることを特徴とする請求項３６記載の液晶表示装置。
【請求項５０】
前記ドレイン引き出し配線は、
前記ドレイン電極と前記重畳部との間に形成される少なくとも１つのコンタクトホールを介して第１副画素電極又は第２副画素電極に接続されており、かつ、上記コンタクトホールまでの間において前記配向規制構造物と重畳して配設されていることを特徴とする請求項４９記載の液晶表示装置。
【請求項５１】
前記ドレイン引き出し配線には、前記コンタクトホールと交差する刳り抜き部が形成されていることを特徴とする請求項５０記載の液晶表示装置。
【請求項５２】
前記スイッチング素子が、列方向に隣接する画素単位同士で異なるデータ信号線に接続されていることを特徴とする請求項４１記載の液晶表示装置。
【請求項５３】
各保持容量配線信号は、前記第１トランジスタ又は第２トランジスタがオフされた後に電位が上昇又は降下すると共に、その状態が次フレームにて該第１トランジスタ又は第２トランジスタがオフされるまで続くように、電位制御されていることを特徴とする請求項３７記載の液晶表示装置。
【請求項５４】
各保持容量配線信号は、前記第１トランジスタ又は第２トランジスタがオフされた後に電位が上昇又は降下すると共に、その状態が次フレームにて該第１トランジスタ又は第２トランジスタがオフされるまで続くように、電位制御されていることを特徴とする請求項３８記載の液晶表示装置。
【請求項５５】
各保持容量配線信号の電位上昇と電位降下とは、１水平期間ずれていることを特徴とする請求項５３記載の液晶表示装置。
【請求項５６】
各保持容量配線信号の電位上昇と電位降下とは、１水平期間ずれていることを特徴とする請求項５４記載の液晶表示装置。
【請求項５７】
走査信号線とデータ信号線との交差する位置にスイッチング素子を介して画素が配設されたアクティブマトリクス基板、及び対向基板を有する液晶表示装置であって、
上記画素には、該画素を第１副画素と第２副画素とに２分割するように走査信号線が設けられており、
上記第１副画素及び第２副画素におけるアクティブマトリクス基板及び対向基板には、液晶分子を複数の配向領域に分ける配向規制構造物がそれぞれ形成され、かつ上記第１副画素及び第２副画素における液晶分子の配向方向が互いに対向し合う領域を１組とするときに、上記第１副画素及び第２副画素には異なる方向に対向し合う複数組がそれぞれ形成されていると共に、
隣接する２画素単位における、第１副画素及び第２副画素の少なくとも一方の各組同士では、走査信号線に沿った配向乱れ領域の割合が均等に配されるように、上記配向規制構造物が形成されていることを特徴とする液晶表示装置。
【請求項５８】
走査信号線とデータ信号線と保持容量配線と、上記走査信号線とデータ信号線との交差する位置に配設されたスイッチング素子とを備えたアクティブマトリクス基板、及び対向基板を有する液晶表示装置であって、
行方向の保持容量配線と列方向のデータ信号線とで囲まれた領域に１画素が形成され、
上記画素には、該画素を第１副画素と第２副画素とに２分割するように走査信号線が設けられており、
上記第１副画素及び第２副画素におけるアクティブマトリクス基板及び対向基板には、液晶分子を複数の配向領域に分ける配向規制構造物がそれぞれ形成され、かつ上記第１副画素及び第２副画素における液晶分子の配向方向が互いに対向し合う領域を１組とするときに、上記第１副画素及び第２副画素には異なる方向に対向し合う複数組がそれぞれ形成されていると共に、
隣接する２画素単位における、第１副画素及び第２副画素の少なくとも一方の各組同士では、走査信号線に沿った配向乱れ領域の割合が均等に配されるように、上記配向規制構造物が形成されていることを特徴とする液晶表示装置。
【請求項５９】
走査信号線とデータ信号線との交差する位置にスイッチング素子を介して画素が配設されたアクティブマトリクス基板、及び対向基板を有する液晶表示装置であって、
上記画素には、該画素を第１副画素と第２副画素とに２分割するように走査信号線が設けられており、
上記第１副画素及び第２副画素におけるアクティブマトリクス基板及び対向基板には、液晶分子を複数の配向領域に分ける配向規制構造物がそれぞれ形成されていると共に、
隣接する２画素単位における、第１副画素及び第２副画素の少なくとも一方において各配向領域の走査信号線への対向長さが上記第１副画素及び第２副画素の少なくとも一方同士との間でそれぞれ異なるように、上記配向規制構造物が形成されていることを特徴とする液晶表示装置。
【請求項６０】
走査信号線とデータ信号線と保持容量配線と、上記走査信号線とデータ信号線との交差する位置に配設されたスイッチング素子とを備えたアクティブマトリクス基板、及び対向基板を有する液晶表示装置であって、
行方向の保持容量配線と列方向のデータ信号線とで囲まれた領域に１画素が形成され、
上記画素には、該画素を第１副画素と第２副画素とに２分割するように走査信号線が設けられており、
上記第１副画素及び第２副画素におけるアクティブマトリクス基板及び対向基板には、液晶分子を複数の配向領域に分ける配向規制構造物がそれぞれ形成されていると共に、
隣接する２画素単位における、第１副画素及び第２副画素の少なくとも一方において各配向領域の走査信号線への対向長さが上記第１副画素及び第２副画素の少なくとも一方同士との間でそれぞれ異なるように、上記配向規制構造物が形成されていることを特徴とする液晶表示装置。
【請求項６１】
多数の画素が平面的に配列されてなり、各画素は走査信号線によって互いに分割された第１副画素及び第２副画素を有し、各第１副画素及び第２副画素はそれぞれ複数のドメインを有すると共に走査信号線に対して直交する対称軸に非対称に各ドメインが区画されているマルチドメイン構造を有している液晶表示装置であって、
上記画素の配列方向において互いに隣接する２画素単位では、第１副画素及び第２副画素の少なくとも一方において上記対称軸に対して各ドメイン間の境界が線対称に配置されていることを特徴とする液晶表示装置。
【請求項６２】
請求項３４〜６１のいずれか１項に記載の液晶表示装置を備えていることを特徴とするテレビジョン装置。
【発明の詳細な説明】
【技術分野】
【０００１】
本発明は、１画素内に複数の配向領域（ドメイン）を形成しうる液晶パネルおよびこれを用いた液晶表示装置等に関する。
【背景技術】
【０００２】
近年、液晶表示装置の視野角特性の改善が進められている。例えば、特許文献１に開示されたＭＶＡ（Multi domain Vertical Alignment）方式の液晶表示装置では、電極スリット１０１およびカラーフィルタ（ＣＦ）側リブ等の配向用構造物によって、１画素内に例えば４つのドメイン（domain）を形成し（図４２参照）、広視野角化を実現している。類似の技術として、特許文献２（図４３参照）には、各画素の画素電極に複数のスリット（２０１ａ・２０１ｂ）を形成する構成が開示されている。【０００３】
また、液晶表示装置のγ特性の視角依存性（正面から観測した時のγ特性と斜めから観測した時のγ特性との差異）を改善する技術として、画素分割方式（マルチ画素構造）が提案されている（例えば、特許文献３参照）。ここで、γ特性とは、表示輝度の階調依存性をいう。【０００４】
この画素分割方式の液晶表示装置では、図４４に示すように、各副画素電極３０１ａ・３０１ｂは、それぞれが対応するＴＦＴ３０２ａ・３０２ｂのドレイン電極に接続されていると共に、それぞれが対応する保持容量配線３０３・３０３と一部が重なるように配置されることによりそれぞれの保持容量が形成されている。そして、該液晶表示装置では、一方の副画素に属する保持容量に保持容量配線３０３から供給される保持容量対向電圧が、例えば、ＴＦＴがオフにされた後上昇する一方、他方の副画素に属する保持容量に保持容量配線３０３から供給される保持容量対向電圧が、当該ＴＦＴがオフにされた後下降する。これにより、２つの副画素の液晶層に印加される実効電圧が異なる。その結果、ソースバスラインから供給された表示信号電圧に対して、一方は高い電圧が副画素電極３０１ａに印加されるため高輝度（以下、「明副画素」と称する。）となり、他方は低い電圧が副画素電極３０１ｂに印加されるため低輝度（以下、「暗副画素」と称する。）となるので、２つの異なる輝度を呈し、γ特性の視角依存性を改善することができる。
【特許文献１】日本国公開特許公報「特開平１１−２４２２２５号公報（１９９９年９月７日公開）」
【特許文献２】日本国公開特許公報「特開平１０−３３３１７０号公報（１９９８年１２月１８日公開）」
【特許文献３】日本国公開特許公報「特開２００４−６２１４６号公報（２００４年０２月２６日公開）」
【特許文献４】日本国公開特許公報「特開平４−２２３４２８号公報（１９９２年０８月１３日公開）」
【特許文献５】日本国公開特許公報「特開２００１−９８２２４号公報（公開日：２００１年４月１０日）」
【特許文献６】日本国公開特許公報「特開平６−２４０４５５号公報（公開日：１９９４年８月３０日）」
【特許文献７】日本国公開特許公報「特開平１０−１０２００３号公報（公開日：１９９８年４月２１日）」
【非特許文献１】ＩＤＷ（International Display Workshops）’０３（第１０回ディスプレイ国際ワークショップ）予稿集第６１７頁
【発明の開示】
【０００５】
しかしながら、図４４に記載の液晶表示装置では、中間調表示時に各副画素内に４つの配向領域（Ｄ１〜Ｄ４）が形成されるが、走査信号線に沿う部分では走査信号線に印加されるオフ電圧により液晶分子の配向が乱れるため、各配向領域の実質的な面積バランスが変わってしまい、上下左右方向、あるいは右下、右上、左上、左下等の各方向の視野角特性を悪化させる（視野角特性の対称性が異なる）おそれがある。この課題は、特に高精細化が進み各画素が小さくなるにつれて顕著になる。
【０００６】
例えば図４４に記載の液晶表示装置では、明副画素については走査信号線に沿う配向乱れ部分ＡＬにその一部が位置する２つの配向領域（Ｄ１・Ｄ２）の面積が実質的に減少し、暗副画素についても、走査信号線に沿う配向乱れ部分ＡＢにその一部が位置する２つの配向領域（Ｄ３・Ｄ４）の面積が実質的に減少する。なお、明副画素において実質的な面積が減少する２つの配向領域の組み合わせ（Ｄ１・Ｄ２）と、暗副画素において実質的な面積が減少する２つの配向領域の組み合わせ（Ｄ３・Ｄ４）とは互いに異なっているが、明副画素と暗副画素とではＶ（電圧）−Ｔ（透過度）特性が異なるため、明・暗副画素それぞれにおける各配向領域の面積バランスは、１画素内では補償されない。
【０００７】
なお、走査信号線に沿う部分で走査信号線に印加されるゲートオフ電位によって液晶分子の配向方向が乱れる理由は、１画素を構成する２つの副画素（明・暗副画素）間に走査信号線が走るような液晶表示装置においては、共通電極の電位Ｖｃｏｍと上記ゲートオフ電位との電位差が、共通電極の電位Ｖｃｏｍと保持容量配線あるいはソースバスラインとの電位差に比較して大きいためである。ちなみに、走査信号線、データ信号線および保持容量配線に供給される電位は、例えば、ゲートオフ電位ＶｇＬは−６〔Ｖ〕、ゲートオン電位ＶｇＨは３５〔Ｖ〕、データ信号線への信号電位Ｖｓは０．２〜１５．２〔Ｖ〕、保持容量配線への供給電位は共通電極の電位Ｖｃｏｍ±１〔Ｖ〕、共通電極の電位Ｖｃｏｍは信号電位Ｖｓの中間電位であり、ゲートオフ期間においては、ゲートオフ電位ＶｇＬと共通電極の電位Ｖｃｏｍとの電位差が最も大きくなる。
【０００８】
このような、走査信号線に沿う部分の配向乱れによる影響は図４４のような画素分割方式の液晶表示装置に限られない。例えば、図４３のような画素分割方式ではない液晶表示装置でも、画素電極の上下にはそれぞれ走査信号線が走るため、これに沿って配向乱れが発生し、スリット２０１ａの（図中）右下部分の配向領域と、スリット２０１ｂの（図中）右上部分の配向領域とについては、その面積が実質的に減少する。すなわち、特定の配向領域だけその面積が減少することから、１画素単位において各配向領域の面積バランスが崩れ、視野角特性を悪化させる（視野角特性の対称性が異なってしまう）おそれがある。
【０００９】
本発明は、上記課題に鑑みなされたものであり、その目的は、各画素に複数の配向領域を形成することが可能な液晶パネルにおいて、走査信号線沿いの配向乱れによる視野角特性の悪化を抑えられる構成を提案することにある。
【００１０】
本発明の液晶パネルは、画素領域、該画素領域を横切る走査信号線、およびデータ信号線を有するアクティブマトリクス基板とこれに対向する対向基板とこれら両基板間に配された液晶層とを備え、該画素領域と対向基板の該画素領域に対応する部分とを含むように画素が構成された液晶パネルであって、各画素領域には、走査信号線を挟むように第１および第２副画素領域が設けられ、上記第１副画素領域と対向基板の該第１副画素領域に対応する部分とを含むように第１副画素が構成されるとともに、上記第２副画素領域と対向基板の該第２副画素領域に対応する部分とを含むように第２副画素が構成され、第１副画素に第１配向規制構造物が設けられるとともに、第２副画素に第２配向規制構造物が設けられており、隣接する２つの画素の一方に設けられた第１配向規制構造物の形状は、上記２つの画素のもう一方に設けられた第１配向規制構造物を１８０°回転させて得られる形状であることを特徴とする。
【００１１】
本液晶パネルでは、各画素において、第１副画素には第１配向規制構造物（第１配向規制用構造物）によって複数の配向領域（ドメイン）が形成されるとともに、第２副画素には第２配向規制構造物（第２配向規制用構造物）によって複数の配向領域（ドメイン）が形成される。ここで、隣接する２つの画素の一方に設けられた第１配向規制構造物の形状は、上記２つの画素のもう一方に設けられた第１配向規制構造物を１８０°回転させて得られる形状であるため、上記２つの画素を画素Ｘ・画素Ｙとすれば、画素Ｘの第１副画素において走査信号線に沿った部分に形成される配向領域の種類と、画素Ｙの第１副画素において走査信号線に沿った部分に形成される配向領域の種類とが異なることになる。
【００１２】
したがって、隣接する２つの画素（Ｘ・Ｙ）を１単位と考えると、これに属する２つの第１副画素（例えば、隣り合う２つの明副画素）が受ける配向乱れ部分が２種類以上の配向領域に分散され、特定の配向領域に偏って配向乱れの影響を受けることがなくなる。
【００１３】
このように、本構成によれば、隣接する２画素単位において、走査信号線に起因する配向乱れの影響を複数の配向領域に分散させることができる。これにより、設計時に意図した視野角特性のバランスが維持され、視野角特性の優れた液晶表示装置を実現することができる。
【００１４】
本構成は、上記第１配向規制構造物をパネル面に平行でかつ走査信号線を含む平面に投影した場合に、第１副画素領域の中央を通って該走査信号線に垂直な直線に対して非対称な形状になるとともに第１副画素領域の中央を通って該走査信号線に平行な直線に対して対称な形状になり、上記第２配向規制構造物をパネル面に平行でかつ走査信号線を含む平面に投影した場合に、第２副画素領域の中央を通って該走査信号線に垂直な直線に対して非対称な形状になるとともに第２副画素領域の中央を通って該走査信号線に平行な直線に対して対称な形状になる、例えばＭＶＡ方式の液晶パネルに好適である。
【００１５】
本液晶パネルにおいては、各画素において、第１副画素は表示時の明画素に対応し、第２副画素は表示時の暗画素に対応することが好ましい。明画素における配向乱れは暗画素のそれよりも視野角特性のバランスに与える影響が大きいからである。
【００１６】
本液晶パネルにおいては、上記隣接する２つの画素は、同色の画素である（データ信号線に沿った方向に隣接している）ことが好ましい。こうすれば、同色の隣り合う第１副画素（例えば、同色の隣り合う２つの明副画素）が受ける配向乱れ部分が２種類以上の配向領域に分散されることになるため、視野角特性をより高めることができる。
【００１７】
本液晶パネルにおいては、同一のデータ信号線に接続する第１および第２のトランジスタを備え、上記第１副画素領域には第１の画素電極が設けられるとともに、第２副画素領域には第２の画素電極が設けられ、上記第１の画素電極が第１のトランジスタに接続され、上記第２の画素電極が第２のトランジスタに接続されている構成とすることができる。
【００１８】
本液晶パネルにおいては、上記第１配向規制構造物には、対向基板に設けられたリブ、第１の画素電極に形成されたスリット、および対向基板の共通電極に形成されたスリットの少なくとも１つが含まれており、上記第２配向規制構造物には、対向基板に設けられたリブ、第２の画素電極に形成されたスリット、および対向基板の共通電極に形成されたスリットの少なくとも１つが含まれている構成とすることができる。
【００１９】
本液晶パネルにおいては、隣接する２つの画素の一方に設けられた第２配向規制構造物の形状は、上記２つの画素のもう一方に設けられた第２配向規制構造物を１８０°回転させて得られる形状であることが望ましい。こうすれば、隣り合う第１副画素（例えば、隣り合う２つの明副画素）が受ける配向乱れ部分が２種類以上の配向領域に分散されるとともに、隣り合う第２副画素（例えば、隣り合う２つの暗副画素）が受ける配向乱れ部分も２種類以上の配向領域に分散されることになり、視野角特性をより高めることができる。
【００２０】
本液晶パネルにおいては、各画素において、第１および第２配向規制構造物の形状がほぼ同一であることが望ましい。こうすれば、表示時における明・暗画素の配置の自由度が高まる。
【００２１】
本液晶パネルにおいては、隣接する２つの画素の一方に設けられた第１配向規制構造物によって、該第１副画素には、走査信号線に沿う部分に複数の配向が形成可能であり、上記隣接する２つの画素のもう一方に設けられた第１配向規制構造物によって、該第１副画素には、走査信号線に沿う部分に複数の配向が形成可能であることが望ましい。こうすれば、上記の単位（隣接する２つの画素）に属する２つの第１副画素（例えば、隣り合う２つの明副画素）が受ける配向乱れ部分が４種類以上の配向領域に分散されることになり、視野角特性を一層高めることができる。
【００２２】
本液晶パネルにおいては、走査信号線に沿う方向を行方向として、上記第１副画素領域は行方向に沿った２つの端部を有する形状であり、上記第１配向規制構造物には、行方向に視て、第１副画素領域の上記２つの端部それぞれと重なるとともに両端部間で屈折するＶ字の形状をなす上記リブ、第１の画素電極に形成され、行方向に視て上記Ｖ字の形状をなすスリット、および上記共通電極に形成され、行方向に視て上記Ｖ字の形状をなすスリットの少なくとも１つが含まれている構成とすることもできる。また、走査信号線に沿う方向を行方向として、上記第２副画素領域は行方向に沿った２つの端部を有する形状であり、上記第２配向規制構造物には、行方向に視て、第２副画素領域の上記２つの端部それぞれと重なるとともに両端部間で屈折するＶ字の形状をなす上記リブ、第２の画素電極に形成され、行方向に視て上記Ｖ字の形状をなすスリット、および上記共通電極に形成され、行方向に視て上記Ｖ字の形状をなすスリットの少なくとも１つが含まれている構成とすることもできる。
【００２３】
本液晶パネルにおいては、赤、緑、青に対応する行方向に並んだ３つの画素を１つの画素群として、行方向に隣接する２つの画素群に含まれる２つの同色の画素について、一方の画素に設けられた第１配向規制構造物の形状は、もう一方の画素に設けられた第１配向規制構造物を１８０°回転させて得られる形状である構成とすることもできる。こうすれば、行方向に隣り合う同色の第１副画素（例えば、行方向に隣り合う同色の２つの明副画素）が受ける配向乱れ部分も２種類以上の配向領域に分散されることになり、視野角特性をより高めることができる。
【００２４】
本液晶パネルにおいては、第１の画素電極あるいは第１のトランジスタに接続する容量電極と保持容量を形成する第１の保持容量配線と、第２の画素電極あるいは第２のトランジスタに接続する容量電極と保持容量を形成する第２の保持容量配線とを備える構成であってもよい。該液晶パネルを用いた液晶表示装置では、上記第１および第２の保持容量配線は、それぞれの電位波形の位相が互いに１８０度ずれるように電位制御される構成とすることもできる。この場合、上記第１の保持容量配線が、上記各トランジスタがオフされた後に電位が上昇してその状態が次フレームで上記各トランジスタがオフされるまで続くように電位制御されるとともに、上記第２の保持容量配線が、上記各トランジスタがオフされた後に電位が下降してその状態が次フレームで上記各トランジスタがオフされるまで続くように電位制御されるか、あるいは、上記第１の保持容量配線が、上記各トランジスタがオフされた後に電位が下降してその状態が次フレームで上記各トランジスタがオフされるまで続くように電位制御されるとともに、上記第２の保持容量配線が、上記各トランジスタがオフされた後に電位が上昇してその状態が次フレームで上記各トランジスタがオフされるまで続くように電位制御されてもよい。また、上記第１の保持容量配線の電位が上昇するのと、第２の保持容量配線の電位が下降するのとが一水平期間ずれているか、あるいは、上記第１の保持容量配線の電位が下降するのと、第２の保持容量配線の電位が上昇するのとが一水平期間ずれていてもよい。
【００２５】
本液晶パネルにおいては、第１のトランジスタのドレイン電極は、第１のドレイン引き出し配線と第１のコンタクトホールとを介して第１の画素電極に接続されるとともに、第２のトランジスタのドレイン電極は、第２のドレイン引き出し配線と第２のコンタクトホールとを介して第２の画素電極に接続され、上記第１のドレイン引き出し配線の少なくとも一部が、第１配向規制構造物に重なるとともに、上記第２のドレイン引き出し配線の少なくとも一部が、第２配向規制構造物に重なる構成とすることもできる。また、上記第１のコンタクトホールの少なくとも一部が第１配向規制構造物に重なるとともに、上記第２のコンタクトホールの少なくとも一部が第２配向規制構造物に重なる構成とすることもできる。こうすれば、各配向規制構造物が遮光性である場合に、開口率を高めることができる。
【００２６】
本液晶パネルにおいては、第１の保持容量配線からは第１の画素電極と重なるように第１の保持容量配線延伸部が延伸するとともに、第２の保持容量配線からは第２の画素電極と重なるように第２の保持容量配線延伸部が延伸し、上記第１の保持容量配線延伸部の少なくとも一部が第１配向規制構造物に重なるとともに、上記第２保持容量配線延伸部の少なくとも一部が第２配向規制構造物に重なる構成とすることもできる。こうすれば、開口率を維持しつつ、各保持容量配線延伸部によって保持容量を増加させることができる。
【００２７】
本液晶パネルにおいては、第１のトランジスタのドレイン電極は、第１のドレイン引き出し配線と第１のコンタクトホールとを介して第１の画素電極に接続されるとともに、第２のトランジスタのドレイン電極は、第２のドレイン引き出し配線と第２のコンタクトホールとを介して第２の画素電極に接続され、第１のドレイン引き出し配線は、第１の保持容量配線延伸部と重なる第１の重畳部を有するとともに、第２のドレイン引き出し配線は、第２の保持容量配線延伸部と重なる第２の重畳部を有する構成とすることもできる。
【００２８】
こうすれば、例えば、第１のトランジスタに動作不良が発生した場合に、第１の重畳部下の絶縁膜を貫通させて第１の保持容量配線延伸部と第１のドレイン引き出し配線とを接続するとともに、このドレイン引き出し配線を、第１のコンタクトホールと第１のドレイン電極との間で断線させることができる。これにより、欠陥画素に存在する第１の画素電極と第１の保持容量配線とを第１の保持容量配線延伸部を介して接続することができ、該第１の画素電極を第１の保持容量配線の電位に落とすことができる。
【００２９】
この場合、第１配向規制構造物には、上記第１の画素電極に形成されたスリットが含まれるとともに、第２配向規制構造物には、上記第２の画素電極に形成されたスリットが含まれ、上記第１の重畳部と第１のドレイン電極との間に上記第１のコンタクトホールが形成されるとともに、上記第２の重畳部と第２のドレイン電極との間に上記第２のコンタクトホールが形成され、上記第１のドレイン引き出し配線は、第１のドレイン電極と第１のコンタクトホールとの間にいずれかのスリットと重なる部分を有するとともに、上記第２のドレイン引き出し配線は、第２のドレイン電極と第２のコンタクトホールとの間にいずれかのスリットと重なる部分を有する構成とすることもできる。こうすれば、上記断線を画素電極のない部分で行うことができ、断線が容易になる。
【００３０】
本液晶パネルにおいては、第１のトランジスタのドレイン電極は、第１のドレイン引き出し配線と１以上のコンタクトホールとを介して第１の画素電極に接続されるとともに、第２のトランジスタのドレイン電極は、第２のドレイン引き出し配線と１以上のコンタクトホールとを介して第２の画素電極に接続され、上記第１のドレイン引き出し配線にはコンタクトホールと交差する刳り貫き部が形成されるとともに、上記第２のドレイン引き出し配線にもコンタクトホールと交差する刳り貫き部が形成されている構成とすることもできる。こうすれば、上記刳り貫き部によって開口率を高めることができる。なお、コンタクトホールを複数とすれば、ドレイン引き出し配線と各画素電極との電気的接続について冗長性が確保でき、接続不良を抑制することができる。
【００３１】
本液晶パネルにおいては、データ信号線に沿う方向を列方向、走査信号線に沿う方向を行方向として、上記第１のドレイン引き出し配線には２つのコンタクトホールそれぞれに対応して延伸形状の刳り貫き部が２つ形成されるとともに、一方の刳り貫き部の延伸方向が列方向であってもう一方の刳り貫き部の延伸方向が行方向であり、上記第２のドレイン引き出し配線には２つのコンタクトホールそれぞれに対応して延伸形状の刳り貫き部が２つ形成されるとともに、その一方の刳り貫き部の延伸方向が列方向であって、もう一方の刳り貫き部の延伸方向が行方向である構成とすることもできる。こうすれば、アライメントずれが生じてもコンタクト面積の変動を抑制することができる。
【００３２】
本液晶パネルは、画素領域、走査信号線およびデータ信号線を有するアクティブマトリクス基板とこれに対向する対向基板とこれら両基板間に配された液晶層とを備え、上記画素領域と対向基板の該画素領域に対応する部分とを含むように画素が構成されるとともに、該画素に配向規制構造物が設けられた液晶パネルであって、各画素には、上記配向規制構造物によって、この画素を挟むように配された２本の走査信号線の一方に沿う部分に第１および第２の配向が形成可能であるとともに、上記２本の走査信号線のもう一方に沿う部分に第３および第４の配向が形成可能であり、かつ、隣接する２つの画素の一方に設けられた上記配向規制構造物の形状は、該２つの画素のもう一方に設けられた配向規制構造物を１８０°回転させて得られる形状であることを特徴とする。
【００３３】
本液晶パネルでは、各画素において、上記配向規制構造によって複数の配向領域（ドメイン）が形成される。上記構成によれば、一方の走査信号線に沿う部分に第１および第２の配向が形成可能であるとともに、もう一方の走査信号線に沿う部分に第３および第４の配向が形成可能であるため、１画素単位において、上下２本の走査信号線による配向乱れ部分（配向乱れの影響）が４種類の配向領域（これをＤ１〜Ｄ４とする）に分散される。これにより、特定の配向領域に偏って配向乱れの影響を受けることがなくなる。
【００３４】
さらに、本構成では、隣接する２つの画素（これを画素Ｘ・Ｙとする）の一方に設けられた第１配向規制構造物の形状は、上記２つの画素のもう一方に設けられた第１配向規制構造物を１８０°回転させて得られる形状である。したがって、例えば上記ＭＶＡ方式の液晶パネルにおいて画素Ｘ・Ｙを考えた場合に、画素Ｘにおける配向領域Ｄ１の配向乱れ面積＋画素Ｙにおける配向領域Ｄ１の配向乱れ面積と、画素Ｘにおける配向領域Ｄ２の配向乱れ面積＋画素Ｙにおける配向領域Ｄ２の配向乱れ面積と、画素Ｘにおける配向領域Ｄ３の配向乱れ面積＋画素Ｙにおける配向領域Ｄ３の配向乱れ面積と、画素Ｘにおける配向領域Ｄ４の配向乱れ面積＋画素Ｙにおける配向領域Ｄ４の配向乱れ面積とを互いに近づけることができる。すなわち、隣接する２画素（Ｘ・Ｙ）間で各配向領域における配向乱れ面積を補償し合うことになる。
【００３５】
このように、本構成によれば、１画素単位において、走査信号線に起因する配向乱れの影響を各配向領域（Ｄ１〜Ｄ４）に分散させ、かつ、列方向に隣接する２画素単位において、各配向領域（Ｄ１〜Ｄ４）が受ける配向乱れの影響を均一化させることができる。これにより、設計時に意図した視野角特性のバランスが維持され、視野角特性の優れた液晶表示装置を実現することができる。
【００３６】
本構成は、上記のとおり、上記配向規制構造物をパネル面に平行でかつ走査信号線を含む平面に投影した場合に、画素領域の中央を通って該走査信号線に垂直な直線に対して非対称な形状になるとともに画素領域の中央を通って該走査信号線に平行な直線に対して対称な形状になる、例えばＭＶＡ方式の液晶パネルに好適である。
【００３７】
本液晶パネルにおいては、上記配向規制構造物の一部が、各画素における上記２本の走査信号線の一方に沿う部分と、上記２本の走査信号線のもう一方に沿う部分とに位置する構成とすることもできる。
【００３８】
本液晶パネルにおいては、上記隣接する２つの画素は、同色の画素である構成とすることもできる。
【００３９】
本液晶パネルにおいては、上記２本の走査信号線である第１および第２の走査信号線はともに、これらによって挟まれる画素に対応している構成（画素分割方式に対応する構成）とすることもできる。この場合、本液晶パネルにおいては、データ信号線および第１の走査信号線に接続する第１のトランジスタと、このデータ信号線および第２の走査信号線に接続する第２のトランジスタとを備え、上記画素領域には、１つあるいは電気的に接続された複数の透明電極からなる第１の画素電極と、１つあるいは電気的に接続された複数の透明電極からなる第２の画素電極とが設けられ、上記第１の画素電極が第１のトランジスタに接続され、上記第２の画素電極が第２のトランジスタに接続されている構成とすることもできる。さらに、上記配向規制構造物には、対向基板に設けられたリブ、透明電極の間隙、透明電極に形成されたスリット、および対向基板の共通電極に形成されたスリットの少なくとも１つが含まれている構成としてもよい。このとき、走査信号線に沿う方向を行方向として、上記配向規制構造物には、行方向に視てＶ字形状をなす上記リブ、行方向に視てＶ字形状をなす上記間隙、透明電極に形成され、行方向に視てＶ字形状をなす上記スリット、および対向基板の共通電極に形成され、行方向に視てＶ字形状をなす上記スリットの少なくとも１つが含まれている構成としてもよい。
【００４０】
本液晶パネルにおいては、上記２本の走査信号線の一方である第１の走査信号線は、該２本の走査信号線で挟まれる第１の画素に対応して設けられ、上記２本の走査信号線のもう一方である第２の走査信号線は、上記第１の画素に隣接する第２の画素に対応して設けられている構成とすることもできる。この場合、第１の画素は第１の走査信号線に接続するトランジスタを備え、該トランジスタは第１の画素の画素領域に設けられた画素電極に接続され、第２の画素は第２の走査信号線に接続するトランジスタを備え、該トランジスタは第２の画素の画素領域に設けられた画素電極に接続されている構成とすることもできる。さらに、上記配向規制構造物には、対向基板に設けられたリブ、画素電極に形成されたスリット、および対向基板の共通電極に形成されたスリットの少なくとも１つが含まれている構成とすることもできる。このとき、走査信号線に沿う方向を行方向として、各画素に設けられた配向規制構造物には、行方向に視てＶ字形状をなす上記リブ、画素電極に形成され、行方向に視てＶ字形状をなす上記スリット、および対向基板の共通電極に形成され、行方向に視てＶ字形状をなす上記スリットの少なくとも１つが含まれている構成とすることもできる。なお、第２の走査信号線と第１の画素の画素電極とが重なる部分を有し、第２の走査信号線が第１の画素の保持容量配線として機能する構成とすることもできる。
【００４１】
本液晶表示装置は上記液晶パネルを備えることを特徴とする。
【００４２】
本発明の液晶表示装置は、上記課題を解決するために、走査信号線とデータ信号線との交差する位置にスイッチング素子を介して画素が配設されたアクティブマトリクス基板、及び対向基板を有する液晶表示装置であって、上記画素には、該画素を第１副画素と第２副画素とに２分割するように走査信号線が設けられており、上記第１副画素及び第２副画素には、平面「＞」形状又は平面「＜」形状の配向規制構造物がそれぞれ形成されていると共に、互いに隣接する２画素単位では、第１副画素及び第２副画素の少なくとも一方において上記平面「＞」形状の配向規制構造物と該配向規制構造物を１８０度回転した平面「＜」形状の配向規制構造物とが組み合わされていることを特徴としている。
【００４３】
本発明の液晶表示装置は、上記課題を解決するために、走査信号線とデータ信号線と保持容量配線と、上記走査信号線とデータ信号線との交差する位置に配設されたスイッチング素子とを備えたアクティブマトリクス基板、及び対向基板を有する液晶表示装置であって、行方向の保持容量配線と列方向のデータ信号線とで囲まれた領域に１画素が形成され、上記画素には、該画素を第１副画素と第２副画素とに２分割するように走査信号線が設けられており、上記第１副画素及び第２副画素には、平面「＞」形状又は平面「＜」形状の配向規制構造物がそれぞれ形成されていると共に、互いに隣接する２画素単位では、第１副画素及び第２副画素の少なくとも一方において上記平面「＞」形状の配向規制構造物と該配向規制構造物を１８０度回転した平面「＜」形状の配向規制構造物とが組み合わされていることを特徴としている。
【００４４】
なお、平面「＞」形状又は平面「＜」形状は、必ずしも「＞」又は「＜」の先細り部分が閉じたものではなく、離れていてもよい。
【００４５】
上記の発明によれば、走査信号線とデータ信号線との交差する位置にスイッチング素子を介して画素が配設されている。なお、行方向の保持容量配線と列方向のデータ信号線とで囲まれた領域に１画素が形成されていてもよい。上記画素には、該画素を第１副画素と第２副画素とに２分割するように走査信号線が設けられている。また、第１副画素及び第２副画素には、平面「＞」形状又は平面「＜」形状の例えばリブやスリット等の配向規制構造物がそれぞれ形成されている。
【００４６】
このような、液晶分子を複数の配向領域に分けた垂直配向モードとマルチ画素構造とを組み合わせた液晶表示装置においては、走査信号線に沿って配向乱れ領域が発生するので、その部分の配向領域面積が実質的に減少し、各配向領域面積が実質的に異なることとなり、上下左右方向、或いは右下、右上、左上、左下等の各方向の視野角特性を悪化させる虞があるという問題点を有している。
【００４７】
そこで、本発明では、互いに隣接する２画素単位では、平面「＞」形状の配向規制構造物の場合には上記平面「＞」形状の配向規制構造物と該配向規制構造物を１８０度回転した平面「＜」形状の配向規制構造物とが組み合わされている一方、上記平面「＜」形状の配向規制構造物の場合には上記平面「＜」形状の配向規制構造物と、該配向規制構造物を１８０度回転した平面「＞」形状の配向規制構造物とが組み合わされている。このため、２画素単位においては、少なくとも各第１副画素の各配向領域同士における、走査信号線に沿った配向乱れ領域の割合は、均等に配されていることになる。この結果、設計時に意図した視野角特性のバランスが損なわれることを抑制できる。
【００４８】
したがって、液晶分子を複数の配向領域に分けた垂直配向モードとマルチ画素構造とを組み合わせた液晶表示装置において、画素を分断する走査信号線に沿って発生する配向乱れ領域による視野角特性の悪化を抑制し得る液晶表示装置を提供することができる。
【００４９】
また、本発明の液晶表示装置では、前記第１副画素は、スイッチング素子である第１トランジスタのドレイン電極に接続される第１副画素電極を有する一方、第２副画素は、スイッチング素子である第２トランジスタのドレイン電極に接続される第２副画素電極を有すると共に、上記第１副画素電極の電位及び第２副画素電極の電位は、それぞれ個別に制御されていてもよい。
【００５０】
したがって、例えば、第１副画素を明副画素、第２副画素を暗副画素とすることができるので、γ特性の視角依存性を改善するための画素分割駆動を実現することができる。
【００５１】
また、本発明の液晶表示装置では、前記第１副画素は、スイッチング素子である第１トランジスタのドレイン電極に接続される第１副画素電極を有する一方、第２副画素は、スイッチング素子である第２トランジスタのドレイン電極に接続される第２副画素電極を有すると共に、上記第１副画素は、上記第１副画素電極と、該第１副画素電極の端部側に配された前記保持容量配線である第１保持容量配線との間に第１保持容量を形成する一方、上記第２副画素は上記第２副画素電極と該第２副画素電極の端部側に配された前記保持容量配線である第２保持容量配線との間に第２保持容量を形成すると共に、上記各保持容量配線を個別に電位制御することにより、上記第１副画素電極の電位及び第２副画素電極の電位をそれぞれ個別に制御する保持容量配線電圧制御部が設けられていてもよい。
【００５２】
上記の発明によれば、保持容量配線電圧制御部は、各保持容量配線を個別に電位制御することにより、上記第１副画素電極の電位及び第２副画素電極の電位をそれぞれ個別に制御する。
【００５３】
したがって、例えば、第１副画素を明副画素、第２副画素を暗副画素とすることができるので、γ特性の視角依存性を改善するための画素分割駆動を実現することができる。
【００５４】
なお、「第１副画素は、上記第１副画素電極と、該第１副画素電極の端部側に配された前記保持容量配線である第１保持容量配線との間に第１保持容量を形成する一方、上記第２副画素は上記第２副画素電極と該第２副画素電極の端部側に配された前記保持容量配線である第２保持容量配線との間に第２保持容量を形成する」とは、第１保持容量及び第２保持容量が、第１副画素電極及び第２副画素電極と保持容量配線との間にゲート絶縁膜や層間絶縁膜を挟んで形成されてもよいし、或いは、保持容量配線上に保持容量上電極を設け、保持容量配線と保持容量上電極とがゲート絶縁膜を挟んで第１保持容量及び第２保持容量とし、保持容量上電極と第１副画素電極及び第２副画素電極とを接続するようにしてもよい。
【００５５】
また、本発明の液晶表示装置では、ある中間調表示状態において、各保持容量配線信号は、前記第１副画素と第２副画素とが輝度差を生じるように制御され、上記第１副画素の輝度が第２副画素の輝度よりも高い。
【００５６】
これにより、明第１副画素と暗第２副画素とを生成することができる。
【００５７】
なお、「中間調」とは、黒（最低階調）及び白（最高階調）を除く任意の階調を指す。
【００５８】
また、本発明の液晶表示装置では、ある中間調表示状態において前記第２副画素よりも輝度が高い前記第１副画素において、互いに隣接する２画素単位では、前記平面「＞」形状の配向規制構造物と該配向規制構造物を１８０度回転した平面「＜」形状の配向規制構造物とが組み合わされている。
【００５９】
これにより、輝度が高い前記第１副画素が、各画素において、配向規制構造物が逆向きとなる。このため、少なくとも明副画素となる各第１副画素では、各配向領域同士において、走査信号線に沿った配向乱れ領域の割合は均等に配されているので、上記第２副画素よりも比較的視認され易い上記輝度が高い第１副画素は視野角特性には殆ど影響を与えない。したがって、中間調表示を行う場合に、垂直配向モードのいわゆるマルチ画素構造の液晶表示装置において、設計時に意図した視野角特性のバランスが損なわれることを抑制できる。
【００６０】
また、本発明の液晶表示装置では、１画素における第１副画素及び第２副画素の前記配向規制構造物は、平面「＞」形状を繰り返した平面２連「＞」形状又は平面「＜」形状を繰り返した平面２連「＜」形状に形成されていると共に、互いに隣接する２画素単位では、上記平面２連「＞」形状の配向規制構造物と、該配向規制構造物を１８０度回転した平面２連「＜」形状の配向規制構造物とが組み合わされていてもよい。
【００６１】
これにより、１画素全体では、平面２連「＞」形状の配向規制構造物、又は該配向規制構造物を１８０度回転した平面２連「＜」形状の配向規制構造物が配されていることになる。この結果、ある１画素では液晶分子を４つの配向領域×２に分けることができる。そして、この１画素に隣接する１画素では、平面２連「＞」形状、又は該配向規制構造物を１８０度回転した平面２連「＜」形状に配されているので、この１画素全体でも液晶分子を４つの配向領域×２に分けることができる。したがって、全ての１画素において、液晶分子の４つの配向領域×２を確保できる。
【００６２】
また、互いに隣接する２画素単位では、上記平面２連「＞」形状の配向規制構造物と、該配向規制構造物を１８０度回転した平面２連「＜」形状の配向規制構造物とが組み合わされているという関係を満たしているので、画素を分断する走査信号線に沿って発生する配向乱れ領域による視野角特性の悪化を抑制することができ、設計時に意図した視野角特性のバランスが損なわれることを抑制できる。
【００６３】
また、本発明の液晶表示装置は、上記課題を解決するために、走査信号線とデータ信号線との交差する位置にスイッチング素子を介して画素が配設されたアクティブマトリクス基板、及び対向基板を有する液晶表示装置であって、上記画素には、該画素を第１副画素と第２副画素とに２分割するように走査信号線が設けられており、上記第１副画素及び第２副画素には、平面「＞」形状又は平面「＜」形状の配向規制構造物がそれぞれ形成されていると共に、上記画素は、赤、緑、青に対応する画素群からなる１絵素を構成し、互いに隣接する上記絵素同士では、上記平面「＞」形状の配向規制構造物と該配向規制構造物を１８０度回転した平面「＜」形状の配向規制構造物とが組み合わされていることを特徴としている。
【００６４】
また、本発明の液晶表示装置は、上記課題を解決するために、走査信号線とデータ信号線と保持容量配線と、上記走査信号線とデータ信号線との交差する位置に配設されたスイッチング素子とを備えたアクティブマトリクス基板、及び対向基板を有する液晶表示装置であって、行方向の保持容量配線と列方向のデータ信号線とで囲まれた領域に１画素が形成され、上記画素には、該画素を第１副画素及び第２副画素に２分割するように走査信号線が設けられており、上記第１副画素及び第２副画素には、平面「＞」形状又は平面「＜」形状の配向規制構造物がそれぞれ形成されていると共に、上記画素は、赤、緑、青に対応する画素群からなる１絵素を構成し、互いに隣接する上記絵素同士では、上記平面「＞」形状の配向規制構造物と該配向規制構造物を１８０度回転した平面「＜」形状の配向規制構造物とが組み合わされていることを特徴としている。
【００６５】
上記の発明によれば、互いに隣接する上記絵素同士では、上記平面「＞」形状の配向規制構造物と該配向規制構造物を１８０度回転した平面「＜」形状の配向規制構造物とが組み合わされている。したがって、隣接する絵素の同色画素において、各色の視野角均一性の低下を抑制することができる。すなわち、色表示において設計時に意図した視野角特性のバランスが損なわれることを抑制することができ、特に単色表示時に好適である。
【００６６】
本発明の液晶表示装置は、上記課題を解決するために、走査信号線とデータ信号線との交差する位置にスイッチング素子を介して画素が配設されたアクティブマトリクス基板、及び対向基板を有する液晶表示装置であって、上記画素には、該画素を第１副画素と第２副画素とに２分割するように走査信号線が設けられており、上記第１副画素及び第２副画素には、平面「＞」形状又は平面「＜」形状の配向規制構造物がそれぞれ形成されていると共に、上記画素は、赤、緑、青に対応する画素群からなる１絵素を構成し、互いに隣接する上記１絵素の同色画素同士では、上記平面「＞」形状の配向規制構造物と該配向規制構造物を１８０度回転した平面「＜」形状の配向規制構造物とが組み合わされていることを特徴としている。
【００６７】
本発明の液晶表示装置は、上記課題を解決するために、走査信号線とデータ信号線と保持容量配線と、上記走査信号線とデータ信号線との交差する位置に配設されたスイッチング素子とを備えたアクティブマトリクス基板、及び対向基板を有する液晶表示装置であって、行方向の保持容量配線と列方向のデータ信号線とで囲まれた領域に１画素が形成され、上記画素には、該画素を第１副画素及び第２副画素に２分割するように走査信号線が設けられており、上記第１副画素及び第２副画素には、平面「＞」形状又は平面「＜」形状の配向規制構造物がそれぞれ形成されていると共に、上記画素は、赤、緑、青に対応する画素群からなる１絵素を構成し、互いに隣接する上記１絵素の同色画素同士では、上記平面「＞」形状の配向規制構造物と該配向規制構造物を１８０度回転した平面「＜」形状の配向規制構造物とが組み合わされていることを特徴としている。
【００６８】
上記の発明によれば、互いに隣接する上記１絵素の同色画素同士では、上記平面「＞」形状の配向規制構造物と該配向規制構造物を１８０度回転した平面「＜」形状の配向規制構造物とが組み合わされている。したがって、隣接する同色画素において、各色の視野角均一性の低下を抑制することができる。すなわち、色表示において設計時に意図した視野角特性のバランスが損なわれることを抑制することができ、特に単色表示時に好適である。
【００６９】
また、本発明の液晶表示装置では、前記第１副画素は、スイッチング素子である第１トランジスタのドレイン電極に接続される第１副画素電極を有する一方、第２副画素は、スイッチング素子である第２トランジスタのドレイン電極に接続される第２副画素電極を有すると共に、上記第１副画素及び第２副画素に設けられた各ドレイン電極は、それぞれドレイン引き出し配線を介して第１副画素電極又は第２副画素電極に接続されていると共に、上記少なくとも１つの画素のドレイン引き出し配線は、前記配向規制構造物と重畳して配設されていてもよい。
【００７０】
すなわち、ドレイン電極及びドレイン引き出し配線は、一般的に、不透明な金属配線で形成されるので、ドレイン引き出し配線が第１副画素電極又は第２副画素電極と重畳すると、表示面積であるいわゆる開口領域を低下することになる。この点、本発明では、少なくとも１つの画素のドレイン引き出し配線は、例えばリブやスリット等の配向規制構造物と重畳して配設されている。したがって、開口領域として寄与しない領域にドレイン引き出し配線を設けることができるので、開口率の低下を抑制することができる。
【００７１】
また、本発明の液晶表示装置では、前記保持容量配線は、画素側に延びる保持容量配線延伸部を有すると共に、上記保持容量配線延伸部は、前記配向規制構造物と重畳して配設されていてもよい。
【００７２】
すなわち、保持容量配線及び保持容量配線延伸部は、一般的に、不透明な金属配線で形成されるので、保持容量配線延伸部が第１副画素電極又は第２副画素電極と重畳すると、表示面積であるいわゆる開口領域を低下することになる。この点、本発明では、保持容量配線延伸部は、例えばリブやスリット等の配向規制構造物と重畳して配設されている。したがって、開口領域として寄与しない領域に保持容量配線延伸部を設けることができるので、開口率の低下を抑制することができる。
【００７３】
また、本発明の液晶表示装置では、前記第１副画素は、スイッチング素子である第１トランジスタのドレイン電極に接続される第１副画素電極を有する一方、第２副画素は、スイッチング素子である第２トランジスタのドレイン電極に接続される第２副画素電極を有すると共に、上記第１副画素及び第２副画素に設けられた各ドレイン電極は、それぞれドレイン引き出し配線を介して第１副画素電極又は第２副画素電極に接続されており、上記少なくとも１つの画素のドレイン引き出し配線は、前記配向規制構造物と重畳して配設されていると共に、前記保持容量配線は、画素側に延びる保持容量配線延伸部を有し、上記保持容量配線延伸部は、前記配向規制構造物と重畳して配設されていてもよい。
【００７４】
これにより、開口領域として寄与しない領域にドレイン引き出し配線及び保持容量配線延伸部を設けることができるので、開口率の低下を抑制することができる。
【００７５】
また、本発明の液晶表示装置では、前記第１副画素は、スイッチング素子である第１トランジスタのドレイン電極に接続される第１副画素電極を有する一方、第２副画素は、スイッチング素子である第２トランジスタのドレイン電極に接続される第２副画素電極を有すると共に、上記第１副画素及び第２副画素に設けられた各ドレイン電極は、それぞれドレイン引き出し配線を介して第１副画素電極又は第２副画素電極に接続されていると共に、前記保持容量配線は、上記ドレイン引き出し配線側に延びる保持容量配線延伸部を有し、かつ上記保持容量配線延伸部は、上記ドレイン引き出し配線と絶縁膜を介して重畳する重畳部を有すると共に、上記重畳部は、絶縁膜の貫通により上記ドレイン引き出し配線と保持容量配線延伸部との接続が可能となっていてもよい。
【００７６】
上記発明によれば、保持容量配線は、ドレイン引き出し配線側に延びる保持容量配線延伸部を有し、かつ保持容量配線延伸部は、ドレイン引き出し配線と絶縁膜を介して重畳する重畳部を有する。そして、重畳部は、絶縁膜の貫通により上記ドレイン引き出し配線と保持容量配線延伸部との接続が可能となっている。
【００７７】
したがって、例えば、スイッチング素子に動作不良が発生した場合に、絶縁膜を貫通させて保持容量配線延伸部とドレイン引き出し配線とを接続すると共に、このドレイン引き出し配線を、第１副画素電極又は第２副画素電極との接続部である例えばコンタクトホールとドレイン電極との間にて断線させる。これにより、第１副画素電極又は第２副画素電極と保持容量配線とを保持容量配線延伸部を介して接続することができる。この結果、欠陥画素の第１副画素電極又は第２副画素電極を保持容量配線の電位に落とすことができる。
【００７８】
したがって、例えばノーマリーブラックの液晶表示装置に用いた場合には、動作不良が発生した欠陥画素を黒点化し、目立ち難くすることができる。
【００７９】
また、本発明の液晶表示装置では、前記ドレイン引き出し配線は、前記ドレイン電極と前記重畳部との間に形成される少なくとも１つのコンタクトホールを介して第１副画素電極又は第２副画素電極に接続されており、かつ、上記コンタクトホールまでの間において前記配向規制構造物と重畳して配設されていることが可能である。
【００８０】
これにより、例えば、スイッチング素子に動作不良が発生した場合に、ドレイン引き出し配線を、例えば画素電極がない部分であるスリット等の配向規制構造物との重畳部分で切断することができ、切断作業が容易となる。
【００８１】
また、コンタクトホールを複数設けた場合には、ドレイン引き出し配線と第１副画素電極又は第２副画素電極との電気的接続の冗長性を確保し、接続不良を抑制することができる。
【００８２】
また、本発明の液晶表示装置では、前記ドレイン引き出し配線には、前記コンタクトホールと交差する刳り抜き部が形成されていてもよい。
【００８３】
すなわち、ドレイン引き出し配線は、一般的に、不透明な金属配線で形成されるので、ドレイン引き出し配線が第１副画素電極のコンタクトホール又は第２副画素電極のコンタクトホールと重畳すると、表示面積であるいわゆる開口領域を低下することになる。この点、本発明では、ドレイン引き出し配線には、コンタクトホールと交差する刳り抜き部が形成されている。したがって、コンタクトホールでの開口率の低下を抑制することができる。
【００８４】
また、ドレイン引き出し配線の刳り抜き部は、コンタクトホールと交差するように形成されている。したがって、コンタクトホールでの開口率の低下を抑制しつつ、例えば、製造工程で起こる位置ずれにおいても、ドレイン引き出し配線とコンタクトホールとの接触を十分担保することができる。
【００８５】
また、本発明の液晶表示装置では、前記スイッチング素子が、列方向に隣接する画素単位同士で異なるデータ信号線に接続されていてもよい。
【００８６】
これにより、ソースライン反転駆動を行っても各画素はドット反転駆動となるため、データ信号線（ソースライン）へ印加する極性反転周期をドット反転駆動に比べて低下することができ、データ信号線の信号遅延による画質の劣化を抑制することができる。また、ソースライン反転駆動によるフリッカー及びクロストーク現象を抑制し、また、開口率の低下を抑える効率的なパターン配置を実現することができる。
【００８７】
なお、特許文献４には、ソースライン反転駆動においてトランジスタが列方向に隣接する画素同士で異なるデータ信号線に接続されている技術が開示されている。しかし、本願発明は、液晶分子を複数の配向領域に分けた垂直配向モードとマルチ画素構造とを組み合わせた液晶表示装置において、画素を分断する走査信号線に沿って発生する配向乱れ領域による視野角特性の悪化を抑制する液晶表示装置を提供すると共に、さらに、開口率低下を抑える効率的なパターン配置を可能とする点で、特許文献４に開示された技術よりも優れている。
【００８８】
また、本発明の液晶表示装置では、各保持容量配線信号は、前記第１トランジスタ又は第２トランジスタがオフされた後に電位が上昇又は降下すると共に、その状態が次フレームにて該第１トランジスタ又は第２トランジスタがオフされるまで続くように、電位制御されていることが可能である。
【００８９】
これにより、保持容量配線への電圧の波形のなまりがドレイン実効電位に与える影響が小さくなり、輝度ムラの低減に有効である。
【００９０】
また、本発明の液晶表示装置では、各保持容量配線信号の電位上昇と電位降下とは、１水平期間ずれていてもよい。
【００９１】
このような保持容量信号波形の形態とすることによって、突き上げ・突き下げ放しの保持容量信号波形であっても、１本の保持容量配線を列方向に隣接する副画素間で共有することが可能となる。
【００９２】
本発明の液晶表示装置は、上記課題を解決するために、走査信号線とデータ信号線との交差する位置にスイッチング素子を介して画素が配設されたアクティブマトリクス基板、及び対向基板を有する液晶表示装置であって、上記画素には、該画素を第１副画素と第２副画素とに２分割するように走査信号線が設けられており、上記第１副画素及び第２副画素におけるアクティブマトリクス基板及び対向基板には、液晶分子を複数の配向領域に分ける配向規制構造物がそれぞれ形成され、かつ上記第１副画素及び第２副画素における液晶分子の配向方向が互いに対向し合う領域を１組とするときに、上記第１副画素及び第２副画素には異なる方向に対向し合う複数組がそれぞれ形成されていると共に、隣接する２画素単位における、第１副画素及び第２副画素の少なくとも一方の各組同士では、走査信号線に沿った配向乱れ領域の割合が均等に配されるように、上記配向規制構造物が形成されていることを特徴としている。
【００９３】
本発明の液晶表示装置は、上記課題を解決するために、走査信号線とデータ信号線と保持容量配線と、上記走査信号線とデータ信号線との交差する位置に配設されたスイッチング素子とを備えたアクティブマトリクス基板、及び対向基板を有する液晶表示装置であって、行方向の保持容量配線と列方向のデータ信号線とで囲まれた領域に１画素が形成され、上記画素には、該画素を第１副画素と第２副画素とに２分割するように走査信号線が設けられており、上記第１副画素及び第２副画素におけるアクティブマトリクス基板及び対向基板には、液晶分子を複数の配向領域に分ける配向規制構造物がそれぞれ形成され、かつ上記第１副画素及び第２副画素における液晶分子の配向方向が互いに対向し合う領域を１組とするときに、上記第１副画素及び第２副画素には異なる方向に対向し合う複数組がそれぞれ形成されていると共に、隣接する２画素単位における、第１副画素及び第２副画素の少なくとも一方の各組同士では、走査信号線に沿った配向乱れ領域の割合が均等に配されるように、上記配向規制構造物が形成されていることを特徴としている。
【００９４】
上記発明によれば、第１副画素及び第２副画素における液晶分子の配向方向が互いに対向し合う領域を１組とするときに、上記第１副画素及び第２副画素には異なる方向に対向し合う複数組がそれぞれ形成されている。そして、隣接する２画素単位においては、少なくとも各第１副画素の各組同士では、走査信号線に沿った配向乱れ領域の割合が均等に配されるように、上記配向規制構造物が形成されていることを特徴としている。
【００９５】
このため、隣接する２画素単位においては、少なくとも各第１副画素の各組同士では、走査信号線に沿った配向乱れ領域の割合は、均等に配されていることになる。この結果、設計時に意図した視野角特性のバランスが損なわれることを抑制できる。
【００９６】
したがって、液晶分子を複数の配向領域に分けた垂直配向モードとマルチ画素構造とを組み合わせた液晶表示装置において、画素を分断する走査信号線に沿って発生する配向乱れ領域による視野角特性の悪化を抑制し得る液晶表示装置を提供することができる。
【００９７】
なお、このような場合として、配向規制構造物が平面「＞」形状又は平面「＜」形状である場合の他、例えば、配向規制構造物が点状リブからなり、液晶分子が放射状に配向する場合が考えられる。
【００９８】
本発明の液晶表示装置は、上記課題を解決するために、走査信号線とデータ信号線との交差する位置にスイッチング素子を介して画素が配設されたアクティブマトリクス基板、及び対向基板を有する液晶表示装置であって、上記画素には、該画素を第１副画素と第２副画素とに２分割するように走査信号線が設けられており、上記第１副画素及び第２副画素におけるアクティブマトリクス基板及び対向基板には、液晶分子を複数の配向領域に分ける配向規制構造物がそれぞれ形成されていると共に、隣接する２画素単位における、第１副画素及び第２副画素の少なくとも一方において各配向領域の走査信号線への対向長さが上記第１副画素及び第２副画素の少なくとも一方同士との間でそれぞれ異なるように、上記配向規制構造物が形成されていることを特徴としている。
【００９９】
本発明の液晶表示装置は、上記課題を解決するために、走査信号線とデータ信号線と保持容量配線と、上記走査信号線とデータ信号線との交差する位置に配設されたスイッチング素子とを備えたアクティブマトリクス基板、及び対向基板を有する液晶表示装置であって、行方向の保持容量配線と列方向のデータ信号線とで囲まれた領域に１画素が形成され、上記画素には、該画素を第１副画素と第２副画素とに２分割するように走査信号線が設けられており、上記第１副画素及び第２副画素におけるアクティブマトリクス基板及び対向基板には、液晶分子を複数の配向領域に分ける配向規制構造物がそれぞれ形成されていると共に、隣接する２画素単位における、第１副画素及び第２副画素の少なくとも一方において各配向領域の走査信号線への対向長さが上記第１副画素及び第２副画素の少なくとも一方同士との間でそれぞれ異なるように、上記配向規制構造物が形成されていることを特徴としている。
【０１００】
従来、隣接する２画素単位においては、第１副画素及び第２副画素の少なくとも一方において各配向領域の走査信号線への対向長さが上記第１副画素及び第２副画素の少なくとも一方同士との間ではそれぞれ同じであったので、例えば、走査信号線に沿う配向乱れ領域の近傍の第１の配向領域及び第２の配向領域では、常に、視野角特性に対する影響を受け、走査信号線に沿わない第３の配向領域及び第４の配向領域では、視野角特性に対する影響を受けていなかった。このため、視野角特性の対称性が異なることになり、かつ同じ配向領域では常に同じ視野角特性となっているので、上下左右方向、或いは右下、右上、左上、左下等の各方向における視野角特性の差異が生じた。
【０１０１】
この点、本発明では、隣接する２画素単位における、第１副画素及び第２副画素のうちの少なくとも一方において各配向領域の走査信号線への対向長さが上記第１副画素及び第２副画素の少なくとも一方同士との間でそれぞれ異なるように、上記配向規制構造物が形成されている。
【０１０２】
したがって、走査信号線に沿う配向乱れ領域の影響が、各配向領域に分散され、同じ配向領域に偏ることが防止される。
【０１０３】
この結果、設計時に意図した視野角特性のバランスが大きく損なわれることを抑制できる。
【０１０４】
したがって、液晶分子を複数の配向領域に分けた垂直配向モードとマルチ画素構造とを組み合わせた液晶表示装置において、画素を分断する走査信号線に沿って発生する配向乱れ領域による視野角特性の悪化を抑制し得る液晶表示装置を提供することができる。
【０１０５】
本発明の液晶表示装置は、上記課題を解決するために、多数の画素が平面的に配列されてなり、各画素は走査信号線によって互いに分割された第１副画素及び第２副画素を有し、各第１副画素及び第２副画素はそれぞれ複数のドメインを有すると共に走査信号線に対して直交する対称軸に非対称に各ドメインが区画されているマルチドメイン構造を有している液晶表示装置であって、上記画素の配列方向において互いに隣接する２画素単位では、第１副画素及び第２副画素の少なくとも一方において上記対称軸に対して各ドメイン間の境界が線対称に配置されていることを特徴としている。
【０１０６】
上記発明によれば、画素の配列方向において互いに隣接する２画素単位では、第１副画素及び第２副画素の少なくとも一方において上記対称軸に対して各ドメイン間の境界が線対称に配置されている。
【０１０７】
この結果、隣接する２画素単位においては、第１副画素及び第２副画素の少なくとも一方において走査信号線に沿った配向乱れ領域の割合は、各ドメインに分散されることになる。この結果、設計時に意図した視野角特性のバランスが損なわれることを抑制できる。
【０１０８】
したがって、液晶分子を複数の配向領域に分けた垂直配向モードとマルチ画素構造とを組み合わせた液晶表示装置において、画素を分断する走査信号線に沿って発生する配向乱れ領域による視野角特性の悪化を抑制し得る液晶表示装置を提供することができる。
【０１０９】
本発明のテレビジョン装置は、上記課題を解決するために、前記記載の液晶表示装置を備えていることを特徴としている。
【０１１０】
これにより、液晶分子を複数の配向領域に分けた垂直配向モードとマルチ画素構造とを組み合わせた液晶表示装置において、画素を分断する走査信号線に沿って発生する配向乱れ領域による視野角特性の悪化を抑制し得る液晶表示装置を備えたテレビジョン装置を提供することができる。
【０１１１】
本発明の液晶表示装置は、以上のように、画素には、該画素を第１副画素と第２副画素とに２分割するように走査信号線が設けられており、上記第１副画素及び第２副画素には、平面「＞」形状又は平面「＜」形状の配向規制構造物がそれぞれ形成されていると共に、互いに隣接する２画素単位では、第１副画素及び第２副画素の少なくとも一方において上記平面「＞」形状の配向規制構造物と該配向規制構造物を１８０度回転した平面「＜」形状の配向規制構造物とが組み合わされているものである。
【０１１２】
また、本発明の液晶表示装置は、以上のように、画素には、該画素を第１副画素及び第２副画素に２分割するように走査信号線が設けられており、上記第１副画素及び第２副画素には、平面「＞」形状又は平面「＜」形状の配向規制構造物がそれぞれ形成されていると共に、上記画素は、赤、緑、青に対応する画素群からなる１絵素を構成し、互いに隣接する上記絵素同士では、上記平面「＞」形状の配向規制構造物と該配向規制構造物を１８０度回転した平面「＜」形状の配向規制構造物とが組み合わされているものである。
【０１１３】
また、本発明の液晶表示装置は、以上のように、画素には、該画素を第１副画素及び第２副画素に２分割するように走査信号線が設けられており、上記第１副画素及び第２副画素には、平面「＞」形状又は平面「＜」形状の配向規制構造物がそれぞれ形成されていると共に、上記画素は、赤、緑、青に対応する画素群からなる１絵素を構成し、互いに隣接する上記１絵素の同色画素同士では、上記平面「＞」形状の配向規制構造物と該配向規制構造物を１８０度回転した平面「＜」形状の配向規制構造物とが組み合わされているものである。
【０１１４】
また、本発明の液晶表示装置は、以上のように、画素には、該画素を第１副画素と第２副画素とに２分割するように走査信号線が設けられており、上記第１副画素及び第２副画素におけるアクティブマトリクス基板及び対向基板には、液晶分子を複数の配向領域に分ける配向規制構造物がそれぞれ形成され、かつ上記第１副画素及び第２副画素における液晶分子の配向方向が互いに対向し合う領域を１組とするときに、上記第１副画素及び第２副画素には異なる方向に対向し合う複数組がそれぞれ形成されていると共に、隣接する２画素単位における、少なくとも各第１副画素の各組同士では、走査信号線に沿った配向乱れ領域の割合が均等に配されるように、上記配向規制構造物が形成されているものである。
【０１１５】
また、本発明の液晶表示装置は、以上のように、画素には、該画素を第１副画素と第２副画素とに２分割するように走査信号線が設けられており、上記第１副画素及び第２副画素におけるアクティブマトリクス基板及び対向基板には、液晶分子を複数の配向領域に分ける配向規制構造物がそれぞれ形成されていると共に、隣接する２画素単位における、第１副画素及び第２副画素の少なくとも一方において各配向領域の走査信号線への対向長さが上記第１副画素と第２副画素とのうちの少なくとも一方同士との間でそれぞれ異なるように、上記配向規制構造物が形成されているものである。
【０１１６】
また、本発明のテレビジョン装置は、以上のように、前記記載の液晶表示装置を備えているものである。
【０１１７】
それゆえ、液晶分子を複数の配向領域に分けた垂直配向モードとマルチ画素構造とを組み合わせた液晶表示装置において、画素を分断する走査信号線に沿って発生する配向乱れ領域による視野角特性の悪化を抑制し得る液晶表示装置、及びテレビジョン装置を提供するという効果を奏する。
【図面の簡単な説明】
【０１１８】
【図１】本発明における液晶表示装置の実施の一形態を示すものであり、アクティブマトリクス基板に、カラーフィルタ基板側に設けられる液晶分子の配向規制構造物としてのリブを重ねた透視平面図である。
【図２】上記液晶表示装置の構成を示す断面図である。
【図３】上記液晶表示装置の偏光板の構成を示す斜視図である。
【図４】上記液晶表示装置の全体構成を示すブロック図である。
【図５】上記液晶表示装置の画素の構成を示す等価回路図である。
【図６】上記液晶表示装置の駆動方法を示すタイミングチャートである。
【図７】上記液晶表示装置の他の駆動方法を示すタイミングチャートである。
【図８】本液晶表示装置における画素に形成されたスリットおよびリブの構成例を示す平面図である。
【図９】本発明における液晶表示装置の他の実施の形態を示すものであり、アクティブマトリクス基板に、カラーフィルタ基板側に設けられる液晶分子の配向規制構造物としてのリブを重ねた透視平面図である。
【図１０】上記液晶表示装置において、２個のコンタクトホールが形成された画素を示す平面図である。
【図１１】上記液晶表示装置において、ドレイン引き出し配線に、コンタクトホールと交差する刳り抜き部が形成された画素を示す平面図である。
【図１２】上記液晶表示装置において、２個のコンタクトホールが接続するドレイン引き出し配線にこのコンタクトホールと交差する刳り抜き部が形成された画素を示す平面図である。
【図１３】本発明における液晶表示装置のさらに他の実施の形態を示すものであり、データ信号線にＴＦＴが千鳥状に配されたアクティブマトリクス基板を示す平面図である。
【図１４】本液晶表示装置の駆動方法を示すものであり、（ａ）はドット反転駆動を行うノーマル配線を示す平面図であり、（ｂ）はソースライン反転駆動を行うノーマル配線を示す平面図であり、（ｃ）はソースライン反転駆動を行う千鳥配線を示す平面図である。
【図１５】本発明における液晶表示装置のさらに他の実施の形態を示すものであり、テレビジョン受像機に備えられた液晶表示装置の構成を示すブロック図である。
【図１６】上記テレビジョン受像機の構成を示すブロック図である。
【図１７】上記テレビジョン受像機の構成を示す分解斜視図である。
【図１８】本液晶パネルの構成（１画素分）を示す平面図である。
【図１９】図１８の液晶パネルを用いた本液晶表示装置の配向状態を示す平面図である。
【図２０】本液晶パネルの構成（２画素分）を示す平面図である。
【図２１】図２０の液晶パネルを用いた本液晶表示装置の配向状態を示す平面図である。
【図２２】本液晶パネルの他の構成（２画素分）を示す平面図である。
【図２３】図２２に示す液晶パネルの一部の等価回路図である。
【図２４】図２２の液晶パネルを用いた本液晶表示装置の配向状態を示す平面図である。
【図２５】図２４に示す液晶表示装置の変形例を示す平面図である。
【図２６】図２５に示す液晶表示装置の一部の等価回路図である。
【図２７】本液晶パネルの他の構成（２画素分）を示す平面図である。
【図２８】図２７に示す液晶パネルの一部の等価回路図である。
【図２９】図２７の液晶パネルを用いた本液晶表示装置の配向状態を示す平面図である。
【図３０】本液晶パネルの他の構成（２画素分）を示す平面図である。
【図３１】図３０に示す液晶パネルの一部の等価回路図である。
【図３２】図３０の液晶パネルを用いた本液晶表示装置の配向状態を示す平面図である。
【図３３】図２９・３２に示す液晶表示装置の駆動方法を示すタイミングチャートである。
【図３４】図３０に示す液晶パネルの変形例を示す平面図である。
【図３５】本液晶パネルの他の構成を示す平面図である。
【図３６】本液晶パネルの他の構成を示す平面図である。
【図３７】本液晶パネルの他の構成を示す平面図である。
【図３８】本液晶パネルの他の構成（ジグザグ型リブを有する構成）を示す平面図である。
【図３９】本液晶パネルの他の構成（配向規制構造物としてスリットのみを有する構成）を示す平面図である。
【図４０】本液晶表示装置（配向規制構造物としてリブ・スリットを有する構成）における配向を説明する断面図である。
【図４１】本液晶表示装置（配向規制構造物としてスリットのみを有する構成）における配向を説明する断面図である。
【図４２】従来の液晶表示装置を示すものであり、アクティブマトリクス基板の構成を示す平面図である。
【図４３】従来の他の液晶表示装置を示すものであり、アクティブマトリクス基板の構成を示す平面図である。
【図４４】従来のさらに他の液晶表示装置を示すものであり、アクティブマトリクス基板の構成を示す平面図である。
【符号の説明】
【０１１９】
１        画素電極
１ａ      第１副画素電極
１ｂ      第２副画素電極
２        走査信号線
３        データ信号線
４ａ      第１ＴＦＴ（スイッチング素子、第１トランジスタ）
４ｂ      第２ＴＦＴ（スイッチング素子、第２トランジスタ）
５ａ      第１ソース電極
５ｂ      第２ソース電極
６ａ      第１ドレイン電極（ドレイン電極）
６ｂ      第２ドレイン電極（ドレイン電極）
７ａ      第１ドレイン引き出し配線（ドレイン引き出し配線）
７ｂ      第２ドレイン引き出し配線（ドレイン引き出し配線）
８ａ      第１コンタクトホール（コンタクトホール）
８ｂ      第２コンタクトホール（コンタクトホール）
１０        アクティブマトリクス基板
１１        第１保持容量配線（保持容量配線）
１１ａ      保持容量配線延伸部
１２        第２保持容量配線（保持容量配線）
１２ａ      保持容量配線延伸部
１３        重畳部
１４        刳り抜き部
２０        カラーフィルタ基板（対向基板）
３０        液晶表示装置
３１        表示部
３２        ゲートドライバ
３３        ソースドライバ
３４        ＣＳ用コントロール回路（保持容量配線電圧制御部）
３５        表示制御回路
４０        液晶表示装置
５０        液晶表示装置
７０        液晶表示装置
８０        テレビジョン受像機（テレビジョン装置）
ＡＢ・ＡＬ    配向乱れ領域
Ｃｃｓ１    第１保持容量
Ｃｃｓ２    第２保持容量
Ｄ１・Ｄ２・Ｄ３・Ｄ４  ドメイン（配向領域）
ＬＢ        リブ（配向規制構造物）
ＳＬ        スリット（配向規制構造物）
Ｐ          画素
Ｐ１        第１副画素
Ｐ２        第２副画素
【発明を実施するための最良の形態】
【０１２０】
〔実施の形態１〕
本発明の一実施形態について図１〜図８に基づいて説明すれば、以下の通りである。【０１２１】
＜構成について＞
図１は、本実施の形態の液晶表示装置の構成を示すものであり、アクティブマトリクス基板１０に対向基板としてのカラーフィルタ基板側に設けられる液晶分子の配向規制構造物としてのリブＬＢを重ねた透視平面図である。列方向に平行な隣接する２画素単位を図示している。【０１２２】
同図に示すように、上記アクティブマトリクス基板１０は、互いに直交する走査信号線２（行方向、図中左右方向）およびデータ信号線３（列方向、図中上下方向）と、第１保持容量配線１１および第２保持容量配線１２とを備えている。本実施の形態では、行方向の第１保持容量配線１１および第２保持容量配線１２と、列方向のデータ信号線３・３とによって囲まれた領域が１つの画素Ｐとして形成されており、複数の画素Ｐが液晶パネルにマトリクス状に配されている。【０１２３】
本実施の形態の液晶表示装置は、各画素Ｐを図中上下方向２つの副画素である第１副画素Ｐ１および第２副画素Ｐ２に分割するいわゆるマルチ画素構造を有しており、上記走査信号線２は画素Ｐを第１副画素Ｐ１と第２副画素Ｐ２とに２分割するように中央に配されている。【０１２４】
第１副画素Ｐ１および第２副画素Ｐ２には、これら走査信号線２とデータ信号線３との交差部分に、アクティブ素子であるスイッチング素子としての第１ＴＦＴ（Thin Film Transistor：薄膜トランジスタ）４ａおよび第２ＴＦＴ４ｂがそれぞれ設けられている。第１ＴＦＴ４ａおよび第２ＴＦＴ４ｂは、ゲート電極として機能する走査信号線２と、データ信号線３に接続された第１ソース電極５ａおよび第２ソース電極５ｂと、第１ドレイン電極６ａおよび第２ドレイン電極６ｂとをそれぞれ備えている。【０１２５】
そして、第１ドレイン電極６ａおよび第２ドレイン電極６ｂはそれぞれ、配線部を構成する導電層からなる第１ドレイン引き出し配線７ａおよび第２ドレイン引き出し配線７ｂに接続されている。第１ドレイン引き出し配線７ａおよび第２ドレイン引き出し配線７ｂは、それぞれ層間絶縁膜を貫く第１コンタクトホール８ａおよび第２コンタクトホール８ｂを介して第１副画素電極１ａおよび第２副画素電極１ｂと接続されている。【０１２６】
すなわち、第１副画素電極１ａが第１ＴＦＴ４ａを介してデータ信号線３に接続され、第２副画素電極１ｂが第２ＴＦＴ４ｂを介してデータ信号線３に接続される。なお、第１ＴＦＴ４ａおよび第２ＴＦＴ４ｂのゲートはいずれも走査信号線２に接続される。また、後で詳述するように、第１副画素電極１ａと第１保持容量配線１１との間で第１保持容量（Strage Capacitor）Ｃｃｓ１が形成され、第２副画素電極１ｂと第２保持容量配線１２との間で第２保持容量Ｃｃｓ２が形成される。なお、第１保持容量配線１１および第２保持容量配線１２には、互いに異なる保持容量信号（補助容量対向電圧）が供給される。ここで、第１保持容量Ｃｃｓ１および第２保持容量Ｃｃｓ２が、本実施形態のように、第１副画素電極１ａと第１保持容量配線１１との間、および第２副画素電極１ｂと第２保持容量配線１２との間にゲート絶縁膜や層間絶縁膜を挟んで形成されてもよいし、或いは、第１保持容量配線１１および第２保持容量配線１２上に保持容量上電極を設け、第１保持容量配線１１および第２保持容量配線１２と上記保持容量上電極とがゲート絶縁膜を挟んで第１保持容量Ｃｃｓ１および第２保持容量Ｃｃｓ２を形成し、上記保持容量上電極と第１副画素電極１ａおよび第２副画素電極１ｂを層間絶縁膜に設けたコンタクトホールを介して接続するようにしてもよい。【０１２７】
また、後述するように、第１副画素電極１ａ、共通対向電極Ｅｃ、および両者間の液晶層によって第１副画素容量Ｃｌｃ１が構成される一方、第２副画素電極１ｂ、共通電極Ｅｃ、および両者間の液晶層によって第２副画素容量Ｃｌｃ２が構成される。【０１２８】
また、マルチ画素構造が適用される場合、副画素のうちの少なくとも２つは輝度が互いに異なるものであることが好ましい。この形態によれば、１つの画素内に明るい第１副画素Ｐ１および暗い第２副画素Ｐ２の両方が存在するため、面積階調によって中間調を表現することができ、液晶表示画面の斜め視角における白浮きを改善するのに好適である。【０１２９】
さらに、上記マルチ画素構造を採用する本実施の形態のアクティブマトリクス基板１０は、後に詳述するように、互いに逆の位相の信号電圧が印加される２つの第１保持容量配線１１および第２保持容量配線１２が設けられたものであり、上記２つの第１保持容量配線１１および第２保持容量配線１２は、それぞれ異なる第１副画素Ｐ１および第２副画素Ｐ２に対応する第１副画素電極１ａおよび第２副画素電極１ｂと図示しない絶縁層を介して重なる構造を有する。このような形態は、明るい第１副画素Ｐ１および暗い第２副画素Ｐ２を形成するのに好適である。なお、明るい第２副画素Ｐ２および暗い第１副画素Ｐ１を形成するものであってもよい。【０１３０】
また、２以上の保持容量配線に印加される互いに逆の位相の信号電圧とは、画素分割構造の画素において、面積階調を操作するために用いられる保持容量Ｃｓ波形電圧のことを意味し、ゲート信号のオフ後に、容量結合を行うタイミングで、ソースから供給されるドレイン信号電圧（Ｖｓ）の突き上げに寄与する保持容量Ｃｓ波形電圧（保持容量Ｃｓ極性が＋）と、ドレイン信号電圧（Ｖｓ）の突き下げに寄与する保持容量Ｃｓ波形電圧（保持容量Ｃｓ極性が−）との２種類がある。【０１３１】
このような画素分割法（面積階調技術）においては、保持容量Ｃｓ波形電圧、保持容量Ｃｓおよび液晶容量の容量結合により、画素毎への実効電圧を副画素毎に変えることによって、明・暗の副画素を形成させ、これらのマルチ画素駆動を実現することができる。このような画素分割法（面積階調技術）については、前記特許文献３等に詳細が開示されている。【０１３２】
一方、本実施の形態の液晶表示装置では、液晶分子を複数の配向領域に分けた垂直配向モードのＭＶＡ（Multi domain Vertical Alignment）方式を採用している。すなわち、図１に示すように、アクティブマトリクス基板１０には、第１副画素電極１ａおよび第２副画素電極１ｂのそれぞれに電極切除パターンである配向規制構造物としてのスリットＳＬを平面「＞」形状又は平面「＜」形状に設けられると共に、カラーフィルタ基板の対向電極（共通電極）に配向規制構造物としてのリブＬＢを平面「＞」形状又は平面「＜」形状に設けられている。【０１３３】
上記リブＬＢおよびスリットＳＬに挟まれる各々の領域は、本実施形態のアクティブマトリクス基板１０を用いた液晶表示装置の画素Ｐが中間調表示状態の時に液晶分子が傾いて配向する方向がそれぞれ９０度ずつ異なることとなる。図中矢印がそれぞれの配向領域である例えばドメインＤ１・Ｄ２・Ｄ３・Ｄ４の液晶分子の配向方向を概念的に示している。【０１３４】
詳細には、図１に示すように、第１副画素Ｐ１および第２副画素Ｐ２における液晶分子の配向方向が互いに対向し合うドメインＤ１・Ｄ２およびドメインＤ３・Ｄ４をそれぞれ１組とするときに、第１副画素Ｐ１および第２副画素Ｐ２には、液晶分子が傾いて配向する方向がそれぞれ９０度ずつ異なる方向に対向し合う２組である上記ドメインＤ１・Ｄ２およびドメインＤ３・Ｄ４がそれぞれ形成されている。【０１３５】
そして、液晶分子の配向方向が互いに対向し合うドメインＤ１・Ｄ２およびドメインＤ３・Ｄ４の各間には、リブＬＢが対向基板であるカラーフィルタ基板に形成されていると共に、スリットＳＬがアクティブマトリクス基板１０にそれぞれ形成されている。したがって、リブＬＢおよびスリットＳＬは、ドメインＤ１・Ｄ２およびドメインＤ３・Ｄ４の各境界となっている。【０１３６】
これら４つの異なるドメインＤ１・Ｄ２・Ｄ３・Ｄ４により視野角特性が良好なＭＶＡ型液晶表示装置が実現される。【０１３７】
ところで、このような液晶分子を複数の配向領域に分けた垂直配向モードとマルチ画素構造とを組み合わせた液晶表示装置においては、走査信号線２に沿って配向乱れ領域ＡＬ・ＡＢが発生するので、その部分の配向領域面積が実質的に減少し、各配向領域面積が実質的に異なることとなる。その結果、上下左右方向、或いは右下、右上、左上、左下等の各方向の視野角特性を悪化させる虞がある。【０１３８】
すなわち、従来では、隣接する２画素単位においては、第１副画素Ｐ１および第２副画素Ｐ２の少なくとも一方である例えば第１副画素Ｐ１において各ドメインＤ１・Ｄ２・Ｄ３・Ｄ４の走査信号線への対向長さが第１副画素Ｐ１同士との間ではそれぞれ同じであった。具体的には、図２０から判るように、隣接する２画素Ｐ単位では、例えば各第１副画素Ｐ１のドメインＤ１の走査信号線への対向長さは常に例えば０．４Ｌ（Ｌは第１副画素Ｐ１の走査信号線への対向長さ）であり、各第１副画素Ｐ１のドメインＤ２の走査信号線への対向長さは常に例えば０．３Ｌとなり、それぞれ同じである。【０１３９】
この結果、第１副画素Ｐ１において隣接する２画素単位では、ドメインＤ１の走査信号線への対向長さは０．４Ｌ＋０．４Ｌ＝０．８Ｌであり、ドメインＤ２の走査信号線２への対向長さは０．３Ｌ＋０．３Ｌ＝０．６Ｌであり、ドメインＤ３の走査信号線２への対向長さは０＋０＝０であり、ドメインＤ４の走査信号線２への対向長さは０＋０＝０Ｌとなる。【０１４０】
この結果、走査信号線に沿う配向乱れ領域ＡＬの近傍のドメインＤ１・Ｄ２では、常に、視野角特性に対する大きな影響を受け、走査信号線に沿わないドメインＤ３・Ｄ４では、視野角特性に対する影響を受けていないことになる。このため、ドメインＤ１・Ｄ２・Ｄ３・Ｄ４間で視野角特性の対称性が異なることになり、上下左右方向、或いは右下、右上、左上、左下等の各方向における視野角特性の差異が生じた。【０１４１】
そこで、本実施の形態では、図１に示すように、隣接する２画素単位における、第１副画素Ｐ１および第２副画素Ｐ２の少なくとも一方において各ドメインＤ１・Ｄ２・Ｄ３・Ｄ４の走査信号線２への対向長さが第１副画素Ｐ１および第２副画素Ｐ２のうちの少なくとも一方同士との間でそれぞれ異なるように、リブＬＢおよびスリットＳＬが形成されている。【０１４２】
具体的には、本実施の形態の液晶表示装置では、互いに隣接する画素Ｐ・Ｐ同士では、平面「＞」形状のスリットＳＬおよびリブＬＢと、該スリットＳＬおよびリブＬＢを１８０度回転した平面「＜」形状のスリットＳＬおよびリブＬＢとが組み合わされている。【０１４３】
これにより、例えば輝度が高い第１副画素Ｐ１が、各画素Ｐにおいて、スリットＳＬおよびリブＬＢが逆向きとなる。【０１４４】
この構成によれば、走査信号線２であるゲートラインＧｊに接続される第１副画素Ｐ１のドメインＤ１の走査信号線２への対向長さを例えば０．４Ｌ（Ｌは第１副画素Ｐ１の走査信号線２への対向長さ）とし、上記ゲートラインＧｊに接続される第１副画素Ｐ１のドメインＤ２の走査信号線２への対向長さを例えば０．３Ｌとすると、上記ゲートラインＧｊに接続される第１副画素Ｐ１のドメインＤ３・Ｄ４の走査信号線２への対向長さはそれぞれ０である。【０１４５】
一方、走査信号線２であるゲートラインＧｊ＋１に接続される第１副画素Ｐ１のドメインＤ３の走査信号線２への対向長さを例えば０．４Ｌとし、上記ゲートラインＧｊ＋１に接続される第１副画素Ｐ１のドメインＤ４の走査信号線２への対向長さを例えば０．３Ｌとすると、上記ゲートラインＧｊ＋１に接続される第１副画素Ｐ１のドメインＤ１・Ｄ２の走査信号線２への対向長さはそれぞれ０である。【０１４６】
この結果、例えば第１副画素Ｐ１において隣接する２画素単位では、ドメインＤ１の走査信号線２への対向長さは０．４Ｌ＋０＝０．４Ｌであり、ドメインＤ２の走査信号線２への対向長さは０．３Ｌ＋０＝０．３Ｌであり、ドメインＤ３の走査信号線２への対向長さは０．４Ｌ＋０＝０．４Ｌであり、ドメインＤ４の走査信号線２への対向長さは０．３Ｌ＋０＝０．３Ｌである。【０１４７】
これにより、走査信号線２に沿う配向乱れ領域ＡＬの影響が、各ドメインＤ１・Ｄ２・Ｄ３・Ｄ４に分散され、同じドメインＤ１・Ｄ２・Ｄ３・Ｄ４に偏ることを防止することができる。【０１４８】
この結果、設計時に意図した視野角特性のバランスが大きく損なわれることを抑制できる。したがって、液晶分子を複数の配向領域に分けた垂直配向モードとマルチ画素構造とを組み合わせた液晶表示装置において、画素を分断する走査信号線に沿って発生する配向乱れ領域ＡＬによる視野角特性の悪化を抑制し得る液晶表示装置を提供することができる。【０１４９】
上記の作用効果を奏する構成として、別の表現を用いれば、本実施の形態の液晶表示装置では、多数の画素Ｐが平面的に配列されてなり、各画素Ｐは走査信号線２によって互いに分割された第１副画素Ｐ１および第２副画素Ｐ２を有し、各第１副画素Ｐ１および第２副画素Ｐ１はそれぞれ複数のドメインＤ１・Ｄ２・Ｄ３・Ｄ４を有すると共に、走査信号線２に対して直交する対称軸に非対称に各ドメインＤ１・Ｄ２・Ｄ３・Ｄ４が区画されているマルチドメイン構造を有している液晶表示装置であって、上記画素Ｐ１の配列方向において互いに隣接する２画素単位では、第１副画素Ｐ１および第２副画素Ｐ２の少なくとも一方について、上記対称軸に対して各ドメインＤ１・Ｄ２間およびドメインＤ３・Ｄ４間の各境界が線対称に配置されているとすることができる。【０１５０】
さらに別の表現を用いれば、本実施の形態の液晶表示装置では、隣接する２画素Ｐ・Ｐ単位において、走査信号線２に沿った配向乱れ領域ＡＬの発生する割合が、ドメインＤ１・Ｄ２の組とドメインＤ３・Ｄ４の組とに均等に配されるように、リブＬＢおよびスリットＳＬが形成されているとすることができる。【０１５１】
例えば、走査信号線２であるゲートラインＧｊに接続される第１副画素Ｐ１ではドメインＤ１・Ｄ２の配向乱れ領域ＡＬの割合は例えば０．２であり、ドメインＤ３・Ｄ４の配向乱れ領域ＡＬの割合は０である。また、ゲートラインＧｊ＋１に接続される第１副画素Ｐ１ではドメインＤ１・Ｄ２の配向乱れ領域ＡＬの割合は０であり、ドメインＤ３・Ｄ４の配向乱れ領域ＡＬの割合は例えば０．２である。【０１５２】
したがって、第１副画素Ｐ１において、隣接する２画素Ｐ・Ｐを合わせて考えると、ドメインＤ１・Ｄ２の配向乱れ領域ＡＬの割合は０．２であり、ドメインＤ３・Ｄ４の配向乱れ領域ＡＬの割合も０．２である。【０１５３】
このため、隣接する２画素Ｐ・Ｐ単位においては、少なくとも各第１副画素Ｐ１のドメインＤ１・Ｄ２およびドメインＤ３・Ｄ４同士では、走査信号線２に沿った配向乱れ領域ＡＬの割合は、均等に配されていることになる。この結果、設計時に意図した視野角特性のバランスが損なわれることを抑制できる。【０１５４】
また、本実施の形態の液晶表示装置では、第１副画素Ｐ１および第２副画素Ｐ２には互いに同じ形状である平面「＞」形状を繰り返した平面２連「＞」形状のスリットＳＬおよびリブＬＢ又は平面「＜」形状を繰り返した平面２連「＜」形状のスリットＳＬおよびリブＬＢ）がそれぞれ形成されている。このため、画素Ｐ全体では平面２連「＞」形状のスリットＳＬおよびリブＬＢ、又は該配向規制構造物を１８０度回転した平面２連「＜」形状のスリットＳＬおよびリブＬＢが配されていることになる。この結果、ある画素Ｐでは液晶分子を４つのドメインＤ１・Ｄ２・Ｄ３・Ｄ４×２に分けることができる。そして、この画素Ｐに隣接する画素Ｐでは、スリットＳＬおよびリブＬＢが１８０度回転した平面２連「＜」形状又は平面２連「＞」形状に配されているので、この画素Ｐ全体でも液晶分子を４つのドメインＤ１・Ｄ２・Ｄ３・Ｄ４×２に分けることができる。したがって、全ての画素Ｐにおいて、液晶分子の４つのドメインＤ１・Ｄ２・Ｄ３・Ｄ４×２を確保できる。【０１５５】
また、互いに隣接する上記画素同士では、平面２連「＞」形状の配向規制構造物と、該配向規制構造物を１８０度回転した平面２連「＜」形状の配向規制構造物とが組み合わされているという関係を満たしているので、画素Ｐを分断する走査信号線２に沿って発生する配向乱れ領域ＡＬ・ＡＢによる視野角特性の悪化を抑制することができ、設計時に意図した視野角特性のバランスが損なわれることを抑制できる。【０１５６】
したがって、液晶分子を複数の配向領域に分けた垂直配向モードとマルチ画素構造とを組み合わせた液晶表示装置の中間調表示状態において、画素を分断する走査信号線２に沿って発生する配向乱れ領域ＡＬ・ＡＢによる視野角特性の悪化を抑制し得る液晶表示装置を提供することができる。【０１５７】
また、明副画素と暗副画素との両方共、スリットＳＬおよびリブＬＢが対称配置されている構成では、中間調領域全般にわたって、視野角特性の悪化を防ぐ効果を得ることができる。なお、本実施の形態では、前述しているように、明副画素である第１副画素Ｐ１のみスリットＳＬおよびリブＬＢを対称に配置することが可能である。【０１５８】
＜製造方法について＞
次に、上記構成のアクティブマトリクス基板１０を備えた液晶表示装置の製造方法の基本部分について、図１および図２に基づいて説明する。図２は、液晶表示装置の構成を示す断面図である。【０１５９】
本実施の形態では、図１および図２に示すように、ガラス、プラスチック等の透明絶縁性基板上に、第１ＴＦＴ４ａおよび第２ＴＦＴ４ｂのゲート電極としても機能する走査信号線２が設けられている。走査信号線２およびゲート電極は、例えばチタン、クロム、アルミニウム、モリブデン、タンタル、タングステン、銅等の金属膜、それらの合金膜、又はそれらの積層膜を１０００Å〜３０００Åの膜厚でスパッタリング法等の方法にて成膜し、これをフォトエッチング法等にて必要な形状にパターン形成することによって、形成される。【０１６０】
続いて、ゲート絶縁膜となる窒化シリコン膜（ＳｉＮｘ）、アモルファスシリコンやポリシリコン等からなる高抵抗半導体層、およびｎ＋アモルファスシリコン等の低抵抗半導体層は、プラズマＣＶＤ（化学的気相成長）法等により連続して成膜され、フォトエッチング法等によりパターン形成される。膜厚は、例えば、ゲート絶縁膜としての窒化シリコン膜は３０００Å〜５０００Å程度、高抵抗半導体層としてのアモルファスシリコン膜は１０００Å〜３０００Å程度、低抵抗半導体層としてのｎ＋アモルファスシリコン膜は４００Å〜７００Å程度である。【０１６１】
次いで、データ信号線３、第１ソース電極５ａ、第２ソース電極５ｂ、第１ドレイン電極６ａ、第２ドレイン電極６ｂ、並びに第１ドレイン引き出し配線７ａおよび第２ドレイン引き出し配線７ｂは同一工程により形成される。データ信号線３、第１ソース電極５ａ、第２ソース電極５ｂ、第１ドレイン電極６ａ、第２ドレイン電極６ｂ、並びに第１ドレイン引き出し配線７ａおよび第２ドレイン引き出し配線７ｂは、チタン、クロム、アルミニウム、モリブデン、タンタル、タングステン、銅等の金属膜、それらの合金膜、又は、それらの積層膜を１０００Å〜３０００Åの膜厚でスパッタリング法等の方法にて形成し、フォトエッチング法等にて必要な形状にパターン形成することによって形成される。【０１６２】
第１ＴＦＴ４ａおよび第２ＴＦＴ４ｂは、アモルファスシリコン膜等の高抵抗半導体層、およびｎ＋アモルファスシリコン膜等の低抵抗半導体層に対して、データ信号線３、第１ソース電極５ａ、第２ソース電極５ｂ、第１ドレイン電極６ａ、第２ドレイン電極６ｂ、並びに第１ドレイン引き出し配線７ａおよび第２ドレイン引き出し配線７ｂのパターンをマスクにし、ドライエッチングにてチャネルエッチングを行うことによって形成する。【０１６３】
さらに、層間絶縁膜として感光性アクリル樹脂等の樹脂膜や、層間絶縁膜として窒化シリコン、酸化シリコン等の無機絶縁膜、又はそれらの積層膜等が設けられる。積層膜としては、例えば、プラズマＣＶＤ法等により成膜した２０００Å〜５０００Å程度の膜厚の窒化シリコン膜と、この窒化シリコン膜の上にスピンコート法により形成した２００００Å〜４００００Åの膜厚の感光性アクリル樹脂膜との積層膜等を用いることができる。【０１６４】
上記第１コンタクトホール８ａおよび第２コンタクトホール８ｂは、第１ＴＦＴ４ａおよび第２ＴＦＴ４ｂ、走査信号線２、データ信号線３、第１ソース電極５ａ、第２ソース電極５ｂ、第１ドレイン電極６ａ、第２ドレイン電極６ｂ、並びに第１ドレイン引き出し配線７ａおよび第２ドレイン引き出し配線７ｂの上部を覆うように形成された層間絶縁膜を貫いて形成されている。第１コンタクトホール８ａおよび第２コンタクトホール８ｂは、フォトエッチング法によりパターニングすることにより形成する。【０１６５】
そして、第１副画素電極１ａ・第２副画素電極１ｂは、層間絶縁膜の上層に形成され、例えば、ＩＴＯ（Indium Tin Oxide：インジウムすず酸化物）、ＩＺＯ、酸化亜鉛、酸化スズ等の透明性を有する導電膜を、スパッタリング法等により１０００Å〜２０００Å程度の膜厚で成膜し、これをフォトエッチング法等にて必要な形状、例えばＭＶＡ型の液晶表示装置に用いる場合は液晶のスリットＳＬ等を含む形状にパターン形成することによって形成される。【０１６６】
なお、本実施の形態では、層間絶縁膜に窒化シリコン絶縁膜を用いたが、これに限られず、感光性アクリル樹脂膜、その他のポリイミド等の樹脂膜、感光性を有しない樹脂膜をフォトエッチングにより形成してもよい。また、スピンオンガラス（ＳＯＧ）膜でも構わない。以下にスピンオンガラス（ＳＯＧ）を層間絶縁膜に用いる場合の製造方法を示す。【０１６７】
最初に、スピンオンガラス（ＳＯＧ）材料などの平坦化膜をスピンコート法により塗布する。【０１６８】
例えば、有機成分を含むスピンオンガラス材料（いわゆる有機スピンオンガラス（ＳＯＧ）材料）を好適に用いることができ、特に、Ｓｉ−Ｏ−Ｃ結合を骨格とするスピンオンガラス（ＳＯＧ）材料や、Ｓｉ−Ｃ結合を骨格とするスピンオンガラス（ＳＯＧ）材料を好適に用いることができる。スピンオンガラス（ＳＯＧ）材料とは、スピンコート法等の塗布法によってガラス膜（シリカ系皮膜）を形成し得る材料である。有機スピンオンガラス（ＳＯＧ）材料は、比誘電率が低く、厚膜の形成が容易であるので、有機スピンオンガラス（ＳＯＧ）材料を用いることによって、層間絶縁膜の比誘電率を低くし、厚く形成し、（副）画素電極データ信号線の間の寄生容量を低くすることが容易となる。Ｓｉ−Ｏ−Ｃ結合を骨格とするスピンオンガラス（ＳＯＧ）材料としては、例えば、特許文献５又は特許文献６に開示されている材料や、非特許文献１に開示されている東レ・ダウコーニング・シリコーン株式会社製「商品名：ＤＤ１１００」を用いることができる。また、Ｓｉ−Ｃ結合を骨格とするスピンオンガラス（ＳＯＧ）材料としては、例えば、特許文献７に開示されている材料を用いることができる。【０１６９】
具体的には、厚さが１．５〜３．５μｍとなるように有機スピンオンガラス（ＳＯＧ）材料を塗布する。その後、フォトエッチング法にて、所望のパターンを得る。エッチングには、四フッ化炭素（ＣＦ４）と酸素（Ｏ２）の混合ガスを用いてドライエッチングを行うことにより、有機ＳＯＧが除去される。【０１７０】
（パネル形成方法）
次に、パネル状態とするための、アクティブマトリクス基板１０と対向基板であるカラーフィルタ基板２０との間に液晶を封入する方法等について説明する。【０１７１】
液晶の封入方法については、例えば、熱硬化型シール樹脂を基板周辺に一部液晶注入のため注入口を設け、真空で注入口を液晶に浸し、大気開放することによって液晶を注入し、その後ＵＶ硬化樹脂などで注入口を封止する、真空注入法等の方法で行ってもよい。しかしながら、垂直配向の液晶パネルでは、水平配向パネルに比べ注入時間が非常に長くなる欠点がある。ここでは液晶滴下貼り合せ法による説明を行う。【０１７２】
アクティブマトリクス基板１０側の周囲にＵＶ硬化型シール樹脂を塗布し、カラーフィルタ基板２０に滴下法により液晶の滴下を行う。液晶滴下法により液晶によって所望のセルギャップとなるよう最適な液晶量をシールの内側部分に規則的に滴下する。【０１７３】
さらに、上記のようにシール描画および液晶滴下を行ったカラーフィルタ基板とアクティブマトリクス基板１０とを貼合せるため、貼り合わせ装置内の雰囲気を１Ｐａまで減圧を行う。この減圧下において基板の貼合せを行った後、雰囲気を大気圧にしてシール部分が押しつぶされ、所望のシール部のギャップが得られる。【０１７４】
次に、シール部分の所望のセルギャップを得た構造体について、ＵＶ硬化装置にてＵＶ照射を行いシール樹脂の仮硬化を行う。さらに、シール樹脂の最終硬化を行うためにベークを行う。この時点でシール樹脂の内側に液晶が行き渡り、液晶がセル内に充填された状態に至る。ベーク完了後に構造体を液晶パネル単位に分断し、偏光板を貼り付けることによって、液晶パネルが完成する。【０１７５】
以上のように、アクティブマトリクス基板１０と、このアクティブマトリクス基板１０の各画素Ｐに対応するようにマトリクス状に設けられた赤（Ｒ）、緑（Ｇ）、青（Ｂ）のうちのいずれか１つの着色層と、各着色層の間に設けられた遮光性のブラックマトリクスからなるように形成されたカラーフィルタ基板２０とを貼り合わせ、液晶を注入・封止することによって、液晶表示パネルが形成される。【０１７６】
この液晶パネルにドライバ（液晶駆動用ＬＳＩ）等を接続し、第１偏光板および第２偏光板やバックライトを装着することによって、本実施の形態の液晶表示装置が形成される。【０１７７】
なお、第１偏光板および第２偏光板は、図３に示すように、偏光軸が互いに直交しており、画素電極１に閾値電圧を印加した場合に液晶が傾いて配向する方向は、第１偏光板および第２偏光板の偏光軸とは方位角４５度に設定してある。このとき、第１偏光板を通った入射偏光が液晶層を通るときに、偏光軸が回転するため、第２偏光板から光が出射される。また、前記画素電極１に閾値電圧以下の電圧しか印加されない場合は、液晶はアクティブマトリクス基板１０に対して垂直に配向しており、入射偏光の偏向角が変化しないため、黒表示となる。【０１７８】
＜動作について＞
以下に、本実施の形態における液晶表示装置３０のマルチ画素駆動方法を図４および図５に基づいて説明する。図４は、液晶表示装置３０の構成およびその表示部を示すブロック図である。図５は、上記液晶表示装置３０の１画素単位の等価回路図である。【０１７９】
上記液晶表示装置３０は、アクティブマトリクス型の表示部３１と、走査信号線駆動回路であるゲートドライバ３２と、データ信号線駆動回路であるソースドライバ３３と、保持容量配線電圧制御部としてのＣＳ（保持容量ライン）用コントロール回路３４と、上記ゲートドライバ３２、ソースドライバ３３、およびＣＳ（保持容量ライン）用コントロール回路３４を制御するための表示制御回路３５とを備えている。【０１８０】
上記表示部３１は、複数本（２ｍ本（ｍは１以上の整数））の走査信号線２であるゲートラインＧ１〜Ｇ２ｍと、複数本（２ｍ＋１本）の第１保持容量配線１１および第２保持容量配線１２である保持容量ラインＣＳ１〜ＣＳ２ｍ＋１と、それらゲートラインＧ１〜Ｇ２ｍおよび保持容量ラインＣＳ１〜ＣＳ２ｍ＋１と交差する複数本（ｎ本）のデータ信号線３であるソースラインＳＬ１〜ＳＬｎと、それらゲートラインＧ１〜Ｇ２ｍとソースラインＳＬ１〜ＳＬｎとの交差点にそれぞれ対応して設けられた複数個（２ｍ×ｎ個）の上記画素Ｐと、１画素単位が２分割された副画素（２×２ｍ×ｎ個）である上記第１副画素Ｐ１および第２副画素Ｐ２とを含んでいる。【０１８１】
これらの画素形成部は、マトリクス状に配置されて画素アレイを構成する。各画素形成部は、図５に示すように、対応する交差点を通過する上記ゲートラインＧｊにゲート端子が接続される共に、当該交差点を通過するソースラインＳＬｉにソース端子が接続されたスイッチング素子である第１ＴＦＴ４ａおよび第２ＴＦＴ４ｂと、その第１ＴＦＴ４ａおよび第２ＴＦＴ４ｂのドレイン端子に接続された第１副画素電極１ａおよび第２副画素電極１ｂと、上記複数の画素形成部に共通的に設けられた対向電極（共通電極）である共通対向電極Ｅｃと、上記複数の画素形成部に共通的に設けられた第１副画素電極１ａ・第２副画素電極１ｂと共通対向電極Ｅｃとの間に挟持された液晶層とからなる。そして、第１副画素電極１ａ・第２副画素電極１ｂと共通対向電極Ｅｃとにより形成される液晶容量Ｃｌｃ（第１液晶容量Ｃｌｃ１・第２液晶容量Ｃｌｃ２）と保持容量Ｃｃｓ（第１保持容量Ｃｃｓ１・第２保持容量Ｃｃｓ２）とにより画素容量Ｃｓｐ（第１副画素容量Ｃｓｐ１・第２副画素容量Ｃｓｐ２）が構成される。【０１８２】
各画素形成部における第１副画素電極１ａ・第２副画素電極１ｂには、ソースドライバ３３およびゲートドライバ３２により、表示すべき画像に応じた電位が与えられ、共通対向電極Ｅｃには、図示しない電源回路から所定の対向電圧Ｖｃｏｍが与えられる。これにより、第１副画素電極１ａ・第２副画素電極１ｂと共通対向電極Ｅｃとの間の電位差に応じた電圧が液晶に印加され、この電圧印加によって液晶層に対する光の透過量が制御されることによって、画像表示が行われる。ただし、液晶層への電圧印加によって光の透過量を制御するためには偏光板が使用され、本基本構成における液晶表示装置では、ノーマリーブラックとなるように偏光板が配置されている。【０１８３】
次に、図４に示す表示制御回路３５は、外部の信号源から、表示すべき画像を表すデジタルビデオ信号Ｄｖと、当該デジタルビデオ信号Ｄｖに対応する水平同期信号ＨＳＹおよび垂直同期信号ＶＳＹと、表示動作を制御するための制御信号Ｄｃとを受け取り、それらのデジタルビデオ信号Ｄｖ、水平同期信号ＨＳＹ、垂直同期信号ＶＳＹ、および制御信号Ｄｃに基づき、そのデジタルビデオ信号Ｄｖの表す画像を表示部３１に表示させるための信号として、データスタートパルス信号ＳＳＰと、データクロック信号ＳＣＫと、表示すべき画像を表すデジタル画像信号ＤＡ（デジタルビデオ信号Ｄｖに相当する信号）と、ゲートスタートパルス信号ＧＳＰと、ゲートクロック信号ＧＣＫと、ゲートドライバ出力制御信号ＧＯＥとを生成して出力する。【０１８４】
より詳しくは、デジタルビデオ信号Ｄｖを内部メモリで必要に応じてタイミング調整等を行った後に、デジタル画像信号ＤＡとして表示制御回路３５から出力し、そのデジタル画像信号ＤＡの表す画像の各画素に対応するパルスからなる信号としてデータクロック信号ＳＣＫを生成し、水平同期信号ＨＳＹに基づき１水平走査期間毎に所定期間だけハイレベル（Ｈレベル）となる信号としてデータスタートパルス信号ＳＳＰを生成し、垂直同期信号ＶＳＹに基づき１フレーム期間（１垂直走査期間）毎に所定期間だけＨレベルとなる信号としてゲートスタートパルス信号ＧＳＰを生成し、水平同期信号ＨＳＹに基づきゲートクロック信号ＧＣＫを生成し、水平同期信号ＨＳＹおよび制御信号Ｄｃに基づきゲートドライバ出力制御信号ＧＯＥを生成する。【０１８５】
上述のようにして、表示制御回路３５において生成された信号のうち、デジタル画像信号ＤＡとデータスタートパルス信号ＳＳＰおよびデータクロック信号ＳＣＫとは、ソースドライバ３３に入力され、ゲートスタートパルス信号ＧＳＰおよびゲートクロック信号ＧＣＫとゲートドライバ出力制御信号ＧＯＥとは、ゲートドライバ３２に入力される。【０１８６】
ソースドライバ３３は、デジタル画像信号ＤＡと、データスタートパルス信号ＳＳＰおよびデータクロック信号ＳＣＫとに基づき、デジタル画像信号ＤＡの表す画像の各水平走査線における画素値に相当するアナログ電圧としてデータ信号Ｓ１〜Ｓｎを１水平走査期間毎に順次生成し、これらのデータ信号Ｓ１〜ＳｎをソースラインＳＬ１〜ＳＬｎに印加する。【０１８７】
さらに、保持容量ラインＣＳ１〜ＣＳ２ｍ＋１を駆動するＣＳ用コントロール回路には、ゲートクロック信号ＧＣＫが入力され、ゲートスタートパルス信号ＧＳＰが入力されるＣＳ用コントロール回路３４により、保持容量信号波形の位相や幅が制御される。【０１８８】
次に、この保持容量信号を用いた駆動方法の一例について、図６（ａ）（ｂ）に基づいて説明する。図６（ａ）はｎフレーム目の各信号の駆動電圧波形（タイミング）を示すものであり、図６（ｂ）はｎ＋１フレーム目の各信号の駆動電圧波形を示すものである。なお、図６（ｂ）は図６（ａ）に対して極性が反転したものとなっている。【０１８９】
図６（ａ）（ｂ）に示した電圧波形によれば、第１副画素Ｐ１が明副画素となり、第２副画素Ｐ２が暗副画素となる。Ｖｇはゲート電圧を示し、Ｖｓはソース電圧を示し、Ｖｃｓ１・Ｖｃｓ２は第１副画素Ｐ１および第２副画素Ｐ２のそれぞれの保持容量ラインＣＳ１・ＣＳ２の電圧を示し、Ｖｌｃ１およびＶｌｃ２はそれぞれ第１副画素Ｐ１および第２副画素Ｐ２の画素電極の電圧を示す。【０１９０】
本実施の形態では、図６（ａ）に示すように、ｎフレーム目にソース電圧の中央値Ｖｓｃに対して、プラス極性としてソース電圧Ｖｓｐを与え、図６（ｂ）に示すように、次の（ｎ＋１）フレーム目にマイナス極性としてソース電圧Ｖｓｎを与え、かつ、フレーム毎にドット反転を行う。保持容量ラインＣＳ１・ＣＳ２には、第１保持容量電圧Ｖｃｓ１および第２保持容量電圧Ｖｃｓ２を振幅電圧Ｖａｄで振幅させ、保持容量ラインＣＳ１の位相と保持容量ラインＣＳ２の位相とを１８０度ずらした信号を入力する。【０１９１】
図６（ａ）を参照して、ｎフレーム目のときの各信号の電圧の経時変化を説明する。【０１９２】
時刻Ｔ１のとき、ゲート電圧Ｖｇがゲートオフ電圧ＶｇＬからゲートオン電圧ＶｇＨに変化し、両第１副画素Ｐ１および第２副画素Ｐ２の第１ＴＦＴ４ａおよび第２ＴＦＴ４ｂがＯＮ状態となり、第１液晶容量Ｃｌｃ１・第２液晶容量Ｃｌｃ２および第１保持容量Ｃｃｓ１・第２保持容量Ｃｃｓ２にソース電圧Ｖｓｐの電圧が印加される。【０１９３】
時刻Ｔ２のとき、ゲート電圧Ｖｇがゲートオン電圧ＶｇＨからゲートオフ電圧ＶｇＬに変化し、第１副画素Ｐ１および第２副画素Ｐ２の第１ＴＦＴ４ａおよび第２ＴＦＴ４ｂがＯＦＦ状態となり、第１液晶容量Ｃｌｃ１・第２液晶容量Ｃｌｃ２および第１保持容量Ｃｃｓ１・第２保持容量Ｃｃｓ２がデータ信号線３と電気的に絶縁される。なお、この直後に寄生容量等の影響による引き込み現象のために、第１副画素Ｐ１および第２副画素Ｐ２のそれぞれにＶｄ１およびＶｄ２の引き込み電圧が発生し、各第１副画素Ｐ１および第２副画素Ｐ２の第１副画素電圧Ｖｌｃ１および第２副画素電圧Ｖｌｃ２は、
Ｖｌｃ１＝Ｖｓｐ−Ｖｄ１
Ｖｌｃ２＝Ｖｓｐ−Ｖｄ２
となる。【０１９４】
また、このとき、第１保持容量電圧Ｖｃｓ１および第２保持容量電圧Ｖｃｓ２は、
Ｖｃｓ１＝Ｖｃｏｍ−Ｖａｄ
Ｖｃｓ２＝Ｖｃｏｍ＋Ｖａｄ
である。【０１９５】
なお、第１引き込み電圧Ｖｄ１および第２引き込み電圧Ｖｄ２は、下記の式のようになる。【０１９６】
Ｖｄ１，Ｖｄ２＝（ＶｇＨ−ＶｇＬ）×Ｃｇｄ／（Ｃｌｃ（Ｖ）＋Ｃｇｄ＋Ｃｃｓ）
ここで、ゲートオン電圧ＶｇＨおよびゲートオフ電圧ＶｇＬはそれぞれ第１ＴＦＴ４ａおよび第２ＴＦＴ４ｂのゲートオン時の電圧およびゲートオフ時の電圧、Ｃｇｄは第１ＴＦＴ４ａおよび第２ＴＦＴ４ｂのゲートとドレインとの間に生じる寄生容量、Ｃｌｃ（Ｖ）は液晶容量の静電容量（容量値）、Ｃｃｓは保持容量の静電容量（容量値）を示す。【０１９７】
次に、時刻Ｔ３のとき、保持容量ラインＣＳ１の第１保持容量電圧Ｖｃｓ１がＶｃｏｍ−ＶａｄからＶｃｏｍ＋Ｖａｄへ変化し、保持容量ラインＣＳ２の第２保持容量電圧Ｖｃｓ２がＶｃｏｍ＋ＶａｄからＶｃｏｍ−Ｖａｄへ変化する。このとき各第１副画素Ｐ１および第２副画素Ｐ２の第１副画素電圧Ｖｌｃ１および第２副画素電圧Ｖｌｃ２は、
Ｖｌｃ１＝Ｖｓｐ−Ｖｄ１＋２×Ｋ×Ｖａｄ
Ｖｌｃ２＝Ｖｓｐ−Ｖｄ２−２×Ｋ×Ｖａｄ
となる。ただし、Ｋ＝Ｃｃｓ／（Ｃｌｃ（Ｖ）＋Ｃｃｓ）である。【０１９８】
時刻Ｔ４では、第１保持容量電圧Ｖｃｓ１がＶｃｏｍ＋ＶａｄからＶｃｏｍ−Ｖａｄへ変化し、第２保持容量電圧Ｖｃｓ２がＶｃｏｍ−ＶａｄからＶｃｏｍ＋Ｖａｄへ変化する。このとき第１副画素電圧Ｖｌｃ１および第２副画素電圧Ｖｌｃ２は、
Ｖｌｃ１＝Ｖｓｐ−Ｖｄ１
Ｖｌｃ２＝Ｖｓｐ−Ｖｄ２
となる。【０１９９】
時刻Ｔ５では、第１保持容量電圧Ｖｃｓ１がＶｃｏｍ−ＶａｄからＶｃｏｍ＋Ｖａｄへ変化し、第２保持容量電圧Ｖｃｓ２がＶｃｏｍ＋ＶａｄからＶｃｏｍ−Ｖａｄへ変化する。このとき、第１副画素電圧Ｖｌｃ１および第２副画素電圧Ｖｌｃ２は、
Ｖｌｃ１＝Ｖｓｐ−Ｖｄ１＋２×Ｋ×Ｖａｄ
Ｖｌｃ２＝Ｖｓｐ−Ｖｄ２−２×Ｋ×Ｖａｄ
となる。【０２００】
後は、次にＶｇ＝ＶｇＨとなり書き込みが行われるまで、水平走査期間１Ｈの整数倍毎に、第１保持容量電圧Ｖｃｓ１および第２保持容量電圧Ｖｃｓ２と第１副画素電圧Ｖｌｃ１および第２副画素電圧Ｖｌｃ２とは、時刻Ｔ４と時刻Ｔ５との動作を交互に繰り返す。したがって、第１副画素電圧Ｖｌｃ１および第２副画素電圧Ｖｌｃ２の実効値は、
Ｖｌｃ１＝Ｖｓｐ−Ｖｄ１＋Ｋ×Ｖａｄ
Ｖｌｃ２＝Ｖｓｐ−Ｖｄ２−Ｋ×Ｖａｄ
となる。【０２０１】
ｎフレーム目において、各副画素の液晶層に印加される実効電圧は、
Ｖ１＝Ｖｓｐ−Ｖｄ１＋Ｋ×Ｖａｄ−Ｖｃｏｍ
Ｖ２＝Ｖｓｐ−Ｖｄ２−Ｋ×Ｖａｄ−Ｖｃｏｍ
となるため、第１副画素Ｐ１が明副画素となり、第２副画素Ｐ２が暗副画素となる。これにより、マルチ画素駆動が行われる。なお、ここでは寄生容量すなわちデータ信号線３と第１副画素電極１ａ・第２副画素電極１ｂとの寄生容量等は省略して説明した。また、ここでは簡易的に第１保持容量電圧Ｖｃｓ１の位相と第２保持容量電圧Ｖｃｓ２の位相とを１８０度ずらしているが、１画素を形成する副画素が明副画素と暗副画素となればよいので必ずしも位相のずれが１８０度でなくても構わない。また、第１保持容量電圧Ｖｃｓ１および第２保持容量電圧Ｖｃｓ２のパルス幅をＶｓと同等としたが、これに限らず、例えば大型高精細の液晶表示装置を駆動する場合の保持容量信号遅延による保持容量の充電不足を考慮してパルス幅を変更すればよい。【０２０２】
これらは、ゲートスタートパルス信号ＧＳＰやゲートクロック信号ＧＣＫが入力されるＣＳ用コントロール回路により制御可能である。【０２０３】
以上のように、第１副画素Ｐ１は、第１副画素電極１ａと、この第１副画素電極１ａの端部側に配された第１保持容量配線１１との間に第１保持容量Ｃｃｓ１を形成する一方、第２副画素Ｐ２は、第２副画素電極１ｂの端部側に配された第２保持容量配線１２との間に第２保持容量Ｃｃｓ２を形成する。そして、ＣＳ用コントロール回路３４は、第１保持容量配線１１および第２保持容量配線１２を個別に電位制御することにより、第１副画素電極１ａの電位および第２副画素電極１ｂの電位をそれぞれ個別に制御する。【０２０４】
したがって、例えば、第１副画素Ｐ１を明、第２副画素Ｐ２を暗とすることができるので、γ特性の視角依存性を改善するための画素分割駆動を実現することができる。【０２０５】
また、本実施の形態の液晶表示装置３０では、ＣＳ用コントロール回路３４は、第１副画素Ｐ１を中間調表示状態の輝度となるようにすると共に、このとき同時に、第２副画素Ｐ２を該第１副画素Ｐ１よりも低輝度となるとなるようにする。これにより、具体的に、ＣＳ用コントロール回路３４が明第１副画素Ｐ１と暗第２副画素Ｐ２とを生成する。【０２０６】
ところで、第１保持容量電圧Ｖｃｓ１および第２保持容量電圧Ｖｃｓ２は、図７に示すように、それぞれ時刻Ｔ３および時刻Ｔ４で「Ｈｉｇｈ」になったまま、あるいは「Ｌｏｗ」になったままの波形とすることもできる。すなわち、第１保持容量電圧Ｖｃｓ１および第２保持容量電圧Ｖｃｓ２を各トランジスタがオフされた後に突き上げあるいは突き下げると共に、該フレームではこの突き上げたままあるいはその突き下げたままの状態を維持するように電位制御することができる。なお、ここでは時刻Ｔ３と時刻Ｔ４とは時間的に１水平期間（１Ｈ）ずれている。【０２０７】
ｎフレームにおける各電圧波形の経時変化を説明する。【０２０８】
まず、時刻Ｔ０で、Ｖｃｓ１＝Ｖｃｏｍ−Ｖａｄ、Ｖｃｓ２＝Ｖｃｏｍ＋Ｖａｄとする。なお、Ｖｃｏｍは共通電極（対向電極）の電圧である。【０２０９】
時刻Ｔ１で、ゲート電圧Ｖｇがゲートオフ電圧ＶｇＬからゲートオン電圧ＶｇＨに変化し、前記各第１ＴＦＴ４ａおよび第２ＴＦＴ４ｂがいずれもＯＮ状態となる。この結果、第１副画素電圧Ｖｌｃ１および第２副画素電圧Ｖｌｃ２がソース電圧Ｖｓｐに上昇し、第１保持容量Ｃｃｓ１・第２保持容量Ｃｃｓ２および第１副画素容量Ｃｓｐ１・第２副画素容量Ｃｓｐ２が充電される。【０２１０】
時刻Ｔ２で、ゲート電圧Ｖｇがゲートオン電圧ＶｇＨからゲートオフ電圧ＶｇＬに変化し、各第１ＴＦＴ４ａおよび第２ＴＦＴ４ｂがＯＦＦ状態となって、第１保持容量Ｃｃｓ１・第２保持容量Ｃｃｓ２および第１副画素容量Ｃｓｐ１・第２副画素容量Ｃｓｐ２がデータ信号線３から電気的に絶縁される。なお、この直後に寄生容量等の影響によって引き込み現象が発生し、Ｖｌｃ１＝Ｖｓｐ−Ｖｄ１、Ｖｌｃ２＝Ｖｓｐ−Ｖｄ２となる。【０２１１】
時刻Ｔ３では、第１保持容量電圧Ｖｃｓ１がＶｃｏｍ−ＶａｄからＶｃｏｍ＋Ｖａｄへ変化する。時刻Ｔ４では（Ｔ３の１Ｈ後）、第２保持容量電圧Ｖｃｓ２がＶｃｏｍ＋ＶａｄからＶｃｏｍ−Ｖａｄへ変化する。この結果、
Ｖｌｃ１＝Ｖｓｐ−Ｖｄ１＋２×Ｋ×Ｖａｄ
Ｖｌｃ２＝Ｖｓｐ−Ｖｄ２−２×Ｋ×Ｖａｄ
となる。ここで、Ｋ＝Ｃｃｓ／（Ｃｌｃ＋Ｃｃｓ）であり、Ｃｃｓは各保持容量（第１保持容量Ｃｃｓ１・第２保持容量Ｃｃｓ２）の容量値、Ｃｌｃは液晶容量（第１液晶容量Ｃｌｃ１・第２液晶容量Ｃｌｃ２）の容量値とする。【０２１２】
以上から、ｎフレーム目において各副画素容量（第１副画素容量Ｃｓｐ１・第２副画素容量Ｃｓｐ２）にかかる実効電圧（Ｖ１・Ｖ２）は、
Ｖ１＝Ｖｓｐ−Ｖｄ１＋２×Ｋ×Ｖａｄ−Ｖｃｏｍ
Ｖ２＝Ｖｓｐ−Ｖｄ２−２×Ｋ×Ｖａｄ−Ｖｃｏｍ
となるため、１つの画素Ｐ内に、第１副画素容量Ｃｓｐ１による明第１副画素Ｐ１と、第２副画素容量Ｃｓｐ２による暗第２副画素Ｐ２とが形成される。【０２１３】
このように、本実施の形態の液晶表示装置３０では、ＣＳ用コントロール回路３４は、第１ＴＦＴ４ａ又は第２ＴＦＴ４ｂがオフされた後に電位が上昇又は降下すると共に、その状態が次フレームにて該第１ＴＦＴ４ａ又は第２ＴＦＴ４ｂがオフされるまで続くように、各第１保持容量配線１１および第２保持容量配線１２を電位制御することが好ましい。【０２１４】
こうすれば、第１保持容量電圧Ｖｃｓ１および第２保持容量電圧Ｖｃｓ２の波形のなまりがドレイン実効電位に与える影響が小さくなり、輝度ムラの低減に有効である。【０２１５】
なお、本実施の形態においては、図１に示すように、第１副画素Ｐ１および第２副画素Ｐ２には、平面「＞」形状のスリットＳＬおよびリブＬＢがそれぞれ形成されることにより、スリットＳＬおよびリブＬＢは１画素Ｐでは平面２連「＞」形状に配されていると共に、互いに隣接する画素Ｐ１同士では、スリットＳＬおよびリブＬＢが１８０度反転した平面２連「＜」形状に配されていたが、必ずしもこれに限ることはない。【０２１６】
例えば、図８（ａ）に示すように、画素Ｐ１は、赤（Ｒ）・緑（Ｇ）・青（Ｂ）に対応する画素群からなる１絵素を構成し、互いに隣接する絵素同士では、平面２連「＞」形状のスリットＳＬおよびリブＬＢと、該スリットＳＬおよびリブＬＢを１８０度回転した平面２連「＜」形状のスリットＳＬおよびリブＬＢとが組み合わされているとすることが可能である。これにより、隣接する絵素の同色画素において、各色の視野角均一性の低下を抑制することができる。すなわち、色表示において設計時に意図した視野角特性のバランスが損なわれることを抑制することができ、特に単色表示時に好適である。【０２１７】
また、例えば、図８（ｂ）に示すように、画素Ｐ１は、赤（Ｒ）・緑（Ｇ）・青（Ｂ）に対応する画素群からなる１絵素を構成し、互いに隣接する１絵素の同色画素同士では、平面２連「＞」形状のスリットＳＬおよびリブＬＢと、該スリットＳＬおよびリブＬＢを１８０度回転した平面２連「＜」形状のスリットＳＬおよびリブＬＢとが組み合わされているとすることが可能である。これにより、隣接する同色画素Ｐにおいて、各色の視野角均一性の低下を抑制することができる。すなわち、色表示において設計時に意図した視野角特性のバランスが損なわれることを抑制することができ、特に単色表示時に好適である。【０２１８】
〔実施の形態２〕
本発明に係る他の実施の形態について図９ないし図１２に基づいて説明すれば、以下の通りである。なお、本実施の形態において説明すること以外の構成は、前記実施の形態１と同じである。また、説明の便宜上、実施の形態１の図面に示した部材と同一の機能を有する部材については、同一の符号を付し、その説明を省略する。【０２１９】
本実施の形態の液晶表示装置４０は、前記実施の形態１の構成に加えて、図９に示すように、第１ドレイン引き出し配線７ａおよび第２ドレイン引き出し配線７ｂが、配向規制構造物としての例えばリブＬＢと重畳して配設されている。なお、必ずしもこれに限らず、配向規制構造物としてのスリットＳＬに重畳していてもよい。【０２２０】
すなわち、同図に示すように、第１副画素Ｐ１および第２副画素Ｐ２に設けられた各第１ＴＦＴ４ａおよび第２ＴＦＴ４ｂの第１ドレイン電極６ａおよび第２ドレイン電極６ｂは、それぞれ、配線部を構成する導電層からなる第１ドレイン引き出し配線７ａおよび第２ドレイン引き出し配線７ｂに接続されている。また、第１ドレイン引き出し配線７ａおよび第２ドレイン引き出し配線７ｂは、それぞれ層間絶縁膜を貫く第１コンタクトホール８ａおよび第２コンタクトホール８ｂを介して第１副画素電極１ａおよび第２副画素電極１ｂと接続されている。【０２２１】
そして、本実施の形態では、上記少なくとも１つの画素Ｐ１つまり同図９においては走査信号線２であるゲートラインＧｊに接続された画素Ｐの第１ドレイン引き出し配線７ａおよび第２ドレイン引き出し配線７ｂは、配向規制構造物としての例えばリブＬＢと重畳して配設されている。なお、必ずしもこれに限らず、配向規制構造物としてのスリットＳＬに重畳していてもよい。【０２２２】
すなわち、第１ドレイン電極６ａおよび第２ドレイン電極６ｂ、並びに第１ドレイン引き出し配線７ａおよび第２ドレイン引き出し配線７ｂは、一般的に、不透明な金属配線で形成される。このため、第１ドレイン引き出し配線７ａおよび第２ドレイン引き出し配線７ｂが第１副画素電極１ａおよび第２副画素電極１ｂと重畳すると、表示面積であるいわゆる開口領域を低下することになる。【０２２３】
この点、本実施の形態では、少なくとも１つの画素Ｐの第１ドレイン引き出し配線７ａおよび第２ドレイン引き出し配線７ｂは、例えばリブＬＢ等の配向規制構造物と重畳して配設されている。したがって、開口領域として寄与しない領域に第１ドレイン引き出し配線７ａおよび第２ドレイン引き出し配線７ｂを設けることができるので、開口率低下を抑制することができる。【０２２４】
一方、同図９において、第１保持容量配線１１および第２保持容量配線１２は、画素Ｐ側に延びる保持容量配線延伸部１１ａ・１２ａを有すると共に、この保持容量配線延伸部１１ａ・１２ａが、配向規制構造物としてのリブＬＢと重畳して配設されているとすることができる。【０２２５】
すなわち、第１保持容量配線１１および第２保持容量配線１２は、画素Ｐ側に延びる保持容量配線延伸部１１ａ・１２ａを有することによって、第１保持容量Ｃｃｓ１・第２保持容量Ｃｃｓ２の一部として機能する。【０２２６】
この場合、第１保持容量配線１１および第２保持容量配線１２、並びに保持容量配線延伸部１１ａ・１２ａは、一般的に、不透明な金属配線で形成されるので、保持容量配線延伸部１１ａ・１２ａが第１副画素電極１ａ又は第２副画素電極１ｂと重畳すると、表示面積であるいわゆる開口領域を低下することになる。【０２２７】
この点、本実施の形態では、保持容量配線延伸部１１ａ・１２ａは、例えばスリットＳＬおよびリブＬＢ等の配向規制構造物と重畳して配設されている。したがって、開口領域として寄与しない領域に保持容量配線延伸部１１ａ・１２ａを設けることができるので、開口率低下を抑制することができる。【０２２８】
また、この保持容量配線延伸部１１ａ・１２ａは、さらに他の機能を持たせることが可能である。【０２２９】
すなわち、本実施の形態では、図９に示すように、保持容量配線延伸部１１ａ・１２ａを、リブＬＢの下側に沿って、第１ドレイン引き出し配線７ａ又は第２ドレイン引き出し配線７ｂ側に延ばしており、この第１ドレイン引き出し配線７ａ又は第２ドレイン引き出し配線７ｂと図示しない絶縁膜を介して重畳する重畳部１３を有している。そして、重畳部１３は、絶縁膜の貫通により第１ドレイン引き出し配線７ａと保持容量配線延伸部１１ａとが接続可能となっていると共に、第２ドレイン引き出し配線７ｂと保持容量配線延伸部１２ａとの接続が可能となっている。【０２３０】
これにより、例えば、スイッチング素子である第１ＴＦＴ４ａおよび第２ＴＦＴ４ｂに動作不良が発生した場合に、絶縁膜を貫通させて保持容量配線延伸部１１ａ・１２ａと第１ドレイン引き出し配線７ａ又は第２ドレイン引き出し配線７ｂとを接続すると共に、この第１ドレイン引き出し配線７ａ又は第２ドレイン引き出し配線７ｂを、第１副画素電極１ａ又は第２副画素電極１ｂとの接続部である例えば第１コンタクトホール８ａ又は第２コンタクトホール８ｂと第１ドレイン電極６ａおよび第２ドレイン電極６ｂとの間にて断線させる。これにより、第１副画素電極１ａ又は第２副画素電極１ｂと第１保持容量配線１１又は第２保持容量配線１２とを保持容量配線延伸部１１ａ・１２ａを介して接続することができる。この結果、欠陥画素の第１副画素電極１ａ又は第２副画素電極１ｂを第１保持容量配線１１又は第２保持容量配線１２の電位に落とすことができる。【０２３１】
したがって、例えばノーマリーブラックの液晶表示装置４０に用いた場合には、動作不良が発生した欠陥画素を黒点化し、目立ち難くすることができる。【０２３２】
なお、この場合、第１ドレイン引き出し配線７ａ又は第２ドレイン引き出し配線７ｂは、第１ドレイン電極６ａ又は第２ドレイン電極６ｂと重畳部１３との間に形成される第１コンタクトホール８ａ又は第２コンタクトホール８ｂを介して第１副画素電極１ａ又は第２副画素電極１ｂに接続されており、かつ、第１コンタクトホール８ａ又は第２コンタクトホール８ｂまでの間において配向規制構造物としての例えばスリットＳＬ又はリブＬＢと重畳して配設されていることが好ましい。【０２３３】
これにより、例えば、スイッチング素子である第１ＴＦＴ４ａおよび第２ＴＦＴ４ｂに動作不良が発生した場合に、第１ドレイン引き出し配線７ａ又は第２ドレイン引き出し配線７ｂを、例えば画素電極がない部分であるスリットＳＬ等の配向規制構造物との重畳部分で切断することができ、切断作業が容易となる。【０２３４】
また、本実施の形態では、図１０に示すように、第１コンタクトホール８ａ（又は第２コンタクトホール８ｂ）は、第１ドレイン電極６ａ（又は第２ドレイン電極６ｂ）と重畳部１３との間の第１ドレイン引き出し配線７ａ（又は第２ドレイン引き出し配線７ｂ）において例えば、２箇所等の複数箇所に設けられているとすることが可能である。【０２３５】
これにより、第１ドレイン電極６ａ（又は第２ドレイン電極６ｂ）と第１副画素電極１ａ（又は第２副画素電極１ｂ）との電気的接続の冗長性を確保し、接続不良を抑制することができる。【０２３６】
また、本実施の形態では、図１１に示すように、第２ドレイン引き出し配線７ｂ（および第１ドレイン引き出し配線７ａ）には、１個のコンタクト領域Ｃ１が設けられていると共に、第２コンタクトホール８ｂ（および第１コンタクトホール８ａ）と交差する刳り抜き部１４が形成されていることが好ましい。【０２３７】
すなわち、第２ドレイン引き出し配線７ｂ（および第１ドレイン引き出し配線７ａ）は、一般的に、不透明な金属配線で形成されるので、第２ドレイン引き出し配線７ｂ（および第１ドレイン引き出し配線７ａ）が第２副画素電極１ｂ（および第１副画素電極１ａ）の第２コンタクトホール８ｂ（および第１コンタクトホール８ａ）と重畳すると、表示面積であるいわゆる開口領域を低下することになる。【０２３８】
この点、本実施の形態では、第２ドレイン引き出し配線７ｂ（および第１ドレイン引き出し配線７ａ）には、第２コンタクトホール８ｂ（および第１コンタクトホール８ａ）と交差する刳り抜き部１４が形成されている。したがって、第２コンタクトホール８ｂ（および第１コンタクトホール８ａ）での開口率低下を抑制することができる。【０２３９】
また、この刳り抜き部１４は、第２コンタクトホール８ｂ（および第１コンタクトホール８ａ）と交差するように形成されている。したがって、第２コンタクトホール８ｂ（および第１コンタクトホール８ａ）での開口率低下を抑制しつつ、例えば、製造工程で起こる位置ずれにおいても、第２ドレイン引き出し配線７ｂ（および第１ドレイン引き出し配線７ａ）と第２副画素電極１ｂ（および第１副画素電極１ａ）との第２コンタクトホール８ｂ（および第１コンタクトホール８ａ）とを介した接触面積を十分担保することができる。【０２４０】
また、本実施の形態では、図１２に示すように、複数個としての例えば２個のコンタクト領域Ｃ１・Ｃ２を設けると共に、少なくとも一方のコンタクト領域Ｃ１では、図中縦方向を長手方向とする長方形状の刳り抜き部１４を設ける一方、他方のコンタクト領域Ｃ２では、図中横方向を長手方向とする長方形状の刳り抜き部１４を設けるのが好ましい。これにより、製造工程において縦方向又は横方向のいずれの方向に位置ずれを起こしても、コンタクト領域Ｃ１・Ｃ２の少なくとも一方において、第２ドレイン引き出し配線７ｂ（および第１ドレイン引き出し配線７ａ）と第２副画素電極１ｂ（および第１副画素電極１ａ）との第２コンタクトホール８ｂ（および第１コンタクトホール８ａ）とを介した接触面積を十分担保することができる。【０２４１】
このような刳り抜き部１４の形成は、第２ドレイン引き出し配線７ｂ（および第１ドレイン引き出し配線７ａ）のコンタクト領域Ｃ１・Ｃ２が前記リブＬＢや第２副画素電極１ｂ（および第１副画素電極１ａ）のスリットＳＬの下側に形成できない場合に特に好適といえる。【０２４２】
〔実施の形態３〕
本発明に係るさらに他の実施の形態について図１３および図１４に基づいて説明すれば、以下の通りである。なお、本実施の形態において説明すること以外の構成は、実施の形態１および実施の形態２と同じである。また、説明の便宜上、実施の形態１および実施の形態２の図面に示した部材と同一の機能を有する部材については、同一の符号を付し、その説明を省略する。【０２４３】
本実施の形態の液晶表示装置５０は、前記実施の形態１および実施の形態２の構成に加えて、図１３（ａ）（ｂ）に示すように、スイッチング素子としての第１ＴＦＴ４ａおよび第２ＴＦＴ４ｂが、列方向に隣接する画素Ｐ単位同士で異なる前記データ信号線３であるソースラインＳＬｉ・ＳＬｉ＋１に接続されている。【０２４４】
すなわち、図１４（ａ）に示すように、一般的に、液晶表示装置では、ドット反転駆動が行われる。このドット反転駆動では、水平ライン毎にソースラインＳＬｉ・ＳＬｉ＋１に印加する電圧を極性反転する必要があるので、ソースラインＳＬｉ・ＳＬｉ＋１の信号遅延による画質の劣化のおそれがある。そこで、この対策として、図１４（ｂ）に示すように、ソースライン反転駆動が行うことが考えられる。すなわち、ソースライン反転駆動では、ソースラインＳＬｉ・ＳＬｉ＋１に印加する電圧を１フレーム毎に極性反転するため、ドット反転駆動に比べ、データ信号の極性周期を低減することができ、前記ソースドライバ３３の消費電力が低く抑えられ、ソースラインＳＬｉ・ＳＬｉ＋１の信号遅延による画質劣化を防ぐことができる。しかしながら、ソースライン反転駆動を行うと、隣接データ信号線３であるソースラインＳＬｉ・ＳＬｉ＋１の間の極性が異なる。その結果、図１４（ｂ）に示すように、画素Ｐの列毎に印加する電圧の極性が異なるため、縦状の縞（縦フリッカー）が視認される場合がある。【０２４５】
そこで、本実施の形態では、図１３（ａ）（ｂ）に示すように、スイッチング素子としての第１ＴＦＴ４ａおよび第２ＴＦＴ４ｂを、列方向に隣接する画素Ｐ単位同士で異なるデータ信号線３であるソースラインＳＬｉ・ＳＬｉ＋１に接続する。【０２４６】
これにより、図１４（ｃ）に示すように、データ信号線３に印加する電圧を１フレーム毎に極性反転するソースライン反転駆動を行っても、各画素Ｐに印加される電圧の極性はドット反転駆動の場合と同じである。したがって、ソースラインＳＬｉ・ＳＬｉ＋１の信号遅延による画質の劣化を抑制することができると共に、上記の縦フリッカーの発生を抑制するができる。【０２４７】
また、前記実施の形態２の図９に示すように、ゲートラインＧｊに接続される画素ＰではスリットＳＬおよびリブＬＢを平面２連「＞」形状に配すると共に、このゲートラインＧｊに接続される画素Ｐに隣接するゲートラインＧｊ＋１に接続される画素Ｐでは、スリットＳＬおよびリブＬＢを１８０度反転した平面２連「＜」形状に配した場合において、ゲートラインＧｊに接続される画素Ｐについては、第１ドレイン引き出し配線７ａ又は第２ドレイン引き出し配線７ｂを、配向規制構造物としての例えばリブＬＢと重畳して配設することが可能である。【０２４８】
しかしながら、ゲートラインＧｊ＋１に接続される画素Ｐでは、第１ドレイン引き出し配線７ａ又は第２ドレイン引き出し配線７ｂを、配向規制構造物としての例えばリブＬＢに沿って完全に重畳して配設することが困難である。すなわち、開口率低下の抑制を目的として、第１ドレイン引き出し配線７ａおよび第２ドレイン引き出し配線７ｂをリブＬＢに沿って完全に重畳して配設するために、この第１ドレイン引き出し配線７ａおよび第２ドレイン引き出し配線７ｂをゲートラインＧｊ＋１に沿って、例えばゲートラインＧｊ＋１と重畳して引き回すのは、ゲートラインＧｊ＋１と第１ドレイン引き出し配線７ａおよび第２ドレイン引き出し配線７ｂとの間の寄生容量が増加するため望ましくない。【０２４９】
これに対して、本実施の形態では、図１３（ａ）（ｂ）に示すように、スイッチング素子としての第１ＴＦＴ４ａおよび第２ＴＦＴ４ｂを、列方向に隣接する画素Ｐ単位同士で異なるデータ信号線３であるソースラインＳＬｉ・ＳＬｉ＋１に接続する。この結果、第１ドレイン引き出し配線７ａ又は第２ドレイン引き出し配線７ｂを、配向規制構造物としての例えばリブＬＢと重畳して配設することが容易となる。その結果、実施の形態２よりもさらに開口率の低下を抑える効率的なパターン配置を実現することができる。【０２５０】
以下では、図１８〜図４１を用い、本発明の実施の形態をより詳細に説明する。【０２５１】
図１８は実施の形態１で説明した液晶表示装置に用いられる、画素分割方式のＭＶＡモード液晶パネルの平面図である。なお、本液晶パネルはアクティブマトリクス基板と液晶層とカラーフィルタ基板とを備えるが、図１８では、液晶層は図示せず、カラーフィルタ基板についてはリブのみを図示している。【０２５２】
図１８に示すように、アクティブマトリクス基板の各画素領域（図示せず）には、走査信号線２を挟むように第１および第２副画素領域（図示せず）が設けられ、この第１副画素領域とカラーフィルタ基板の該第１副画素領域に対応する部分とを含むように第１副画素が構成されるとともに、この第２副画素領域とカラーフィルタ基板の該第２副画素領域に対応する部分とを含むように第２副画素が構成される。第１副画素には、第１副画素領域のほぼ全体に重なる第１の画素電極１ａが設けられ、さらに、第１リブＬ１とスリット（画素電極スリット）Ｓ１〜Ｓ４とからなる第１配向規制構造物が設けられる。また、第２副画素には、第２副画素領域のほぼ全体に重なる第２の画素電極１ｂが設けられ、さらに、第２リブＬ２とスリット（画素電極スリット）Ｓ５〜Ｓ８とからなる第２配向規制構造物が設けられる。そして、第１および第２副画素によって１つの画素５５が構成される。【０２５３】
なお、図１８および図５（等価回路）に示すように、画素５５は２つのトランジスタ４ａ・４ｂを備えており、第１のトランジスタ４ａのソース電極５ａはデータ信号線３（ＳＬｉ）に接続され、そのドレイン電極６ａは、第１のドレイン引き出し配線７ａとコンタクトホール８ａとを介して第１の画素電極１ａに接続され、第２のトランジスタ４ｂのソース電極５ｂはデータ信号線３に接続され、そのドレイン電極６ｂは、第２のドレイン引き出し配線７ｂとコンタクトホール８ｂとを介して第２の画素電極１ｂに接続されている。なお、第１および第２のトランジスタ４ａ・４ｂのゲート電極は走査信号線２（Ｇｊ）が兼ねている。また、第１の画素電極１ａと第１保持容量配線１１との重畳部に第１の保持容量（Ｃｃｓ１）が形成され、また、第２の画素電極１ｂと第２保持容量配線１２との重畳部に第２の保持容量（Ｃｃｓ２）が形成される。なお、画素電極１ａとカラーフィルタ基板の共通電極（共通対向電極）との間で第１副画素容量（Ｃｌｃ１）が形成され、画素電極１ｂとカラーフィルタ基板の共通電極（共通対向電極）との間で第２副画素容量（Ｃｌｃ２）が形成される。本液晶パネルが液晶表示装置に適用された場合、第１および第２の画素電極１ａ・１ｂには一旦同じ電位が書き込まれるが、第１および第２保持容量配線１１・１２の電位を、例えば互いに逆位相に制御することで、各画素電極１ａ・１ｂの実効電位を異ならせることができ。これにより、例えば、第１副画素を明副画素、第２副画素を暗副画素とすることができる。【０２５４】
画素５５においては、走査信号線２の一方の側に位置する第１副画素が、走査信号線２に沿う端部Ｅ１とこれと向き合う端部Ｅ２と有し、走査信号線２のもう一方の側に位置する第２副画素が、走査信号線２に沿う端部Ｅ１とこれに向き合う端部Ｅ２とを有する。ここで、カラーフィルタ基板の第１副画素に対応する部分には、行方向（図中左→右方向）に視てＶ字形状をなす第１リブＬ１が、端部Ｅ１に始端部Ｔが位置するとともに端部Ｅ２に終端部Ｍが位置するように設けられ、カラーフィルタ基板の第２副画素に対応する部分にも、行方向（図中左→右方向）に視てＶ字形状をなす第２リブＬ２が、端部Ｅ１に始端部Ｔが位置するとともに端部Ｅ２に終端部Ｍが位置するように設けられる。すなわち、第１リブＬ１の向きと第２リブＬ２の向きは同方向である。【０２５５】
さらに、第１の画素電極１ａには第１リブＬ１に対応して複数のスリットＳ１〜Ｓ４が設けられるとともに、第２の画素電極１ｂには第２リブＬ２に対応して複数のスリットＳ５〜Ｓ８が設けられている。ここで、スリットＳ２・Ｓ４は第１リブＬ１の始端部Ｔから屈折部Ｋまでの部分とほぼ平行となるようにその両側に設けられ、スリットＳ１・Ｓ３は第１リブＬ１の屈折部Ｋから終端部Ｍまでの部分とほぼ平行となるようにその両側に設けられ、スリットＳ５・Ｓ７は第２リブＬ２の始端部Ｔから屈折部Ｋまでの部分とほぼ平行となるようにその両側に設けられ、スリットＳ６・Ｓ８は第２リブＬ２の屈折部Ｋから終端部Ｍまでの部分とほぼ平行となるようにその両側に設けられており、スリットＳ５〜Ｓ８の形状および第２リブＬ２に対する配置位置は、スリットＳ１〜Ｓ４の形状および第１リブＬ１に対する配置位置と同様である。なお、第１および第２リブＬ１・Ｌ２それぞれにおいて、始端部Ｔ、屈折部Ｋ、および終端部Ｍがなす角（∠ＴＫＭ）はおよそ９０°である。【０２５６】
このように、スリットＳ１、第１リブＬ１の一辺（ＫＭ部分）、およびスリットＳ３はそれぞれ平行で、かつ走査信号線２に対して斜めに（約４５°をなして）延伸し、スリットＳ２、第１リブＬ１の一辺（ＴＫ部分）、およびスリットＳ４はそれぞれ平行で、かつ走査信号線２に対して斜めに（約１３５°をなして）延伸しており、第１リブＬ１の一辺（ＴＫ部分）の一部とスリットＳ４の一部とが第１副画素の端部（走査信号線２に沿う部分）に位置している。一方、スリットＳ６、第２リブＬ２の一辺（ＫＭ部分）、およびスリットＳ８はそれぞれ平行で、かつ走査信号線２に対して斜めに（約１３５°をなして）延伸し、スリットＳ５、第２リブＬ２の一辺（ＴＫ部分）、およびスリットＳ７はそれぞれ平行で、かつ走査信号線２に対して斜め（約４５°をなして）に延伸しており、上記第２リブＬ２の一辺（ＴＫ部分）の一部とスリットＳ７の一部とが第２副画素の端部（走査信号線２に沿う部分）に位置している。【０２５７】
図４０（ａ）（ｂ）は、本液晶パネルを液晶表示装置に適用したときの模式的な断面図である。なお本液晶パネルでは、配向膜として垂直配向膜を用い、誘電異方性が負の液晶を用いている。同図に示されるように、本液晶表示装置では、黒表示時（アクティブマトリクス基板・カラーフィルタ基板間の電圧Ｖ＝０の場合）には液晶分子は直立する一方、中間調表示時には、液晶分子は、第１あるいは第２リブとスリットとで画される領域ごとに異なる方向に傾く（図４０（ｂ）の破線は電気力線を示している）。【０２５８】
すなわち、カラーフィルタ基板の第１副画素に対応する部分に第１リブＬ１を設けるとともに第１の画素電極１ａにスリットＳ１〜Ｓ４を設けることで、図１９に示すように、第１リブＬ１の始端部Ｔから屈折部Ｋまでの部分の両側に配向領域Ｄ３・Ｄ４が形成されるとともに、第１リブＬ１の屈折部Ｋから終端部Ｍまでの部分の両側に配向領域Ｄ１・Ｄ２が形成され、かつ、スリットＳ１の第１リブＬ１と向き合わない側には配向領域Ｄ２が形成され、スリットＳ２の第１リブＬ１と向き合わない側には配向領域Ｄ３が形成され、スリットＳ３の第１リブＬ１と向き合わない側には配向領域Ｄ１が形成され、スリットＳ４の第１リブＬ１と向き合わない側には配向領域Ｄ４が形成される。同様に、カラーフィルタ基板の第２副画素に対応する部分に第２リブＬ２を設け、第２の画素電極１ｂにスリットＳ５〜Ｓ８を設けることで、図１９に示すように、第２リブＬ２の始端部Ｔから屈折部Ｋまでの部分の両側に配向領域Ｄ１・Ｄ２が形成されるとともに、第２リブＬ２の屈折部Ｋから終端部Ｍまでの部分の両側に配向領域Ｄ３・Ｄ４が形成され、かつ、スリットＳ５の第２リブＬ２と向き合わない側には配向領域Ｄ２が形成され、スリットＳ６の第２リブＬ２と向き合わない側には配向領域Ｄ３が形成され、スリットＳ７の第２リブＬ２と向き合わない側には配向領域Ｄ１が形成され、スリットＳ８の第２リブＬ２と向き合わない側には配向領域Ｄ４が形成される。これにより、本液晶パネルを用いた液晶表示装置の広視野角化を実現することができる。【０２５９】
そして、本液晶パネルでは、図２０に示すように、列方向に隣接する２つの画素５５ｘ・５５ｙの一方である画素５５ｘに設けられた第１配向規制構造物（リブ・スリット）の形状は、もう一方である画素５５ｙに設けられた第１配向規制構造物（リブ・スリット）を１８０°回転させて得られる形状となっている。さらに、各画素において第１および第２配向規制構造物の形状はほぼ同一であり、したがって、画素５５ｘに設けられた第２配向規制構造物（リブ・スリット）の形状は、画素５５ｙに設けられた第２配向規制構造物（リブ・スリット）を１８０°回転させて得られる形状となっている。すなわち、画素５５ｙに設けられるリブＬ１１〜１２並びに第１〜第２の画素電極１ｃ・１ｄおよびそのスリットＳ１１〜Ｓ１８は、画素５５ｘに設けられるリブＬ１〜２並びに第１〜第２の画素電極１ａ・１ｂおよびそのスリットＳ１〜Ｓ８を１８０°回転して得られるものである。具体的には、スリットＳ１１、第１リブＬ１１の一辺、およびスリットＳ１３はそれぞれ平行で、かつ走査信号線２に対して斜めに（約１３５°をなして）延伸し、スリットＳ１２、第１リブＬ１１の一辺、およびスリットＳ１４はそれぞれ平行で、かつ走査信号線２に対して斜めに（約４５°をなして）延伸しており、第１リブＬ１１の一辺の一部ＧとスリットＳ１４の一部Ｈとが第１副画素の端部（走査信号線２に沿う部分）に位置している。一方、スリットＳ１６、第２リブＬ１２の一辺、およびスリットＳ１８はそれぞれ平行で、かつ走査信号線２に対して斜めに（約４５°をなして）延伸し、スリットＳ１５、第２リブＬ１２の一辺、およびスリットＳ１７はそれぞれ平行で、かつ走査信号線２に対して斜め（約１３５°をなして）に延伸しており、上記第２リブＬ１２の一辺（ＴＫ部分）の一部ＩとスリットＳ１７の一部Ｊとが第２副画素の端部（走査信号線２に沿う部分）に位置している。また、画素５５ｘでは、図２０に示すように、第１リブＬ１の一辺の一部ＢとスリットＳ４の一部Ａとが第１副画素の端部（走査信号線２に沿う部分）に位置し、第２リブＬ２の一辺の一部ＦとスリットＳ７の一部Ｃとが第２副画素の端部（走査信号線２に沿う部分）に位置している。【０２６０】
図２１に、本液晶パネルを用いた液晶表示装置において画素５５ｘ・５５ｙに形成される配向領域Ｄ１〜Ｄ４の分布を示す。なお、画素５５ｘ・５５ｙそれぞれにおいて、第１副画素が明副画素に、第２副画素が暗副画素に対応するものとする。【０２６１】
ここで、各画素においては走査信号線２の近傍（走査信号線２に沿う部分）の液晶配向が乱れることが知られているが、本液晶パネルでは、隣接する２つの画素５５ｘ・５５ｙにおいて、画素５５ｘにおける明副画素の配向領域Ｄ１〜Ｄ４それぞれの配向乱れ部分が、０（なし）・０（なし）・ＸＭ３・ＸＭ４α＋ＸＭ４βとなり、画素５５ｘにおける暗副画素の配向領域Ｄ１〜Ｄ４それぞれの配向乱れ部分が、ＸＡ１α＋ＸＡ１β・ＸＡ２・０（なし）・０（なし）となり、画素５５ｙにおける明副画素の配向領域Ｄ１〜Ｄ４それぞれの配向乱れ部分が、ＹＭ１・ＹＭ２α＋ＹＭ２β・０（なし）・０（なし）となり、画素５５ｙにおける暗副画素の配向領域Ｄ１〜Ｄ４それぞれの配向乱れ部分が、０（なし）・０（なし）・ＹＡ３α＋ＹＡ３β・ＹＡ４となる。【０２６２】
したがって、２つの画素（５５ｘ・５５ｙ）を１単位としてみれば、２つの明副画素に含まれる配向領域Ｄ１〜Ｄ４それぞれの配向乱れ部分が、ＹＭ１・ＹＭ２α＋ＹＭ２β・ＸＭ３・ＸＭ４α＋ＸＭ４βとなり、また、２つの暗副画素に含まれる配向領域Ｄ１〜Ｄ４それぞれの配向乱れ部分が、ＸＡ１α＋ＸＡ１β・ＸＡ２・ＹＡ３α＋ＹＡ３β・ＹＡ４となる。【０２６３】
以上から、本液晶パネルでは、列方向に隣接する画素５５ｘ・５５ｙに含まれる２つの明副画素が受ける配向乱れ部分が配向領域Ｄ１〜Ｄ４に分散されていることがわかる。さらに、本液晶パネルでは、ＹＭ１の大きさと、ＹＭ２αの大きさ＋ＹＭ２βの大きさと、ＸＭ３の大きさと、ＸＭ４αの大きさ＋ＸＭ４βの大きさとがほぼ等しくなるように各画素（５５ｘ・５５ｙ）の第１および第２の配向規制構造物が配設されていることから、配向領域Ｄ１〜Ｄ４それぞれの配向乱れ面積（各配向領域が受ける配向乱れの影響）はほぼ均一化されることになる。同様に、列方向に隣接する画素５５ｘ・５５ｙに含まれる２つの暗副画素が受ける配向乱れ部分が配向領域Ｄ１〜Ｄ４に分散されていることがわかる。さらに、本液晶パネルでは、ＸＡ１αの大きさ＋ＸＡ１βの大きさと、ＸＡ２の大きさと、ＹＡ３αの大きさ＋ＹＡ３βの大きさと、ＹＡ４との大きさとがほぼ等しくなるように各画素（５５ｘ・５５ｙ）の第１および第２の配向規制構造物が配設されていることから、配向領域Ｄ１〜Ｄ４それぞれの配向乱れ面積（各配向領域が受ける配向乱れの影響）はほぼ均一化される。以上のことは、各画素において明副画素と暗画素の位置が入れ替わっても同じである。【０２６４】
なお、上記ＹＭ１の大きさは図２０のＧ・Ｈ間の長さ、ＹＭ２αのそれは同図のＰ・Ｇ間の長さ、ＹＭ２βのそれは同図のＨ・Ｑ間の長さ、ＸＭ３のそれは同図のＡ・Ｂ間の長さ、ＸＭ４αのそれは同図のＰ・Ａ間の長さ、ＸＭ４βのそれは同図のＢ・Ｑ間の長さで近似することができ、上記ＸＡ１αのそれは図２０のＰ・Ｃ間の長さ、ＸＡ１βのそれは同図のＦ・Ｑ間の長さ、ＸＡ２のそれは同図のＣ・Ｆ間の長さ、ＹＡ３αのそれは同図のＰ・Ｉ間の長さ、ＹＡ３βのそれは同図のＪ・Ｑ間の長さ、ＹＡ４のそれは同図のＩ・Ｊ間の長さで近似することができる。上記Ｐ・Ｑは走査信号線に沿う、副画素の両端を示している。【０２６５】
このように、本液晶パネルによれば、走査信号線２による配向乱れの影響を各配向領域（Ｄ１〜Ｄ４）に均一に分散させることができる。これにより、設計時に意図した視野角特性のバランスを可及的に維持することができ、視野角特性の優れた液晶表示装置を実現することができる。【０２６６】
さらに、図１８に示す液晶パネルでは、１画素に設けられる第１および第２のリブが繋がっていない（それぞれが間隙をおいて独立している）ため、例えば液晶滴下注入法を用いる場合に、液晶中に真空気泡が発生することを抑制することができる。第１および第２リブの間隙によって液晶が広がりやすくなるためである。また、配向膜をインクジェット法で形成する場合にも、第１および第２リブの間隙によって配向膜が広がりやすくなり、配向膜の形成ムラを抑制することができる。【０２６７】
なお、図１８の液晶パネルは、図３８に示すように、第１リブＬ１と第２リブＬ２とを、走査信号線２と重なるように配設されたリブＬｃで繋げた構成とすることもできる。この場合、１つの画素内にジグザグ形状のリブが設けられることになる。【０２６８】
また、本液晶パネルは、図３９のように構成することもできる。この構成は、図１８における第１リブＬ１の替わりに、その位置に第１共通電極スリット（共通電極に設けられたスリット）Ｓｐを設け、第２リブＬ２の替わりに、その位置に第２共通電極スリットＳｑを設けた構成であり、他の構成は図１８と同様である。図４１（ａ）（ｂ）は、該構成の液晶パネルを液晶表示装置に適用したときの模式的な断面図である。同図に示されるように、黒表示時（アクティブマトリクス基板・カラーフィルタ基板間の電圧Ｖ＝０の場合）には液晶分子は直立する一方、中間調表示時には、液晶分子は、第１共通電極スリットＳｐと第１の画素電極１ａに形成される各スリットＳ、または第２共通電極スリットＳｑと第２の画素電極１ｂに形成される各スリットＳで画される領域ごとに異なる方向に傾く（図４０（ｂ）の破線は電気力線を示している）。これにより、第１および第２副画素それぞれに４つの配向領域（図１９と同様）が形成される。【０２６９】
本実施の形態の液晶パネルは図２２のように構成してもよい。なお、本液晶パネルは（画素分割方式ではない）ＭＶＡモードの液晶パネルであって、アクティブマトリクス基板と液晶層とカラーフィルタ基板とを備えるが、同図では、液晶層は図示せず、カラーフィルタ基板についてはリブのみを図示している。図２３は、図２２の一部の等価回路を示している。【０２７０】
本液晶パネルでは、アクティブマトリクス基板の各画素領域（図示せず）とカラーフィルタ基板の該画素領域に対応する部分とを含むように画素が構成される。図２２はデータ信号線に沿う方向（列方向）に隣接する２つの画素Ｘ・Ｙについて示しており、画素Ｘにはその画素領域のほぼ全体に重なる画素電極１ｘが設けられ、さらに、リブＬ１０〜１２とスリット（画素スリット）Ｓ１０〜Ｓ１３とからなる配向規制構造物Ｆｘが設けられる。また、画素Ｙには、その画素領域のほぼ全体に重なる画素電極１ｙが設けられ、さらに、リブＬ２０〜２２とスリットＳ２０〜Ｓ２３（画素スリット）とからなる配向規制構造物Ｆｙが設けられる。【０２７１】
図２２・２３に示すように、画素Ｘは２つの走査信号線（２ｘ・２ｚ）に挟まれるように配され、走査信号線２ｘに沿う端部Ｅ１と走査信号線２ｚに沿う端部Ｅ２とを有する。画素電極１ｘは、走査信号線２ｘとデータ信号線３との交差部近傍に設けられたトランジスタ４ｘのドレイン電極に接続される。なお、トランジスタ４ｘのソース電極はデータ信号線３に接続され、そのゲート電極を走査信号線２ｘが兼ねている。また、画素電極１ｘと重なるように保持容量配線１１ｘが設けられ、この重なり部分に保持容量Ｃｃｓが形成される。また、画素電極１ｘとカラーフィルタ基板の共通電極（共通対向電極）との間で画素容量（Ｃｌｃ）が形成される。【０２７２】
カラーフィルタ基板の画素Ｘに対応する部分には、行方向（図中左→右方向）に視てＶ字形状をなすリブＬ１０が画素中段に設けられ、さらに、Ｖ字をなすリブＬ１０の一辺に平行でかつ画素Ｘの端部Ｅ２に重なるリブＬ１１と、リブＬ１０のもう一辺に平行でかつ画素Ｘの端部Ｅ１に重なるリブＬ１２とが設けられる。なお、リブＬ１０の２辺がなす角度はおよそ９０°である。また、画素電極１ｘにはリブＬ１０〜１２に対応して複数のスリットＳ１０〜Ｓ１３が設けられる。すなわち、リブＬ１０の一辺とリブＬ１１との間にスリットＳ１０が配され、スリットＳ１０とスリットＳ１２との間に上記リブＬ１０の一辺が配される。スリットＳ１２、上記リブＬ１０の一辺、スリットＳ１０、およびリブＬ１１はそれぞれ平行で、かつ走査信号線２ｚに対して斜めに（４５°をなして）延伸しており、リブＬ１１の一部Ａが画素Ｘの端部（走査信号線２ｚに沿う部分）に位置する。また、リブＬ１０のもう一辺とリブＬ１２との間にスリットＳ１１が配され、スリットＳ１１とスリットＳ１３との間に上記リブＬ１０のもう一辺が配される。スリットＳ１３、上記リブＬ１０のもう一辺、スリットＳ１１、およびリブＬ１２はそれぞれ平行で、かつ走査信号線２ｘに対して斜めに（１３５°をなして）延伸しており、リブＬ１２の一部Ｂが画素Ｘの端部（走査信号線２ｘに沿う部分）に位置する。【０２７３】
図２２に示すように、画素Ｙは２つの走査信号線（２ｘ・２ｙ）に挟まれるように配され、画素電極１ｙは、走査信号線２ｙとデータ信号線３との交差部近傍に設けられたトランジスタ４ｙのドレイン電極に接続される。なお、トランジスタ４ｙのソース電極はデータ信号線３に接続され、そのゲート電極を走査信号線２ｙが兼ねている。また、画素電極１ｙと重なるように保持容量配線１１ｙが設けられ、この重なり部分に保持容量が形成される。ここで、画素ＹのリブＬ２０〜２２並びに画素電極１ｙおよびそのスリットＳ２０〜Ｓ２３は、画素ＸにおけるリブＬ１０〜１２並びに画素電極１ｘおよびそのスリットＳ１０〜Ｓ１３を１８０°回転して得られるものである。したがって、スリットＳ２２、リブＬ２０の一辺、スリットＳ２０、およびリブＬ２１はそれぞれ平行で、かつ走査信号線２ｘに対して斜めに（１３５°をなして）延伸しており、リブＬ２１の一部Ｃが画素Ｙの端部（走査信号線２ｘに沿う部分）に位置する。また、スリットＳ２３、リブＬ２０のもう一辺、スリットＳ２１、およびリブＬ２２はそれぞれ平行で、かつ走査信号線２ｘに対して斜めに（４５°をなして）延伸しており、リブＬ２２の一部Ｆが画素Ｙの端部（走査信号線２ｙに沿う部分）に位置する。【０２７４】
上記のように、画素Ｘに配向規制構造物Ｆｘを設けるとともに、画素Ｙに配向規制構造物Ｆｙを設けることで、本液晶パネルを用いた液晶表示装置において図２４に示すように配向領域Ｄ１〜Ｄ４が形成され、広視野角化を実現することができる。【０２７５】
ここで、各画素においては走査信号線２ｘ〜２ｚの近傍（走査信号線に沿う部分）の液晶配向が乱れることが知られているが、本液晶パネルでは、画素Ｘの配向領域Ｄ１〜Ｄ４それぞれの配向乱れ部分が、ＬＸ１・ＬＸ２・ＬＸ３・ＬＸ４となり、画素Ｙの配向領域Ｄ１〜Ｄ４それぞれの配向乱れ部分が、ＬＹ１・ＬＹ２・ＬＹ３・ＬＹ４となり、各画素における配向乱れ部分が配向領域Ｄ１〜Ｄ４に分散されていることがわかる。【０２７６】
さらに、本液晶パネルでは、列方向に隣接する２つの画素の一方である画素Ｙに設けられた配向規制構造物Ｆｙの形状が、もう一方である画素Ｘに設けられた配向規制構造物Ｆｘを１８０°回転させて得られる形状となっているため、列方向に隣接する２つの画素（Ｘ・Ｙ）を１単位としてみれば、２つの画素に含まれる配向領域Ｄ１〜Ｄ４それぞれの配向乱れ部分が、ＬＸ１＋ＬＹ１・ＬＸ２＋ＬＹ２・ＬＸ３＋ＬＹ３・ＬＸ４＋ＬＹ４となり、ＬＸ１の大きさ≒ＬＸ４の大きさ≒ＬＹ２の大きさ≒ＬＹ３の大きさ、ＬＸ２の大きさ≒ＬＸ３の大きさ≒ＬＹ１の大きさ≒ＬＹ４の大きさであるため、ＬＸ１の大きさ＋ＬＹ１の大きさと、ＬＸ２の大きさ＋ＬＹ２の大きさと、ＬＸ３の大きさ＋ＬＹ３の大きさと、ＬＸ４の大きさ＋ＬＹ４の大きさとがほぼ等しくなり、したがって、配向領域Ｄ１〜Ｄ４それぞれの配向乱れ面積（各配向領域が受ける配向乱れの影響）がほぼ均一化されていることがわかる。【０２７７】
なお、上記ＬＸ１の大きさは図２２のＡ・Ｑ間の長さ、ＬＸ２の大きさは同図のＰ・Ａ間の長さ、ＬＸ３の大きさは同図のＰ・Ｂ間の長さ、ＬＸ４の大きさは同図のＢ・Ｑ間の長さ、ＬＹ１の大きさは同図のＦ・Ｑ間の長さ、ＬＹ２の大きさは同図のＰ・Ｆ間の長さ、ＬＹ３の大きさは同図のＰ・Ｃ間の長さ、ＬＹ４の大きさは同図のＣ・Ｑ間の長さで近似することができる。上記Ｐ・Ｑは走査信号線に沿う、画素の両端を示している。上記した、ＬＸ１の大きさ＋ＬＹ１の大きさ、ＬＸ２の大きさ＋ＬＹ２の大きさ、ＬＸ３の大きさ＋ＬＹ３の大きさ、およびＬＸ４の大きさ＋ＬＹ４の大きさはそれぞれ、Ｐ・Ｑ間の長さで近似することができる。【０２７８】
このように、本液晶パネルによれば、１画素単位において、走査信号線に起因する配向乱れの影響を各配向領域（Ｄ１〜Ｄ４）に分散させ、かつ、列方向に隣接する２画素単位において、各配向領域（Ｄ１〜Ｄ４）が受ける上記影響を均一化させることができる。これにより、設計時に意図した視野角特性のバランスを可及的に維持することができ、視野角特性の優れた液晶表示装置を実現することができる。【０２７９】
図２４に示す液晶パネルは、画素ごとに保持容量配線を設ける構成（いわゆるＣｓオンコモン）であるが、これを図２５のようにＣｓオンゲートの構成としても構わない。図２６は、図２５の一部の等価回路を示している。すなわち、画素電極１ｙは、走査信号線２ｙとデータ信号線３との交差部近傍に設けられたトランジスタ４ｙのドレイン電極に接続されるが、この画素電極１ｙの端部を、トランジスタ４ｘを駆動する走査信号線２ｘに重ねる。これにより、走査信号線２ｘがゲートＯＦＦ時に保持容量配線として機能し、走査信号線２ｘと画素電極１ｙとの間に保持容量Ｃｃｓが形成される（図２６参照）。このＣｓオンゲートの構成では、画素を横切る保持容量配線が不要となるため、開口率を高めることができる。【０２８０】
図２５に示す液晶パネルによっても、画素Ｘの配向領域Ｄ１〜Ｄ４それぞれの配向乱れ部分が、Ｌｘ１・Ｌｘ２・Ｌｘ３・Ｌｘ４となり、画素Ｙの配向領域Ｄ１〜Ｄ４それぞれの配向乱れ部分が、Ｌｙ１・Ｌｙ２・Ｌｙ３・Ｌｙ４となり、各画素における配向乱れ部分が配向領域Ｄ１〜Ｄ４に分散されていることがわかる。なお、画素Ｘ・Ｙの端部は走査信号線に重なっているため、走査信号線による配向乱れの影響を受けにくく、したがって、Ｌｘ１・Ｌｘ２・Ｌｙ３・Ｌｙ４は小さくなる。【０２８１】
さらに、列方向に隣接する２つの画素（Ｘ・Ｙ）を１単位としてみれば、２つの画素に含まれる配向領域Ｄ１〜Ｄ４それぞれの配向乱れ部分が、Ｌｘ１＋Ｌｙ１・Ｌｘ２＋Ｌｙ２・Ｌｘ３＋Ｌｙ３・Ｌｘ４＋Ｌｙ４となり、Ｌｘ１の大きさ≒Ｌｘ４の大きさ≒Ｌｙ２の大きさ≒Ｌｙ３の大きさ、Ｌｘ２の大きさ≒Ｌｘ３の大きさ≒Ｌｙ１の大きさ≒Ｌｙ４の大きさであるため、Ｌｘ１の大きさ＋Ｌｙ１の大きさと、Ｌｘ２の大きさ＋Ｌｙ２の大きさと、Ｌｘ３の大きさ＋Ｌｙ３の大きさと、Ｌｘ４の大きさ＋Ｌｙ４の大きさとがほぼ等しくなり、したがって、配向領域Ｄ１〜Ｄ４それぞれの配向乱れ面積（各配向領域が受ける配向乱れの影響）がほぼ均一化されることがわかる。【０２８２】
このように、本液晶パネルによれば、１画素単位において、走査信号線に起因する配向乱れの影響を各配向領域（Ｄ１〜Ｄ４）に分散させ、かつ、列方向に隣接する２画素単位において、各配向領域（Ｄ１〜Ｄ４）が受ける上記影響を均一化させることができる。これにより、設計時に意図した視野角特性のバランスを可及的に維持することができ、視野角特性の優れた液晶表示装置を実現することができる。【０２８３】
本実施の形態の液晶パネルは図２７のように構成してもよい。本液晶パネルは画素分割方式のＭＶＡモードであって、アクティブマトリクス基板と液晶層とカラーフィルタ基板とを備えるが、同図では、液晶層は図示せず、カラーフィルタ基板についてはリブのみを図示している。図２８は、図２７の一部の等価回路を示している。【０２８４】
図２７に示すように、アクティブマトリクス基板の各画素領域（図示せず）には、第１および第２副画素領域（図示せず）が設けられ、この第１副画素領域とカラーフィルタ基板の該第１副画素領域に対応する部分とを含むように第１副画素が構成されるとともに、この第２副画素領域と対向基板の該第２副画素領域に対応する部分とを含むように第２副画素が構成される。この第１副画素には、第１副画素領域のほぼ全体に重なる第１の画素電極１ａが設けられ、さらに、リブとスリット（画素電極スリット）とからなる第１配向規制構造物が設けられる、また、第２副画素には、第２副画素領域のほぼ全体に重なる第２の画素電極１ｂが設けられ、さらに、リブとスリット（画素電極スリット）とからなる第２配向規制構造物が設けられる。【０２８５】
図２７はデータ信号線方向に隣接する２つの画素（画素Ｘ・画素Ｙ）について示しており、例えば画素Ｘは、これに対応して設けられた２つの走査信号線２ｘａ・２ｘｂ間に配され、第１副画素が、走査信号線２ｘｂに沿う端部とこれに向き合う端部とを有し、第２副画素が、走査信号線２ｘａに沿う端部とこれに向き合う端部とを有する。ここで、図２７・２８に示すように、第１の画素電極１ａは、走査信号線２ｘａとデータ信号線３との交差部近傍に設けられたトランジスタ４ｘａのドレイン電極に接続され、第２の画素電極１ｂは、走査信号線２ｘｂとデータ信号線３との交差部近傍に設けられたトランジスタ４ｘｂのドレイン電極に接続される。なお、トランジスタ４ｘａのソース電極はデータ信号線３に接続され、そのゲート電極を走査信号線２ｘａが兼ねている。また、トランジスタ４ｘｂのソース電極はデータ信号線３に接続され、そのゲート電極を走査信号線２ｘｂが兼ねている。また、第１および第２の画素電極１ａ・１ｂと重なるように保持容量配線１１が設けられ、それぞれの重なり部分に第１および第２の保持容量Ｃｃｓ１・Ｃｃｓ２が形成される。なお、画素電極１ａとカラーフィルタ基板の共通電極（共通対向電極）との間で第１副画素容量（Ｃｌｃ１）が形成され、画素電極１ｂとカラーフィルタ基板の共通電極（共通対向電極）との間で第２副画素容量（Ｃｌｃ２）が形成される。本液晶パネルが液晶表示装置に適用された場合、第１および第２の画素電極１ａ・１ｂには異なるタイミングで別々の信号電位が供給され（図３３参照）、これにより、例えば、第１副画素を明副画素、第２副画素を暗副画素とすることができる。なお、図３３に示す走査信号線２ｘｂの駆動では、走査作信号線２ｘａの書き込みパルスのタイミングと重なるプリチャージ期間を設けているが、このプリチャージ期間を設けなくても構わない。【０２８６】
画素Ｘ・Ｙそれぞれの第１および第２副画素に設けられるリブおよびスリットは、図２０と同様である。すなわち、列方向に隣接する２つの画素５５ｘ・５５ｙの一方である画素５５ｘに設けられた第１配向規制構造物の形状は、もう一方である画素５５ｙに設けられた第１配向規制構造物を１８０°回転させて得られる形状となっている。さらに、各画素において第１および第２配向規制構造物の形状はほぼ同一であり、したがって、画素５５ｘに設けられた第２配向規制構造物の形状は、画素５５ｙに設けられた第２配向規制構造物を１８０°回転させて得られる形状となっている。具体的には、画素５５ｘにおいて、第１リブＬ１の一辺およびスリットＳ３はそれぞれ平行で、かつ走査信号線２に対して斜めに（約４５°をなして）延伸し、該第１リブＬ１の一辺の一部ＢとスリットＳ３の一部Ａとが第１副画素の端部（走査信号線２ｘａに沿う部分）に位置し、かつ、第２リブＬ２の一辺およびスリットＳ８はそれぞれ平行で、かつ走査信号線２ｘｂに対して斜めに（約１３５°をなして）延伸し、該第２リブＬ２の一辺の一部ＦとスリットＳ８の一部Ｃとが第２副画素の端部（走査信号線２ｘｂに沿う部分）に位置している。一方、画素５５ｙにおいては、第１リブＬ１１の一辺およびスリットＳ１３はそれぞれ平行で、かつ走査信号線２ｙａに対して斜めに（約１３５°をなして）延伸し、該第１リブＬ１１の一辺の一部ＧとスリットＳ１３の一部Ｈとが第１副画素の端部（走査信号線２ｙａに沿う部分）に位置し、かつ、第２リブＬ１２の一辺およびスリットＳ１８はそれぞれ平行で、かつ走査信号線２に対して斜めに（約４５°をなして）延伸し、該第２リブＬ１２の一辺の一部ＩとスリットＳ１８の一部Ｊとが第２副画素の端部（走査信号線２ｙｂに沿う部分）に位置している。【０２８７】
図２９に、本液晶パネルを用いた液晶表示装置において画素５５ｘ・５５ｙに形成される配向領域Ｄ１〜Ｄ４の分布を示す。なお、画素５５ｘ・５５ｙそれぞれにおいて、第１副画素が明副画素に、第２副画素が暗副画素に対応するものとする。【０２８８】
ここで、各画素においては走査信号線（２ｘａ・２ｘｂ・２ｙａ・２ｙｂ）の近傍（走査信号線に沿う部分）の液晶配向が乱れることが知られているが、本液晶パネルでは、隣接する２つの画素５５ｘ・５５ｙにおいて、画素５５ｘにおける明副画素の配向領域Ｄ１〜Ｄ４それぞれの配向乱れ部分が、ＸＭ１α＋ＸＭ１β・ＸＭ２・０（なし）・０（なし）となり、画素５５ｘにおける暗副画素の配向領域Ｄ１〜Ｄ４それぞれの配向乱れ部分が、０（なし）・０（なし）・ＸＡ３・ＸＡ４α＋ＸＡ４βとなり、画素５５ｙにおける明副画素の配向領域Ｄ１〜Ｄ４それぞれの配向乱れ部分が、０（なし）・０（なし）・ＹＭ３α＋ＹＭ３β・ＹＭ４となり、画素５５ｙにおける暗副画素の配向領域Ｄ１〜Ｄ４それぞれの配向乱れ部分が、ＹＡ１・ＹＡ２α＋ＹＡ２β・０（なし）・０（なし）となる。【０２８９】
したがって、２つの画素（５５ｘ・５５ｙ）を１単位としてみれば、２つの明副画素に含まれる配向領域Ｄ１〜Ｄ４それぞれの配向乱れ部分が、ＸＭ１α＋ＸＭ１β・ＸＭ２・ＹＭ３α＋ＹＭ３β・ＹＭ４となり、また、２つの暗副画素に含まれる配向領域Ｄ１〜Ｄ４それぞれの配向乱れ部分が、ＹＡ１・ＹＡ２α＋ＹＡ２β・ＸＡ３・ＸＡ４α＋ＸＡ４βとなる。【０２９０】
以上から、本液晶パネルでは、列方向に隣接する画素５５ｘ・５５ｙに含まれる２つの明副画素が受ける配向乱れ部分が配向領域Ｄ１〜Ｄ４に分散されていることがわかる。さらに、本液晶パネルでは、ＸＭ１αの大きさ＋ＸＭ１βの大きさと、ＸＭ２の大きさと、ＹＭ３αの大きさ＋ＹＭ３βの大きさと、ＹＭ４の大きさとがほぼ等しくなるように各画素（５５ｘ・５５ｙ）の第１および第２の配向規制構造物が配設されていることから、配向領域Ｄ１〜Ｄ４それぞれの配向乱れ面積（各配向領域が受ける配向乱れの影響）はほぼ均一化されることになる。同様に、列方向に隣接する画素５５ｘ・５５ｙに含まれる２つの暗副画素が受ける配向乱れ部分が配向領域Ｄ１〜Ｄ４に分散されていることがわかる。さらに、本液晶パネルでは、ＹＡ１の大きさと、ＹＡ２αの大きさ＋ＹＡ２βの大きさと、ＸＡ３の大きさと、ＸＡ４αの大きさ＋ＸＡ４βの大きさとがほぼ等しくなるように各画素（５５ｘ・５５ｙ）の第１および第２の配向規制構造物が配設されていることから、配向領域Ｄ１〜Ｄ４それぞれの配向乱れ面積（各配向領域が受ける配向乱れの影響）はほぼ均一化される。以上のことは、各画素において明副画素と暗画素の位置が入れ替わっても同じである。【０２９１】
なお、上記ＸＭ１αの大きさは図２７のＰ・Ａ間の長さ、上記ＸＭ１βのそれは同図のＢ・Ｑ間の長さ、上記ＸＭ２のそれは同図のＡ・Ｂ間の長さ、ＹＭ３αのそれは同図のＰ・Ｇ間の長さ、ＹＭ３βのそれは同図のＨ・Ｑ間の長さ、ＹＭ４のそれは同図のＧ・Ｈ間の長さで近似することができ、上記ＹＡ１のそれは図２７のＩ・Ｊ間の長さ、ＹＡ２αのそれは同図のＰ・Ｉ間の長さ、ＹＡ２βのそれは同図のＪ・Ｑ間の長さ、ＸＡ３のそれは同図のＣ・Ｆ間の長さ、ＸＡ４αのそれは同図のＰ・Ｃ間の長さ、ＸＡ４βのそれは同図のＦ・Ｑ間の長さで近似することができる。上記Ｐ・Ｑは走査信号線に沿う、副画素の両端を示している。【０２９２】
このように、本液晶パネルによれば、走査信号線（２ｘａ・２ｘｂ・２ｙａ・２ｙｂ）による配向乱れの影響を各配向領域（Ｄ１〜Ｄ４）に均一に分散させることができる。これにより、設計時に意図した視野角特性のバランスを可及的に維持することができ、視野角特性の優れた液晶表示装置を実現することができる。【０２９３】
本実施の形態の液晶パネルは図３０のように構成してもよい。なお、本液晶パネルは画素分割方式のＭＶＡモードであって、アクティブマトリクス基板と液晶層とカラーフィルタ基板とを備えるが、同図では、液晶層は図示せず、カラーフィルタ基板についてはリブのみを図示している。図３１は、図３０の一部の等価回路を示している。【０２９４】
本液晶パネルでは、アクティブマトリクス基板の各画素領域（図示せず）とカラーフィルタ基板の該画素領域に対応する部分とを含むように画素が構成される。図３０はデータ信号線３方向に隣接する２つの画素（画素Ｘ・画素Ｙ）について示しており、画素Ｘには、その画素領域のほぼ全体に亘って第１〜第４の透明電極（１ａ〜１ｄ）が設けられ、さらに、リブＬ１０〜１４と画素電極間隙（スリット）Ｄ１０〜Ｄ１３とからなる配向規制構造物Ｆｘが設けられる。また、画素Ｙには、その画素領域のほぼ全体に亘って第１〜第４の透明電極（１ｅ〜１ｈ）が設けられ、さらに、リブＬ２０〜２４と画素電極間隙（スリット）Ｄ２０〜Ｄ２３とからなる配向規制構造物Ｆｙが設けられる。【０２９５】
図３０・３１に示すように、画素Ｘは、これに対応して設けられた２つの走査信号線２ｘａ・２ｘｂ間に配され、各走査信号線に沿うエッジＥ１・Ｅ２とデータ信号線に沿うエッジＥ３・Ｅ４を有する。第２の透明電極１ｂはエッジ３の一部（両端を除く部分）を長辺として含みつつ他のエッジ（Ｅ１・２・４）を含まない台形形状であり、第３の透明電極１ｃはエッジＥ１の端部とＥ４の端部とを含む直角三角形形状であり、第４の透明電極１ｄはエッジＥ２の端部とＥ４の端部とを含む直角三角形形状であり、第１の透明電極１ａは、画素領域全体から第２〜第４の透明電極（１ｂ〜１ｄ）を除いた部分に設けられ、エッジＥ３の一部（両端部分）とエッジＥ４の一部（両端を除く部分）とＥ１の一部（端部）とＥ２の一部（端部）とを含む形状である。なお、第１の透明電極１ａは、これと第２の透明電極１ｂとの間に間隙Ｄ１０・１１が形成され、かつこれと第３の透明電極１ｃとの間に間隙Ｄ１２が形成され、かつこれと第４の透明電極１ｄとの間に間隙Ｄ１３が形成されるように設けられている。【０２９６】
ここで、図３０・３１に示すように、第１の透明電極１ａは、走査信号線２ｘａとデータ信号線３との交差部近傍に設けられたトランジスタ４ｘａのドレイン電極に接続され、その第２〜４の透明電極１ｂ〜１ｄは、走査信号線２ｘｂとデータ信号線３との交差部近傍に設けられたトランジスタ４ｘｂのドレイン電極に接続される。具体的には、トランジスタ４ｘａのドレイン電極は、ドレイン引き出し配線１７ａとコンタクトホール８ａとを介して第１の透明電極１ａに接続されている。また、トランジスタ４ｘａのゲート電極は走査信号線２ｘａが兼ねる。さらに、この第１の透明電極１ａはコンタクトホール１８ａを介してドレイン引き出し電極２７ａに接続される。一方、トランジスタ４ｘｂのドレイン電極は、ドレイン引き出し配線とコンタクトホール８ｂとを介して第４の透明電極１ｄに接続されるとともに、ドレイン引き出し配線１７ｂとコンタクトホール８ｂとを介してドレイン引き出し電極２７ｂおよび第２の透明電極１ｂに接続される。また、トランジスタ４ｘｂのゲート電極は走査信号線２ｘｂが兼ねる。さらに、このドレイン引き出し電極２７ｂは、ドレイン引き出し配線３７ｂとコンタクトホール１８ｂとを介して第３の透明電極１ｃに接続される。なお、ドレイン引き出し電極２７ａ・２７ｂに重なるように保持容量配線１１ｘが設けられ、ドレイン引き出し電極２７ａおよび保持容量配線１１ｘ間に第１の保持容量Ｃｃｓ１が形成され、ドレイン引き出し電極２７ｂおよび保持容量配線１１ｘ間に第２の保持容量Ｃｃｓ２が形成される。また、第１の透明電極１ａとカラーフィルタ基板の共通電極（共通対向電極）との間で第１副画素容量（Ｃｌｃ１）が形成され、第２〜第４の透明電極（１ｂ〜１ｄ）とカラーフィルタ基板の共通電極（共通対向電極）との間で第２副画素容量（Ｃｌｃ２）が形成される。本液晶パネルが液晶表示装置に適用された場合、第１の透明電極１ａと第２〜第４の透明電極（１ｂ〜１ｄ）とに、異なるタイミングで別々の信号電位が供給され（図３３参照）、これにより、例えば、第１の透明電極１ａを含む第１副画素を明副画素、第２〜第４の透明電極（１ｂ〜１ｄ）を含む第２副画素を暗副画素とすることができる。【０２９７】
また、カラーフィルタ基板の画素Ｘに対応する部分には、行方向（図中右→左方向）に視てＶ字形状をなすリブＬ１０が、第２の透明電極１ｂと重なるように画素中段に設けられ、さらに、Ｖ字をなすリブＬ１０の一辺と平行でかつ第３の透明電極１ｃと重なるリブＬ１３と、上記リブＬ１０の一辺およびリブＬ１３に挟まれ、かつリブＬ１３に平行で第１の透明電極１ａと重なるリブＬ１１とが設けられる。なお、リブＬ１０の２辺がなす角度はおよそ９０°である。また、画素Ｘには、Ｖ字をなすリブＬ１０のもう一辺と平行で、かつ第４の透明電極１ｄと重なるリブＬ１４が設けられ、また、上記リブＬ１０のもう一辺およびリブＬ１４間に挟まれ、かつリブＬ１４に平行で第１の透明電極１ａに重なるリブＬ１２が設けられる。これにより、リブＬ１０の一辺、間隙Ｄ１０、リブＬ１１、間隙Ｄ１２およびリブＬ１３はそれぞれ平行で、かつ走査信号線２ｘａに対して斜めに（１３５°をなして）延伸しており、間隙Ｄ１２の一部ＡおよびリブＬ１３の一部Ｂが画素Ｘの端部（走査信号線２ｘａに沿う部分）に位置する。また、リブＬ１０のもう一辺、間隙Ｄ１１、リブＬ１２、間隙Ｄ１３およびリブＬ１４はそれぞれ平行で、かつ走査信号線２ｘｂに対して斜めに（４５°をなして）延伸しており、間隙Ｄ１３の一部ＣおよびリブＬ１４の一部Ｆが画素Ｘの端部（走査信号線２ｘｂに沿う部分）に位置する。【０２９８】
画素Ｙには、第１〜第４の透明電極１ｅ〜１ｈとリブＬ２０〜２４とが設けられ、第１の透明電極１ｅは、走査信号線２ｙａとデータ信号線３との交差部近傍に設けられたトランジスタ４ｙａのドレイン電極に接続され、その第２〜４の透明電極１ｆ〜１ｈは、走査信号線２ｙｂとデータ信号線３との交差部近傍に設けられたトランジスタ４ｙｂのドレイン電極に接続される。ここで、画素Ｙの第１〜第４の透明電極１ｅ〜１ｈおよびリブＬ２０〜２４は、画素Ｘにおける第１〜第４の透明電極（１ａ〜１ｄ）およびリブＬ１０〜１４を１８０°回転して得られるものであり、第１〜第４の透明電極１ｅ〜１ｈは上記した第１〜第４の透明電極１ａ〜１ｄに対応し、リブＬ２０〜２４は上記したリブＬ１０〜１４に対応し、間隙Ｄ２０〜Ｄ２４は上記した間隙Ｄ１０〜Ｄ１４に対応する。したがって、カラーフィルタ基板の画素Ｙに対応する部分には、行方向（図中左→右方向）に視てＶ字形状をなすリブＬ２０が、第２の透明電極１ｆと重なるように画素中段に設けられる。【０２９９】
これにより、画素Ｙにおいては、リブＬ２０の一辺、間隙Ｄ２０、リブＬ２１、間隙Ｄ２２およびリブＬ２３はそれぞれ平行で、かつ走査信号線２ｙａに対して斜めに（４５°をなして）延伸しており、間隙Ｄ２２の一部ＨおよびリブＬ２３の一部Ｇが画素Ｙの端部（走査信号線２ｙａに沿う部分）に位置する。また、リブＬ２０のもう一辺、間隙Ｄ２１、リブＬ２２、間隙Ｄ２３およびリブＬ２４はそれぞれ平行で、かつ走査信号線２ｙｂに対して斜めに（１３５°をなして）延伸しており、間隙Ｄ２３の一部ＪおよびリブＬ２４の一部Ｉが画素Ｙの端部（走査信号線２ｙｂに沿う部分）に位置する。【０３００】
上記のように、画素Ｘに配向規制構造物Ｆｘを設けるとともに、画素Ｙに配向規制構造物Ｆｙを設けることで、本液晶パネルを用いた液晶表示装置では、図３２に示すように配向領域Ｄ１〜Ｄ４が形成され、該液晶表示装置の広視野角化を実現することができる。なお、画素Ｘ・Ｙそれぞれにおいて、第１の透明電極１ａを含む第１副画素が明副画素に、第２〜第４の透明電極（１ｂ〜１ｄ）を含む第２副画素が暗副画素に対応するものとする。【０３０１】
ここで、各画素においては走査信号線（２ｘａ・２ｘｂ・２ｙａ・２ｙｂ）に沿う部分の液晶配向が乱れることが知られている。しかしながら、本液晶パネルでは、隣接する２つの画素Ｘ・Ｙにおいて、画素Ｘにおける明副画素の配向領域Ｄ１〜Ｄ４それぞれの配向乱れ部分が、ＸＭ１・０（なし）・０（なし）・ＸＭ４、画素Ｙにおける明副画素の配向領域Ｄ１〜Ｄ４それぞれの配向乱れ部分が、０（なし）・ＹＭ２・ＹＭ３・０（なし）となり、２つの画素（Ｘ・Ｙ）を１単位としてみれば、２つの明副画素に含まれる配向領域Ｄ１〜Ｄ４それぞれの配向乱れ部分が、ＸＭ１・ＸＭ２・ＹＭ３・ＹＭ４となって２つの画素Ｘ・Ｙに含まれる２つの明副画素が受ける配向乱れ部分が配向領域Ｄ１〜Ｄ４に分散されていることがわかる。さらに、本液晶パネルでは、ＸＭ１の大きさと、ＸＭ２の大きさと、ＹＭ３の大きさと、ＹＭ４の大きさとがほぼ等しくなるように各画素の第１および第２の配向規制構造物が配設されていることから、配向領域Ｄ１〜Ｄ４それぞれの配向乱れ面積（各配向領域が受ける配向乱れの影響）はほぼ均一化されることになる。【０３０２】
また、２つの画素Ｘ・Ｙにおいて、画素Ｘにおける暗副画素の配向領域Ｄ１〜Ｄ４それぞれの配向乱れ部分が、ＸＡ１・ＸＡ２・ＸＡ３・ＸＡ４、画素Ｙにおける明副画素の配向領域Ｄ１〜Ｄ４それぞれの配向乱れ部分が、ＹＡ１・ＹＡ２・ＹＡ３・ＹＡ４となり、各画素における配向乱れ部分が配向領域Ｄ１〜Ｄ４に分散されていることがわかる。さらに、２つの画素（Ｘ・Ｙ）を１単位としてみれば、２つの画素に含まれる配向領域Ｄ１〜Ｄ４それぞれの配向乱れ部分が、ＸＡ１＋ＹＡ１・ＸＡ２＋ＹＡ２・ＸＡ３＋ＹＡ３・ＸＡ４＋ＹＡ４となり、ＸＡ１の大きさ＋ＹＡ１の大きさ≒ＸＡ２の大きさ＋ＹＡ２の大きさ≒ＸＡ３の大きさ＋ＹＡ３の大きさ≒ＸＡ４の大きさ＋ＹＡ４の大きさであるため、配向領域Ｄ１〜Ｄ４それぞれの配向乱れ面積（各配向領域が受ける配向乱れの影響）はほぼ均一化されることがわかる。すなわち、暗副画素については、１画素単位において、走査信号線に起因する配向乱れの影響を各配向領域（Ｄ１〜Ｄ４）に分散させ、かつ、列方向に隣接する２画素単位において、各配向領域（Ｄ１〜Ｄ４）が受ける上記影響を均一化させることができる。【０３０３】
なお、上記ＸＭ４の大きさは図３２のＰ・Ａ間の長さ、上記ＸＡ３のそれは同図のＡ・Ｂ間の長さ、上記ＸＡ４のそれは同図のＢ・Ｑ間の長さ、ＸＭ１のそれは同図のＰ・Ｃ間の長さ、ＸＡ２のそれは同図のＣ・Ｆ間の長さ、ＸＡ１のそれは同図のＦ・Ｑ間の長さで近似することができる。また、上記ＹＡ２のそれは図３２のＰ・Ｇ間の長さ、ＹＡ１のそれは同図のＧ・Ｈ間の長さ、ＹＭ２のそれは同図のＦ・Ｑ間の長さ、ＹＡ３のそれは同図のＰ・Ｉ間の長さ、ＹＡ４のそれは同図のＩ・Ｊ間の長さ、ＹＭ３のそれは同図のＪ・Ｑ間の長さで近似することができる。上記Ｐ・Ｑは走査信号線に沿う、副画素の両端を示している。【０３０４】
以上から、本液晶パネルによれば、走査信号線（２ｘａ・２ｘｂ・２ｙａ・２ｙｂ）による配向乱れの影響を各配向領域（Ｄ１〜Ｄ４）に均一に分散させることができる。これにより、設計時に意図した視野角特性のバランスを可及的に維持することができ、視野角特性の優れた液晶表示装置を実現することができる。【０３０５】
なお、図２９に示す液晶パネルを図３４のように構成することもできる。すなわち、列方向に並ぶ各画素は２本のデータ信号線に挟まれるが、この各画素を１画素ごとに異なるデータ信号線に接続する（千鳥接続）。例えば、列方向に隣接する２つの画素（Ｘ・Ｙ）において、画素Ｘを駆動する２つのトランジスタ４ｘａ・４ｘｂをデータ信号線３に接続し、画素Ｙを駆動する２つのトランジスタ４ｙａ・４ｙｂを、（データ信号線３に隣接する）データ信号線１０３に接続する。こうすれば、各データ信号線をＶ（ソース）ライン反転駆動しながら、各画素をドット反転駆動させることができる。これにより、データ信号線駆動時の消費電力や発熱を低減させることができる。また、各トランジスタのドレイン引き出し配線を短縮でき、開口率を高めることもできる。【０３０６】
また、本液晶パネルは、図３５のように構成してもよい。すなわち、赤（Ｒ）、緑（Ｇ）、青（Ｂ）に対応する行方向に並んだ３つの画素を１つの画素群として、行方向に隣接する２つの画素群に含まれる２つの同色の画素について、一方の画素に設けられたリブおよびスリットの形状は、もう一方の画素に設けられたリブおよびスリットを１８０°回転させて得られる形状とする。こうすれば、本液晶パネルを備えた液晶表示装置において、上記同色の画素（２画素）単位で考えたときに、走査信号線に沿う配向乱れ領域の影響が各配向領域に分散され、各方向における視野角特性に大きな差異が生じないようにすることができる。【０３０７】
また、本液晶パネルおいては、図３６のように、列方向に隣接する２つの画素において、一方の画素の明副画素に設けられた配向規制構造物（リブおよびスリット）の形状が、もう一方の画素の明副画素に設けられた配向規制構造物（リブおよびスリット）を１８０°回転させて得られる形状であるが、各画素において、暗副画素に設けられた配向規制構造物（リブおよびスリット）の形状は、明画素に設けられた配向規制構造物（リブおよびスリット）を１８０°回転させて得られる形状であってもよい。【０３０８】
また、本液晶パネルおいては、図３７のように、列方向に隣接する２つの画素において、一方の画素の明副画素に設けられた配向規制構造物（リブおよびスリット）の形状が、もう一方の画素の明副画素に設けられた配向規制構造物（リブおよびスリット）を１８０°回転させて得られる形状であるが、上記一方の画素の暗副画素に設けられた配向規制構造物（リブおよびスリット）の形状は、上記もう一方の画素の暗副画素に設けられた配向規制構造物（リブおよびスリット）と同じであってもよい。【０３０９】
以下に、上記液晶パネルを用いた液晶表示装置およびテレビジョン受像機（テレビジョン装置）について説明する。図１５は、テレビジョン受像用における液晶表示装置７０の回路ブロックである。液晶表示装置７０は、同図に示すように、Ｙ／Ｃ分離回路７１、ビデオクロマ回路７２、Ａ／Ｄコンバータ７３、液晶コントローラ７４、液晶パネル７５、バックライト駆動回路７６、バックライト７７、マイコン７８、階調回路７９を備えた構成となっている。【０３１０】
上記液晶パネル７５は、本実施の形態のアクティブマトリクス基板１０を使用した表示部と、その表示部を駆動するためのソースドライバ、ゲートドライバを含んでおり、その具体的な構成については、本発明の各実施形態や各変形例につき説明した何れの構成であってもよい。【０３１１】
上記構成の液晶表示装置７０において、まず、テレビジョン信号としての複合カラー映像信号Ｓｃｖが外部からＹ／Ｃ分離回路７１に入力され、そこで輝度信号と色信号に分離される。これら輝度信号と色信号とは、ビデオクロマ回路７２にて光の３原色である赤（Ｒ）・緑（Ｇ）・青（Ｂ）のアナログＲＧＢ信号に変換され、さらに、このアナログＲＧＢ信号はＡ／Ｄコンバータ７３により、デジタルＲＧＢ信号に変換される。このデジタルＲＧＢ信号は、液晶コントローラ７４に入力される。また、Ｙ／Ｃ分離回路７１では、外部から入力された複合カラー映像信号Ｓｃｖから水平垂直同期信号および垂直同期信号も取り出され、これらの同期信号もマイコン７８を介して液晶コントローラ７４に入力される。【０３１２】
液晶パネル７５には、液晶コントローラ７４からのデジタルＲＧＢ信号が、上記同期信号に基づくタイミング信号と共に所定のタイミングで入力される。また、階調回路７９では、カラー表示の３原色である赤（Ｒ）・緑（Ｇ）・青（Ｂ）それぞれの階調電圧が生成され、それらの階調電圧も液晶パネル７５に供給される。液晶パネル７５では、これらのＲＧＢ信号、タイミング信号および階調電圧に基づき内部のソースドライバやゲートドライバ等により駆動用信号（データ信号、走査信号等）が生成され、それらの駆動用信号に基づきに（アクティブマトリクス基板を使用した）内部の表示部にカラー画像が表示される。なお、この液晶パネル７５によって画像を表示するには、液晶パネル７５の後方から光を照射する必要があり、この液晶表示装置７０では、マイコン７８の制御の下にバックライト駆動回路７６がバックライト７７を駆動することにより、液晶パネル７５の裏面に光が照射される。【０３１３】
上記の処理を含め、システム全体の制御はマイコン７８が行う。なお、外部から入力される映像信号（複合カラー映像信号）としては、テレビジョン放送に基づく映像信号のみならず、カメラにより撮像された映像信号や、インターネット回線を介して供給される映像信号なども使用可能であり、この液晶表示装置７０では、様々な映像信号に基づいた画像表示が可能である。【０３１４】
上記構成の液晶表示装置７０でテレビジョン放送に基づく画像を表示する場合には、図１６に示すように、液晶表示装置７０にチューナ部８１が接続される。このチューナ部８１は、図示しないアンテナで受信した高周波信号の受信波の中から受信すべきチャンネルの信号を抜き出して中間周波信号に変換し、この中間周波数信号を検波することによってテレビジョン信号としての複合カラー映像信号Ｓｃｖを取り出す。この複合カラー映像信号Ｓｃｖは、既述のように液晶表示装置７０に入力され、この複合カラー映像信号Ｓｃｖに基づく画像が当該液晶表示装置７０によって表示される。【０３１５】
図１７は、上記構成の液晶表示装置７０をテレビジョン受像機とするときの機械的構成の一例を示す分解斜視図である。図１７に示した例では、テレビジョン受像機は、その構成要素として、上記液晶表示装置７０の他に第１筐体８５および第２筐体８６を有しており、液晶表示装置７０を第１筐体８５と第２筐体８６とで包み込むようにして挟持した構成となっている。第１筐体８５には、液晶表示装置７０で表示される画像を透過させる開口部８５ａが形成されている。また、第２筐体８６は、液晶表示装置７０の背面側を覆うものであり、当該液晶表示装置７０を操作するための操作用回路８７が設けられると共に、下方に支持用部材８８が取り付けられている。【０３１６】
このように、本実施の形態のテレビジョン受像機８０は、液晶表示装置７０と、テレビジョン放送を受信するチューナ部８１とを備えている。【０３１７】
これにより、液晶分子を複数の配向領域に分けた垂直配向モードとマルチ画素構造とを組み合わせた液晶表示装置７０において、画素を分断する走査信号線に沿って発生する配向乱れ領域による視野角特性の悪化を抑制し得る液晶表示装置を備えたテレビジョン受像機８０を提供することができる。【０３１８】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０３１９】
本発明は、垂直配向モードとマルチ画素構造とを組み合わせた液晶表示装置、およびテレビジョン装置に利用することができる。
【図１】
2008078438.tif 000003
【図２】
2008078438.tif 000004
【図３】
2008078438.tif 000005
【図４】
2008078438.tif 000006
【図５】
2008078438.tif 000007
【図６】
2008078438.tif 000008
【図７】
2008078438.tif 000009
【図８】
2008078438.tif 000010
【図９】
2008078438.tif 000011
【図１０】
2008078438.tif 000012
【図１１】
2008078438.tif 000013
【図１２】
2008078438.tif 000014
【図１３】
2008078438.tif 000015
【図１４】
2008078438.tif 000016
【図１５】
2008078438.tif 000017
【図１６】
2008078438.tif 000018
【図１７】
2008078438.tif 000019
【図１８】
2008078438.tif 000020
【図１９】
2008078438.tif 000021
【図２０】
2008078438.tif 000022
【図２１】
2008078438.tif 000023
【図２２】
2008078438.tif 000024
【図２３】
2008078438.tif 000025
【図２４】
2008078438.tif 000026
【図２５】
2008078438.tif 000027
【図２６】
2008078438.tif 000028
【図２７】
2008078438.tif 000029
【図２８】
2008078438.tif 000030
【図２９】
2008078438.tif 000031
【図３０】
2008078438.tif 000032
【図３１】
2008078438.tif 000033
【図３２】
2008078438.tif 000034
【図３３】
2008078438.tif 000035
【図３４】
2008078438.tif 000036
【図３５】
2008078438.tif 000037
【図３６】
2008078438.tif 000038
【図３７】
2008078438.tif 000039
【図３８】
2008078438.tif 000040
【図３９】
2008078438.tif 000041
【図４０】
2008078438.tif 000042
【図４１】
2008078438.tif 000043
【図４２】
2008078438.tif 000044
【図４３】
2008078438.tif 000045
【図４４】
2008078438.tif 000046
【国際調査報告】
2008078438.tif 000047
2008078438.tif 000048
2008078438.tif 000049
2008078438.tif 000050